(57)【要約】  立体映像を表現するための第１表示モードと、互いに異なるコンテンツを表現する第１映像及び第２映像を表示する第２表示モードと、の間で表示モードを切り替える表示装置であって、第１表示モード下で立体映像を表示し、第２表示モード下において第１映像及び第２映像を表示する表示部と、第１表示モード下において、左フレーム画像及び右フレーム画像の視聴開始タイミング及び視聴終了タイミングを通知するために、第１表示モード及び第２表示モードに共通して用いられる共通コマンド信号を含む４種のコマンド信号を含む第１制御信号を生成し、第２表示モード下において、第１映像及び第２映像のうち一方の映像の視聴開始タイミング及び視聴終了タイミングを通知するために、共通コマンド信号と、４種のコマンド信号とは異なる第１非共通コマンド信号と、を含む第２制御信号を生成する信号生成部と、を備えることを特徴とする表示装置。
2012105251.tif 000002
【特許請求の範囲】
【請求項１】
左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置であって、
前記第１表示モード下で前記立体映像を表示し、前記第２表示モード下において前記第１映像及び前記第２映像を表示する表示部と、
前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する信号生成部と、を備えることを特徴とする表示装置。
【請求項２】
前記第１制御信号の前記共通コマンド信号は、前記左フレーム画像及び前記右フレーム画像のうち一方の視聴開始タイミングを通知し、
前記第２制御信号の前記共通コマンド信号は、前記第１映像及び前記第２映像のうち一方の視聴開始タイミングを通知することを特徴とする請求項１に記載の表示装置。
【請求項３】
前記表示モードが切り替えられるならば、前記信号生成部は、前記立体映像、前記第１映像又は前記第２映像の視聴を補助するように前記左眼及び前記右眼へ到達する映像光の光量を調整する眼鏡装置の動作を停止させるために、前記共通コマンド信号と、前記４種のコマンド信号及び前記第１非共通コマンド信号とは異なる第２非共通コマンド信号と、を含む停止信号を生成することを特徴とする請求項１又は２に記載の表示装置。
【請求項４】
前記停止信号を送信する送信部を更に備え、
前記表示モードが前記第１表示モードから前記第２表示モードに切り替えられるならば、前記送信部は、前記停止信号を繰り返し送信し、その後、前記第２制御信号を送信し、前記表示モードが前記第２表示モードから前記第１表示モードに切り替えられるならば、前記送信部は、前記停止信号を繰り返し送信し、その後、前記第１制御信号を送信することを特徴とする請求項３に記載の表示装置。
【請求項５】
前記表示モードが前記第１表示モードから前記第２表示モードに切り替えられるならば、前記送信部は、前記第１制御信号の前記共通コマンド信号の送信周期と同じ周期で前記停止信号の前記共通コマンド信号を送信し、前記表示モードが前記第２表示モードから前記第１表示モードに切り替えられるならば、前記送信部は、前記第２制御信号の前記共通コマンド信号の送信周期と同じ周期で前記停止信号の前記共通コマンド信号を送信することを特徴とする請求項４に記載の表示装置。
【請求項６】
前記表示モードが前記第１表示モードから前記第２表示モードに切り替えられるならば、前記送信部は、前記共通コマンド信号を除く前記４種のコマンド信号のうち１つと同じ送信周期で前記第２非共通コマンド信号を送信し、前記表示モードが前記第２表示モードから前記第１表示モードに切り替えられるならば、前記第１非共通コマンド信号と同じ送信周期で前記第２非共通コマンド信号を送信することを特徴とする請求項５に記載の表示装置。
【請求項７】
左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置から送信された制御信号に応じて、前記立体映像の視聴を補助する第１補助動作と、前記第１映像又は前記第２映像の視聴を補助する第２補助動作と、の間で動作モードを切り替える眼鏡装置であって、
前記制御信号を受信する受信部と、
前記第１表示モードと前記第２表示モードとの間で共通して用いられる共通コマンド信号を含む前記制御信号に応じて、前記左眼及び前記右眼へ到達する映像光の光量を調整する光量調整部と、
前記制御信号が前記共通コマンド信号を含む４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする眼鏡装置。
【請求項８】
前記制御部が、前記共通コマンド信号の受信周期内において、前記４種のコマンド信号を見出すならば、前記制御部は、前記光量調整部に前記第１補助動作を実行させ、
前記制御部が、前記共通コマンド信号の前記受信周期内において、前記第１非共通コマンド信号を見出すならば、前記制御部は、前記光量調整部に前記第２補助動作を実行させることを特徴とする請求項７に記載の眼鏡装置。
【請求項９】
前記制御部は、前記４種のコマンド信号それぞれの受信タイミングに応じて、前記左眼及び前記右眼に対する前記光量の調整タイミングを決定し、
前記光量調整部は、前記制御部の決定に応じて、前記左フレーム画像の表示に同期して、前記左眼への前記光量を増大させる一方で前記右眼への前記光量を低減し、前記右フレーム画像の表示に同期して、前記右眼への前記光量を増大させる一方で前記左眼への前記光量を低減することを特徴とする請求項８に記載の眼鏡装置。
【請求項１０】
前記第１映像又は前記第２映像を選択するための選択部を更に備え、
前記制御部は、前記共通コマンド信号及び前記第１非共通コマンド信号の受信タイミング並びに前記選択部の選択に応じて、前記左眼及び前記右眼に対する前記光量の調整タイミングを決定することを特徴とする請求項８に記載の眼鏡装置。
【請求項１１】
前記選択部が、前記第１映像及び前記第２映像のうち一方を選択しているならば、前記制御部は、前記共通コマンド信号の前記受信タイミングと該共通コマンド信号の次に受信された前記第１非共通コマンド信号の受信タイミングとの間で前記左眼及び前記右眼への前記光量をともに増大させ、前記共通コマンド信号がその後受信されるまでの間、前記制御部は、前記左眼及び前記右眼への前記光量をともに減少させ、
前記選択部が、前記第１映像及び前記第２映像のうち他方を選択しているならば、前記制御部は、前記第１非共通コマンド信号の前記受信タイミングと該第１非共通コマンド信号の次に受信された前記共通コマンド信号の受信タイミングとで定められる期間内に前記左眼及び前記右眼への前記光量をともに増大させ、前記第１非共通コマンド信号がその後受信されるまでの間、前記制御部は、前記左眼及び前記右眼への前記光量をともに減少させることを特徴とする請求項７に記載の眼鏡装置。
【請求項１２】
前記第１映像及び前記第２映像のうち前記一方が選択されているときにおける前記制御部が実行する前記左眼及び前記右眼への前記光量の調整タイミングは、前記第１映像及び前記第２映像のうち前記他方が選択されているときにおける前記制御部が実行する前記左眼及び前記右眼への前記光量の調整タイミングに対して、前記共通コマンド信号の受信周期の半分の周期分ずらされることを特徴とする請求項１１に記載の眼鏡装置。
【請求項１３】
前記受信部は、前記共通コマンド信号と、該共通コマンド信号及び前記第１非共通コマンド信号とは異なる第２非共通コマンド信号と、を含む停止信号を受信し、
前記受信部が、前記停止信号を繰り返し受信するならば、前記制御部は、前記光量調整部を制御し、前記左眼及び前記右眼への前記光量をともに増大させ続けることを特徴とする請求項７乃至１２のいずれか１項に記載の眼鏡装置。
【請求項１４】
左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、
前記立体映像の視聴を補助する第１補助動作と、前記第１映像又は前記第２映像の視聴を補助する第２補助動作と、の間で動作モードを切り替える眼鏡装置と、を備え、
前記表示装置は、
前記第１表示モード下で前記立体映像を表示し、前記第２表示モード下において前記第１映像及び前記第２映像を表示する表示部と、
前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を有する第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、含む第２制御信号を生成する信号生成部と、
前記第１制御信号及び前記第２制御信号を、制御信号として、前記制御モードに応じて選択的に送信する送信部と、を含み、
前記眼鏡装置は、
前記制御信号を受信する受信部と、
前記制御信号に応じて、前記左眼及び前記右眼へ到達する映像光の光量を調整する光量調整部と、
前記制御信号が前記４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする映像システム。
【請求項１５】
左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備える映像システムの制御方法であって、
前記第１表示モードが選択されているならば、前記左フレーム画像及び前記右フレーム画像の視聴開始タイミング及び視聴終了タイミングを通知するために、前記第１表示モードと前記第２表示モードとの間で共通して用いられる共通コマンド信号を含む４種のコマンド信号を有する第１制御信号を生成し、前記第２表示モードが選択されているならば、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する段階と、
前記第１制御信号及び前記第２制御信号のうち一方を制御信号として前記眼鏡装置へ送信する段階と、
前記制御信号に応じて、前記左眼及び前記右眼へ到達する映像光の光量を前記眼鏡装置に調整させる段階と、を有する映像システムの制御方法。
【発明の詳細な説明】
【技術分野】
【０００１】
本発明は、立体映像を表示するための表示モードと互いに異なるコンテンツを表現するための表示モードとに対応して、視聴者に所望の映像を適切に視聴させるための技術に関する。
【背景技術】
【０００２】
立体映像を表示するための表示技術として、アクティブシャッタ方式、パッシブシャッタ方式及び裸眼方式が知られている。【０００３】
アクティブシャッタ方式に従う典型的な映像システムは、左眼で観察される左フレーム画像と右眼で観察される右フレーム画像とを交互に表示する表示装置と、左フレーム画像を左眼のみで観察させ、且つ、右フレーム画像を右眼のみで観察させるように映像の視聴を補助する眼鏡装置と、を備える。眼鏡装置は、左フレーム画像が表示されている間、開き、右フレーム画像が表示されている間、閉じる左シャッタと、右フレーム画像が表示されている間、開き、左フレーム画像が表示されている間、閉じる右シャッタと、を含む。左右のフレーム画像の表示に対する左右のシャッタの同期動作は、表示装置と眼鏡装置との間で通信される制御信号によって達成される。【０００４】
特許文献１は、上述のアクティブシャッタ方式に従う映像システムを開示する。映像を表示するための表示期間に対して、左フレーム画像を表示するための左フィールド期間と右フレーム画像を表示するための右フィールド期間とが割り当てられる。左右のフィールド期間の切替タイミングにおいて、表示装置は、左右のフレーム画像が混在した映像を表示する。例えば、左フィールド期間の開始直後において、右フレーム画像が混在した左フレーム画像が表示される。右フィールド期間の開始直後において、左フレーム画像が混在した右フレーム画像が表示される。特許文献１は、左右のフレーム画像が混在した映像が表示されている間、左右のシャッタを閉じることを提案する。この結果、視聴者は、左右のフレーム画像間の混在が少ない映像を視聴することができる。【０００５】
上述のアクティブシャッタ技術は、立体映像以外の映像の視聴にも適用可能である。例えば、上述の左フィールド期間に第１コンテンツを表現する第１映像を表示するための表示期間が割り当てられ、且つ、右フィールド期間に第１コンテンツとは異なる第２コンテンツを表現する第２映像を表示するための表示期間が割り当てられるならば、表示装置は、互いに異なるコンテンツを有する複数の映像を時分割で表示することができる。視聴者が第１映像を選択するならば、眼鏡装置は、表示装置から送信される制御信号に応じて、第１映像が表示されている期間において、左右のシャッタを開き、第２映像が表示されている期間において、左右のシャッタを閉じる。視聴者が第２映像を選択するならば、眼鏡装置は、表示装置から送信される制御信号に応じて、第２映像が表示されている期間において、左右のシャッタを開き、第１映像が表示されている期間において、左右のシャッタを閉じる。かくして、視聴者は、第１映像及び第２映像を選択的に視聴することができる。【０００６】
以下の説明において、立体映像を表示するための表示モードは、「立体表示モード」と称される。第１映像及び第２映像を選択的に視聴させるための表示モードは、「２重表示モード」と称される。【０００７】
特許文献２乃至４は、視聴者が、立体表示モードと２重表示モードとの選択を許容する映像技術を開示する。これらの開示技術によれば、立体表示モードを選択した視聴者は、立体映像を視聴することができる。２重表示モードを選択した視聴者は、第１映像又は第２映像を視聴することができる。【０００８】
立体表示モードと２重表示モードとの選択を許容する映像技術は、立体表示モード下のみで映像を表示する映像技術と比べて、多くの種類の制御情報の通信を必要とする。眼鏡装置が表示装置の表示モードに応じて適切に動作するためには、眼鏡装置は、表示装置の表示モードに関するモード情報を取得する必要がある。表示装置が立体表示モードで動作していることを表すモード情報を取得した眼鏡装置は、左シャッタを開くタイミングに関する左開タイミング情報、左シャッタを閉じるタイミングに関する左閉タイミング情報、右シャッタを開くタイミングに関する右開タイミング情報及び右シャッタを閉じるタイミングに関する右閉タイミング情報を取得する必要がある。表示装置が２重表示モードで動作していることを表すモード情報を取得した眼鏡装置は、視聴者が第１映像を選択しているならば、第１映像の表示の開始タイミングに関するタイミング情報及び第１映像の表示の終了タイミングに関するタイミング情報を取得する必要がある。表示装置が２重表示モードで動作していることを表すモード情報を取得した眼鏡装置は、視聴者が第２映像を選択しているならば、第２映像の表示の開始タイミングに関するタイミング情報及び第２映像の表示の終了タイミングに関するタイミング情報を取得する必要がある。【０００９】
上述の如く、多種類の制御情報を眼鏡装置に与えるために、表示装置と眼鏡装置との間で通信される制御信号のプロトコルは、多種類のコマンド信号を定義する必要がある。多種類のコマンド信号の使用は、表示装置と眼鏡装置との間の通信不良を引き起こす原因となる。【００１０】
表示装置と眼鏡装置との間の通信不良は、眼鏡装置の様々な誤動作に帰結する。例えば、表示装置が２重表示モードで動作している間、眼鏡装置は、制御信号が含む制御情報が立体表示モードを表していると誤って解釈することもある。この場合、視聴者は、左眼で第１映像を観察し、右眼で第２映像を観察することとなる。表示装置が立体表示モードで動作している間、眼鏡装置は、制御信号が含む制御情報が２重表示モードを表していると誤って解釈することもある。この場合、視聴者は映像を立体的に知覚することはできない。
【先行技術文献】
【特許文献】
【００１１】
【特許文献１】国際公開第２００７／１２６９０４号
【特許文献２】特開平１０−２４３４２０号公報
【特許文献３】特開平７−２２２０８７号公報
【特許文献４】米国特許公開第２０１１／０１３４２３１号
【発明の概要】
【００１２】
本発明は、表示装置の表示モードに対応して、視聴者に映像を適切に観察させることができる映像技術を提供することを目的とする。
【００１３】
本発明の一の局面に係る表示装置は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える。表示装置は、前記第１表示モード下で前記立体映像を表示し、前記第２表示モード下において前記第１映像及び前記第２映像を表示する表示部と、前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する信号生成部と、を備えることを特徴とする。
【００１４】
本発明の他の局面に係る眼鏡装置は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置から送信された制御信号に応じて、前記立体映像の視聴を補助する第１補助動作と、前記第１映像又は前記第２映像の視聴を補助する第２補助動作と、の間で動作モードを切り替える。眼鏡装置は、前記制御信号を受信する受信部と、前記第１表示モードと前記第２表示モードとの間で共通して用いられる共通コマンド信号を含む前記制御信号に応じて、前記左眼及び前記右眼へ到達する映像光の光量を調整する光量調整部と、前記制御信号が前記共通コマンド信号を含む４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする。
【００１５】
本発明の更に他の局面に係る映像システムは、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備え、前記表示装置は、前記第１表示モード下で前記立体映像を表示し、前記第２表示モード下において前記第１映像及び前記第２映像を表示する表示部と、前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、含む第２制御信号を生成する信号生成部と、前記第１制御信号及び前記第２制御信号を、制御信号として、前記制御モードに応じて選択的に送信する送信部と、を含み、前記眼鏡装置は、前記制御信号を受信する受信部と、前記制御信号に応じて、前記左眼及び前記右眼へ到達する映像光の光量を調整する光量調整部と、前記制御信号が前記４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする。
【００１６】
本発明の更に他の局面に係る制御方法は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備える映像システムに適用される。制御方法は、前記第１表示モードが選択されているならば、前記左フレーム画像及び前記右フレーム画像の視聴開始タイミング及び視聴終了タイミングを通知するために、前記第１表示モードと前記第２表示モードとの間で共通して用いられる共通コマンド信号を含む４種のコマンド信号を有する第１制御信号を生成し、前記第２表示モードが選択されているならば、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する段階と、前記第１制御信号及び前記第２制御信号のうち一方を制御信号として前記眼鏡装置へ送信する段階と、前記制御信号に応じて、前記左眼及び前記右眼へ到達する映像光の光量を前記眼鏡装置に調整させる段階と、を有することを特徴とする。
【００１７】
上述の映像技術は、表示装置の表示モードに対応して、視聴者に映像を適切に観察させることができる。
【００１８】
本発明の目的、特徴及び利点は、以下の詳細な説明と添付図面とによって、より明白となる。
【図面の簡単な説明】
【００１９】
【図１】一実施形態に従う映像システムの概略図である。
【図２Ａ】図１に示される映像システムの表示装置の表示動作（立体表示モード）の概略図である。
【図２Ｂ】図１に示される映像システムの表示装置の表示動作（立体表示モード）の概略図である。
【図３Ａ】図１に示される映像システムの動作（２重表示モード）の概略図である。
【図３Ｂ】図１に示される映像システムの動作（２重表示モード）の概略図である。
【図４】図１に示される映像システムの表示装置の機能構成を概略的に表すブロック図である。
【図５】図１に示される映像システムの眼鏡装置の機能構成を概略的に表すブロック図である。
【図６】図５に示される眼鏡装置の動作モードの変化の概略図である。
【図７】図１に示される映像システムの通信プロトコルによって規定されたコマンド信号の概略図である。
【図８Ａ】図１に示される映像システムの通信プロトコルによって規定されたコマンド信号の概略図である。
【図８Ｂ】図１に示される映像システムの通信プロトコルによって規定されたコマンド信号の概略図である。
【図８Ｃ】図１に示される映像システムの通信プロトコルによって規定されたコマンド信号の概略図である。
【図８Ｄ】図１に示される映像システムの通信プロトコルによって規定されたコマンド信号の概略図である。
【図８Ｅ】図１に示される映像システムの通信プロトコルによって規定されたコマンド信号の概略図である。
【図８Ｆ】図１に示される映像システムの通信プロトコルによって規定されたコマンド信号の概略図である。
【図９】図５に示される眼鏡装置の動作（立体表示モード）を表す概略的なタイミングチャートである。
【図１０】図５に示される眼鏡装置の動作（立体表示モード）を表す概略的なタイミングチャートである。
【図１１】図５に示される眼鏡装置の動作（２重表示モード）を概略的に示すタイミングチャートである。
【図１２】図５に示される眼鏡装置の動作（２重表示モード）を概略的に示すタイミングチャートである。
【図１３】図１に示される映像システム中において送受信される停止信号を表すタイミングチャートである。
【図１４】図１に示される映像システムが用いるコマンド信号の送信パターンの変動を概略的に示すタイミングチャートである。
【図１５】図１に示される映像システムが用いるコマンド信号の送信パターンの変動を概略的に示すタイミングチャートである。
【図１６】図５に示される眼鏡装置がノイズ信号を除去するための信号処理の概略的なフローチャートである。
【図１７Ａ】図５に示される眼鏡装置の動作を決定するための信号処理の概略的なフローチャートである。
【図１７Ｂ】図５に示される眼鏡装置の動作を決定するための信号処理の概略的なフローチャートである。
【図１７Ｃ】図５に示される眼鏡装置の動作を決定するための信号処理の概略的なフローチャートである。
【図１８】図５に示される眼鏡装置の動作を決定するための信号処理の概略的なフローチャートである。
【図１９】図１に示される映像システムの制御手順を概略的に表すフローチャートである。
【発明を実施するための形態】
【００２０】
以下、映像を表示する表示装置、映像の視聴を補助する眼鏡装置、表示装置及び眼鏡装置を備える映像システム及び映像システムの制御方法が図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に、様々な実施形態の原理を容易に理解させることを目的とする。したがって、これらの原理は、図面並びに図面に関連して詳述される説明に何ら限定されない。
【００２１】
＜映像システム＞
図１は、映像システム１００の概略図である。図１を用いて、映像システム１００が説明される。
【００２２】
図１に示される如く、映像システム１００は、映像を表示する表示装置２００と、映像の視聴を補助する眼鏡装置３００と、を備える。表示装置２００は、映像が表示されるディスプレイパネル２１０を備える。本実施形態において、表示装置２００は、立体映像を表示するための表示動作（以下、「立体表示モード」と称される）と、互いに異なる２つのコンテンツを表示するための表示動作（以下、「２重表示モード」と称される）と、を実行する。表示装置２００は、視聴者の要求に応じて、立体表示モードと２重表示モードとの間で表示モードを切り替えることができる。ディスプレイパネル２１０は、これらの表示モード下において、様々な映像を表示することができる。眼鏡装置３００は、これらの表示モードに対応した補助動作を実行し、ディスプレイパネル２１０に表示された映像の視聴を補助する。本実施形態において、立体表示モードは、第１表示モードとして例示される。２重表示モードは、第２表示モードとして例示される。尚、第２表示モードは、互いに異なる３以上のコンテンツを表示する表示動作であってもよい。
【００２３】
図２Ａ及び図２Ｂは、立体表示モードにおける表示装置２００の表示動作の概略図である。図１乃至図２Ｂを用いて、映像システム１００が更に説明される。
【００２４】
図２Ａ及び図２Ｂのセクション（ａ）は、ディスプレイパネル２１０上に表示されるオブジェクトＯＲ，ＯＬ、視聴者に知覚されるオブジェクトＯＰ及び視聴者の眼との位置関係を概略的に表す。図２Ａ及び図２Ｂのセクション（ｂ）は、右眼で観察される右フレーム画像を表示するディスプレイパネル２１０中に現れるオブジェクトＯＲを表す。図２Ａ及び図２Ｂのセクション（ｃ）は、左眼で観察される左フレーム画像を表示するディスプレイパネル２１０中に現れるオブジェクトＯＬを表す。
【００２５】
本実施形態において、立体映像を表示するための立体表示モード下で動作する表示装置２００は、左フレーム画像と右フレーム画像とを時分割で表示する。この結果、左フレーム画像及び右フレーム画像は、ディスプレイパネル２１０に交互に現れる。
【００２６】
図２Ａにおいて、右フレーム画像中のオブジェクトＯＲは、左フレーム画像中のオブジェクトＯＬよりも左側に描かれる。図２Ａにおいて、オブジェクトＯＲとオブジェクトＯＬとの間の距離は、「Ｘ１」の符号を用いて表されている。
【００２７】
図２Ｂにおいて、右フレーム画像中のオブジェクトＯＲは、左フレーム画像中のオブジェクトＯＬよりも右側に描かれる。図２Ｂにおいて、オブジェクトＯＲとオブジェクトＯＬとの間の距離は、「Ｘ２」の符号を用いて表されている。
【００２８】
表示装置２００が、立体表示モード下において表示動作を行うならば、眼鏡装置３００は、立体映像の視聴を補助する第１補助動作を実行する。眼鏡装置３００は、左眼へ到達する映像光の光量を調整する左シャッタ３１１と、右眼への映像光の光量を調整する右シャッタ３１２と、を備える（図１参照）。視聴者が眼鏡装置３００を着用するならば、左シャッタ３１１は、左眼前に位置し、右シャッタ３１２は、右眼前に位置する。本実施形態において、左シャッタ３１１及び右シャッタ３１２は、光量調整部として例示される。尚、左眼及び右眼へ到達する映像光の光量を調整可能な他の光学素子が光量調整部として用いられてもよい。
【００２９】
左シャッタ３１１が閉じられるならば、左眼へ向かう映像光の光路が遮断される。したがって、左シャッタ３１１が閉じられている間、視聴者は、左眼で映像を視聴しにくくなる。左シャッタ３１１が開かれる間、左眼へ向かう映像光の光路が開かれる。この結果、左眼へ到達する映像光の光量は増大し、視聴者は、左眼で映像を視聴することができる。
【００３０】
右シャッタ３１２が閉じられるならば、右眼へ向かう映像光の光路が遮断される。したがって、右シャッタ３１２が閉じられている間、視聴者は、右眼で映像を視聴しにくくなる。右シャッタ３１２が開かれる間、右眼へ向かう映像光の光路が開かれる。この結果、右眼へ到達する映像光の光量は増大し、視聴者は、右眼で映像を視聴することができる。
【００３１】
眼鏡装置３００は、左シャッタ３１１及び右シャッタ３１２を独立して制御することができる。表示装置２００による左フレーム画像の表示に同期して、眼鏡装置３００は、左シャッタ３１１を開き、右シャッタ３１２を閉じる。この結果、表示装置２００が左フレーム画像を表示している間、左眼へ到達する映像光の光量は増大する一方で、右眼へ到達する映像光の光量は減少する。表示装置２００による右フレーム画像の表示に同期して、眼鏡装置３００は、右シャッタ３１２を開き、左シャッタ３１１を閉じる。この結果、表示装置２００が右フレーム画像を表示している間、右眼へ到達する映像光の光量は増大する一方で、左眼へ到達する映像光の光量は減少する。上述の第１補助動作の結果、視聴者は、左眼のみで左フレーム画像を観察し、右眼のみで右フレーム画像を観察することとなる。
【００３２】
図２Ａのセクション（ａ）には、右フレーム画像中に描かれたオブジェクトＯＲから右眼への光路ＴＰ１及び左フレーム画像中に描かれたオブジェクトＯＬから左眼への光路ＴＰ２が描かれている。光路ＴＰ１，ＴＰ２は、ディスプレイパネル２１０と視聴者との間で交差する。図２Ａのセクション（ａ）において、光路ＴＰ１，ＴＰ２の交点とディスプレイパネル２１０との間の距離は、「Ｙ１」の符号を用いて表されている。視聴者が、眼鏡装置３００の第１補助動作の下、図２Ａに示される左フレーム画像及び右フレーム画像を観察するならば、視聴者は、ディスプレイパネル２１０から距離「Ｙ１」だけオブジェクトＯＰが飛び出したように感じることができる。かくして、ディスプレイパネル２１０は、立体表示モード下において、適切に立体映像を表示することができる。
【００３３】
図２Ｂのセクション（ａ）には、右フレーム画像中に描かれたオブジェクトＯＲから右眼への光路ＴＰ１及び左フレーム画像中に描かれたオブジェクトＯＬから左眼への光路ＴＰ２が描かれている。光路ＴＰ１，ＴＰ２は、距離「Ｙ２」だけディスプレイパネル２１０よりも視聴者から離れた位置で交差する。視聴者が、眼鏡装置３００の第１補助動作の下、図２Ｂに示される左フレーム画像及び右フレーム画像を観察するならば、視聴者は、ディスプレイパネル２１０から距離「Ｙ２」だけオブジェクトＯＰが引っ込んだように感じることができる。かくして、ディスプレイパネル２１０は、立体表示モード下において、適切に立体映像を表示することができる。
【００３４】
図３Ａ及び図３Ｂは、２重表示モードにおける表示装置２００及び眼鏡装置３００の動作の概略図である。図１、図３Ａ及び図３Ｂを用いて、映像システム１００が更に説明される。
【００３５】
２重表示モードにおいて、表示装置２００は、互いに異なるコンテンツを表現する第１映像及び第２映像を時分割で表示する。この結果、ディスプレイパネル２１０には、第１映像及び第２映像が交互に表示される。図３Ａ及び図３Ｂにおいて、第１映像として、「自動車」の映像が表されている。第２映像として、「ロケット」の映像が表されている。
【００３６】
図１に示される如く、眼鏡装置３００は、スイッチ素子３２０を備える。視聴者は、スイッチ素子３２０を操作し、第１映像及び第２映像のうち一方を選択することができる。本実施形態において、スイッチ素子３２０は、選択部として例示される。
【００３７】
図３Ａは、視聴者が第１映像を選択したときの眼鏡装置３００の動作を概略的に表す。図３Ｂは、視聴者が第２映像を選択したときの眼鏡装置３００の動作を概略的に表す。
【００３８】
表示装置２００の表示モードが、立体表示モードから２重表示モードに切り替えられるならば、眼鏡装置３００は、立体映像の視聴を補助する第１補助動作から第１映像又は第２映像の視聴を補助するための第２補助動作に動作モードを切り替える。表示装置２００の表示モードが、２重表示モードから立体表示モードへ切り替えられるならば、眼鏡装置３００は、第２補助動作から第１補助動作へ動作モードを切り替える。表示モードの切替に応じた動作モードの切替制御は後述される。
【００３９】
図３Ａに示される如く、視聴者が第１映像を選択するならば、眼鏡装置３００は、第１映像の表示に同期して、左シャッタ３１１及び右シャッタ３１２をともに開く。この結果、視聴者は、両眼で第１映像を観察することができる。また、眼鏡装置３００は、第２映像の表示に同期して、左シャッタ３１１及び右シャッタ３１２をともに閉じる。この結果、視聴者は、第２映像を観察することなしに第１映像を観察することができる。
【００４０】
図３Ｂに示される如く、視聴者が第２映像を選択するならば、眼鏡装置３００は、第２映像の表示に同期して、左シャッタ３１１及び右シャッタ３１２をともに開く。この結果、視聴者は、両眼で第２映像を観察することができる。また、眼鏡装置３００は、第１映像の表示に同期して、左シャッタ３１１及び右シャッタ３１２をともに閉じる。この結果、視聴者は、第１映像を観察することなしに第２映像を観察することができる。
【００４１】
図１に示される如く、表示装置２００は、眼鏡装置３００を制御する制御信号を送信するための送信素子２２０を備える。眼鏡装置３００は、制御信号を受信する受信素子３３０を備える。制御信号は、表示装置２００の表示動作に同期した眼鏡装置３００の上述の動作を達成するために必要な情報を伝達するための様々なコマンド信号を含む。制御信号の構成は、後述される。
【００４２】
＜表示装置の構成＞
図４は、表示装置２００の機能構成を概略的に表すブロック図である。図１及び図４を用いて、表示装置２００が説明される。
【００４３】
表示装置２００は、復号部４３０、信号分離部４４０、信号処理部４５０、制御信号生成部４６０、表示部４１０及び送信部４２０を備える。表示部４１０は、図１を参照して説明されたディスプレイパネル２１０に相当する。送信部４２０は、図１を参照して説明された送信素子２２０に相当する。
【００４４】
符号化された映像信号は、外部から、復号部４３０に入力される。復号部４３０は、入力された映像信号を復号化する。復号部４３０は、復号化された映像信号を信号分離部４４０に出力する。本実施形態において、復号化された映像信号が、表示装置２００に対する入力信号として用いられる。代替的に、映像の表示に必要とされる情報を含む他の信号が表示装置２００に入力されてもよい。
【００４５】
信号分離部４４０は、映像信号が、立体映像を表示するための映像信号（以下、「立体映像信号」と称される）であるか、或いは、２重表示モード用の映像信号（以下、「２重モード映像信号」と称される）であるかを見極める。立体映像信号が、信号分離部４４０に入力されるならば、信号分離部４４０は、左フレーム画像を表示するための映像信号（以下、「Ｌ映像信号」と称される）と右フレーム画像を表示するための映像信号（以下、「Ｒ映像信号」と称される）とに入力された映像信号を分離する。２重モード映像信号が、信号分離部４４０に入力されるならば、第１映像を表示するための映像信号（以下、「第１映像信号」と称される）と第２映像を表示するための映像信号（以下、「第２映像信号」と称される）とに入力された映像信号を分離する。信号分離部４４０によって分離された映像信号は、信号処理部４５０及び制御信号生成部４６０に出力される。
【００４６】
信号処理部４５０は、信号分離部４４０によって分離された映像信号（Ｌ映像信号及びＲ映像信号又は第１映像信号及び第２映像信号）を、表示部４１０の表示形式に適合させるように処理する。例えば、信号処理部４５０は、表示部４１０の表示能力に応じた色域に、映像信号が規定する色域情報を変更する。信号処理部４５０は、映像の視聴時に妨げとなる残光を低減するための処理を実行してもよい。信号処理部４５０は、映像信号が規定するフレームレート（フィールド期間）を、表示部４１０の表示方式或いは表示能力に適した周波数に変更してもよい。信号処理部４５０によって処理された映像信号は、表示部４１０に出力される。
【００４７】
表示部４１０は、信号処理部４５０によって処理された映像信号を映像として表示する。信号処理部４５０が、Ｌ映像信号及びＲ映像信号を処理するならば、表示部４１０は、左フレーム画像と右フレーム画像とを交互に表示する。信号処理部４５０が、第１映像信号及び第２映像信号を処理するならば、表示部４１０は、第１映像と第２映像とを交互に表示する。
【００４８】
上述の如く、表示部４１０は、図１を参照して説明されたディスプレイパネル２１０に相当する。表示部４１０として、液晶ディスプレイパネル、プラズマディスプレイパネルや映像を表示することができる他の表示デバイスが例示される。
【００４９】
制御信号生成部４６０は、信号分離部４４０が分離した映像信号が含む情報に基づいて、表示装置２００に入力された映像信号が立体映像信号であるか、或いは、２重モード映像信号であるかを見極める。映像信号として立体映像信号が用いられているならば、制御信号生成部４６０は、眼鏡装置３００が第１補助動作を実行するための制御信号を生成する。映像信号として２重モード映像信号が用いられているならば、制御信号生成部４６０は、眼鏡装置３００が第２補助動作を実行するための制御信号を生成する。
【００５０】
視聴者が、例えば、チャンネルを変更するならば、表示装置２００に入力される映像信号は、立体映像信号から２重モード映像信号に、或いは、２重モード映像信号から立体映像信号に切り替わることもある。制御信号生成部４６０は、信号分離部４４０が分離した映像信号が含む情報に基づいて、これらの映像信号の種類の変更を見極めることができる。制御信号生成部４６０は、立体表示モードと２重表示モードとの切替に応じて、眼鏡装置３００の動作を停止させるための制御信号を生成する。これらの制御信号は、送信部４２０に出力される。制御信号生成部４６０は、停止させるための制御信号を生成した後、切り替わり後の映像信号に応じた制御信号を生成する。尚、これらの制御信号の構成は後述される。
【００５１】
送信部４２０は、制御信号生成部４６０が生成した制御信号を眼鏡装置３００に送信する。上述の如く、送信部４２０は、図１に関連して説明された送信素子２２０に相当する。本実施形態において、制御信号として、赤外線信号が用いられる。代替的に、制御信号は、無線信号や眼鏡装置３００の動作に必要とされる情報を伝達可能な他の信号であってもよい。上記のような構成により、表示装置２００が表示する映像の種類に応じて、眼鏡装置３００が追従して動作を自動的に切替えることが可能となる。これは、表示装置が表示する映像の種類を切替える際において、表示装置２００が表示する映像と眼鏡装置３００の動作の一致しないことによる、視聴者が好適でない映像視聴をする可能性を抑制する効果がある。
【００５２】
＜眼鏡装置の構成＞
図５は、眼鏡装置３００の機能構成を概略的に表すブロック図である。図１及び図５を用いて、眼鏡装置３００が説明される。
【００５３】
眼鏡装置３００は、受信部５３０、検出部５４０、解析部５５０、記憶部５６０、内部信号生成部５７０、光量制御部５８０、選択部５２０及び光量調整部５１０を備える。
【００５４】
受信部５３０は、図１を参照して説明された受信素子３３０に相当する。受信部５３０は、表示装置２００から送信された制御信号（赤外線信号）を受信する。受信部５３０は、その後、制御信号を電気信号に変換する。電気信号に変換された制御信号は、検出部５４０に出力される。
【００５５】
検出部５４０は、制御信号に含まれるコマンド信号（後述される）を検出する。尚、使用されるコマンド信号の種類は、表示装置２００と眼鏡装置３００との間で予め設定された通信プロトコルによって、前もって定められている。検出部５４０によって検出されたコマンド信号は、解析部５５０に出力される。検出部５４０は、通信プロトコルに規定されていない信号をノイズ信号として除去してもよい。
【００５６】
解析部５５０は、検出部５４０が出力したコマンド信号から眼鏡装置３００の制御（図１を参照して説明された左シャッタ３１１及び右シャッタ３１２の動作に対する制御）に必要な情報を解析する。解析部５５０は、例えば、コマンド信号の種類を識別する。加えて、解析部５５０は、コマンド信号の受信時刻を測定する。解析部５５０は、例えば、コマンド信号の受信時刻の情報を用いて、同一種のコマンド信号の受信間隔を算出してもよい。加えて、解析部５５０は、コマンド信号の受信時刻の情報を用いて、コマンド信号の種類の応じた受信順序に関する情報を取得してもよい。必要に応じて、解析部５５０は、眼鏡装置３００が実行している動作と受信されたコマンド信号とを対比し、眼鏡装置３００に要求されている動作を解析してもよい。解析部５５０が通信プロトコルに規定されていない情報を取得するならば、解析部５５０は検出部５４０から出力されたコマンド信号をノイズ信号として除去してもよい。解析部５５０によって取得された情報は、記憶部５６０に出力される。
【００５７】
記憶部５６０は、解析部５５０によって取得された様々な種類の情報（例えば、コマンド信号の種類及び受信時刻、同一種のコマンド信号の受信間隔、コマンド信号の種類に応じた受信順序に関する情報）を記憶する。記憶部５６０は、情報を記憶可能な様々なメモリ素子であってもよい。
【００５８】
選択部５２０は、図１を参照して説明されたスイッチ素子３２０に相当する。選択部５２０は、視聴者が第１映像を選択しているか、又は、第２映像を選択しているかに関する情報を内部信号生成部５７０に出力する。
【００５９】
内部信号生成部５７０は、記憶部５６０に記憶された情報を読み出す。内部信号生成部５７０は、読み出された情報に応じて、光量調整部５１０を動作させるための内部信号を生成する。内部信号は、光量制御部５８０に出力される。受信部５３０が、第２補助動作の実行を指示する制御信号を受信するならば、内部信号生成部５７０は、記憶部５６０に記憶された情報だけでなく、選択部５２０から出力された情報にも応じて、内部信号を生成する。一方、受信部５３０が、第１補助動作の実行を指示する制御信号を受信するならば、内部信号生成部５７０は、選択部５２０から出力された情報に依存することなく、記憶部５６０に記憶された情報に応じて、内部信号を生成する。
【００６０】
光量制御部５８０は、内部信号生成部５７０が生成した内部信号に応じて、光量調整部５１０を駆動するための駆動信号を生成する。駆動信号は、光量調整部５１０に出力される。
【００６１】
光量調整部５１０は、左眼へ到達する映像光の光量を調整する左調整部５１１と、右眼へ到達する映像光の光量を調整する右調整部５１２と、を備える。左調整部５１１は、図１を参照して説明された左シャッタ３１１に相当する。右調整部５１２は、図１を参照して説明された右シャッタ３１２に相当する。左シャッタ３１１及び右シャッタ３１２が、液晶を利用した液晶シャッタ素子であるならば、上述の光量制御部５８０は、液晶シャッタ素子の液晶を駆動する駆動回路であってもよい。
【００６２】
左調整部５１１及び右調整部５１２は、光量制御部５８０からの駆動信号に応じて動作する。上述の如く、受信部５３０が、第１補助動作の実行を指示する制御信号を受信するならば、光量制御部５８０は、光量調整部５１０に第１補助動作を実行させるための駆動信号を出力する。この結果、表示装置２００が左フレーム画像を表示しているならば、左調整部５１１は、左眼へ到達する映像光の光量を増大させる一方で、右調整部５１２は、右眼へ到達する映像光の光量を低減させる。表示装置２００が右フレーム画像を表示しているならば、左調整部５１１は、左眼へ到達する映像光の光量を低減させる一方で、右調整部５１２は、右眼へ到達する映像光の光量を低減させる。選択部５２０が、第１映像が選択されていることを内部信号生成部５７０に通知し、且つ、表示装置２００が第１映像を表示しているならば、左調整部５１１及び右調整部５１２は、両眼へ到達する映像光の光量を増大させる。一方、選択部５２０が、第１映像が選択されていることを内部信号生成部５７０に通知し、且つ、表示装置２００が第２映像を表示しているならば、左調整部５１１及び右調整部５１２は、両眼へ到達する映像光の光量を低減させる。選択部５２０が、第２映像が選択されていることを内部信号生成部５７０に通知し、且つ、表示装置２００が第２映像を表示しているならば、左調整部５１１及び右調整部５１２は、両眼へ到達する映像光の光量を増大させる。選択部５２０が、第２映像が選択されていることを内部信号生成部５７０に通知し、且つ、表示装置２００が第１映像を表示しているならば、左調整部５１１及び右調整部５１２は、両眼へ到達する映像光の光量を低減させる。
【００６３】
後述されるように、検出部５４０、解析部５５０、記憶部５６０、内部信号生成部５７０及び光量制御部５８０は、光量調整部５１０の様々な動作の制御に用いられる。本実施形態において、検出部５４０、解析部５５０、記憶部５６０、内部信号生成部５７０及び光量制御部５８０は、制御部として例示される。尚、制御部は、ＣＰＵといった情報処理素子を用いたソフトウェアプログラムとして実現されてもよい。
【００６４】
本実施形態において、受信部５３０が受信した制御信号に応じて、内部信号生成部５７０が光量調整部５１０の動作を規定する内部信号を生成している。代替的に、解析部は、検出部が検出したコマンド信号に応じて、光量調整部を直接的に制御してもよい。この場合、光量調整部は、受信部が受信した制御信号に応じて、直接的に制御されることとなる。
【００６５】
本実施形態において、選択部５２０は、内部信号生成部５７０に、視聴者が選択した映像の情報を出力する。受信部５３０が受信した制御信号が第２補助動作の実行を指示しているならば、内部信号生成部５７０は、選択部５２０からの情報に応じた内部信号を生成する。代替的に、選択部は、視聴者が選択した映像の情報を、光量制御部に出力してもよい。光量制御部は、内部信号生成部からの内部信号及び選択部からの選択情報に応じて、光量調整部を駆動させる駆動信号を生成並びに出力してもよい。
【００６６】
＜眼鏡装置の動作＞
上述の如く、眼鏡装置３００の光量調整部５１０は、表示装置２００から送信された制御信号に応じて、左眼及び右眼へ到達する映像光の光量を調整する。眼鏡装置３００が受信する制御信号は、光量調整部５１０に立体映像を視聴させるための第１補助動作を実行させるための信号、光量調整部５１０に第１映像又は第２映像を視聴させるための第２補助動作を実行させるための信号及び光量調整部５１０を停止させるための信号を含む。これらの信号のうち、第１補助動作又は第２補助動作を実行させるための信号は、表示装置２００の映像表示動作と光量調整部５１０の光量調整動作とを同期させるためのタイミング情報を通知する。したがって、第１補助動作を実行させるための制御信号及び第２補助動作を実行させるための制御信号は、以下の説明において、「タイミング信号」と称される。光量調整部５１０を停止させるための制御信号は、以下の説明において、「停止信号」と称される。
【００６７】
図６は、表示装置２００がタイミング信号を送信している間の眼鏡装置３００の動作モードの変化の概略図である。図３乃至図５を用いて、眼鏡装置３００の動作が説明される。
【００６８】
眼鏡装置３００の動作は、拘束モード、自走モード及び停止モードの間で推移する。
【００６９】
（拘束モード）
受信部５３０がタイミング信号を適切に受信しているならば、眼鏡装置３００は拘束モードで動作する。拘束モードにおいて、光量調整部５１０の動作はタイミング信号に拘束される。
【００７０】
立体表示モード下で動作する表示装置２００の制御信号生成部４６０は、左フレーム画像の視聴開始タイミングを通知するためのコマンド信号、左フレーム画像の視聴終了タイミングを通知するためのコマンド信号、右フレーム画像の視聴開始タイミングを通知するためのコマンド信号及び右フレーム画像の視聴終了タイミングを通知するためのコマンド信号を含むタイミング信号（以下、「第１タイミング信号」と称される）を生成する。眼鏡装置３００の光量調整部５１０は、これらの４種のコマンド信号を含む第１タイミング信号に応じて動作する。本実施形態において、第１タイミング信号は、第１制御信号として例示される。
【００７１】
左調整部５１１は、左フレーム画像の視聴開始タイミングを通知するためのコマンド信号によって規定された時刻に、左眼へ到達する映像光の光量を増大させる。以下の説明において、左フレーム画像の視聴開始タイミングを通知するためのコマンド信号は、「左増信号」と称される。左調整部５１１は、左フレーム画像の視聴終了タイミングを通知するためのコマンド信号によって規定された時刻に、左眼へ到達する映像光の光量を低減させる。以下の説明において、左フレーム画像の視聴終了タイミングを通知するためのコマンド信号は、「左減信号」と称される。右調整部５１２は、右フレーム画像の視聴開始タイミングを通知するためのコマンド信号によって規定された時刻に、右眼へ到達する映像光の光量を増大させる。以下の説明において、右フレーム画像の視聴開始タイミングを通知するためのコマンド信号は、「右増信号」と称される。右調整部５１２は、右フレーム画像の視聴終了タイミングを通知するためのコマンド信号によって規定された時刻に、右眼へ到達する映像光の光量を低減させる。以下の説明において、右フレーム画像の視聴終了タイミングを通知するためのコマンド信号は、「右減信号」と称される。
【００７２】
表示装置２００が、立体表示モード下で動作し、且つ、受信部５３０が第１タイミング信号を適切に受信しているならば、眼鏡装置３００の光量制御部５８０は、拘束モード下において、左増信号、左減信号、右増信号及び右減信号に応じて、左眼及び右眼に到達する映像光の光量の調整タイミングを決定し、光量調整部５１０に第１補助動作を実行させる。
【００７３】
２重表示モード下で動作する表示装置２００の制御信号生成部４６０は、第１映像の視聴開始タイミングを通知するためのコマンド信号と、第１映像の視聴終了タイミングを通知するためのコマンド信号と、を含むタイミング信号（以下、「第２タイミング信号」と称される）を生成する。眼鏡装置３００の選択部５２０が、視聴者によって第１映像が選択されたことを、内部信号生成部５７０に通知しているならば、内部信号生成部５７０は、これら２種類のコマンド信号に規定される時刻に光量調整部５１０が光量調整動作を行うように内部信号を生成する。眼鏡装置３００の選択部５２０が、視聴者によって第２映像が選択されたことを、内部信号生成部５７０に通知しているならば、内部信号生成部５７０は、これら２種類のコマンド信号の受信周期に対して、光量調整部５１０の光量調整動作が所定量の位相遅れを生ずるように内部信号を生成する。
【００７４】
本実施形態において、制御信号生成部４６０は、第１映像の視聴開始タイミングを通知するためのコマンド信号と、第１映像の視聴終了タイミングを通知するためのコマンド信号と、を含む第２タイミング信号を生成する。代替的に、制御信号生成部は、第２映像の視聴開始タイミングを通知するためのコマンド信号と、第２映像の視聴終了タイミングを通知するためのコマンド信号と、を含む第２タイミング信号を生成してもよい。尚、第２タイミング信号は、第２制御信号として例示される。また、制御信号生成部４６０は、信号生成部として例示される。
【００７５】
眼鏡装置３００の選択部５２０が、視聴者によって第１映像が選択されたことを、内部信号生成部５７０に通知しているならば、左調整部５１１及び右調整部５１２は、第１映像の視聴開始タイミングを通知するためのコマンド信号によって規定された時刻に、左眼及び右眼へ到達する光量をそれぞれ増大させる。以下の説明において、第１映像の視聴開始タイミングを通知するためのコマンド信号は、「増大信号」と称される。眼鏡装置３００の選択部５２０が、視聴者によって第２映像が選択されたことを、内部信号生成部５７０に通知しているならば、左調整部５１１及び右調整部５１２は、増大信号によって規定された時刻に対して、所定の位相遅れを以て、左眼及び右眼へ到達する光量をそれぞれ増大させる。
【００７６】
眼鏡装置３００の選択部５２０が、視聴者によって第１映像が選択されたことを、内部信号生成部５７０に通知しているならば、左調整部５１１及び右調整部５１２は、第１映像の視聴終了タイミングを通知するためのコマンド信号によって規定された時刻に、左眼及び右眼へ到達する光量をそれぞれ低減させる。以下の説明において、第１映像の視聴終了タイミングを通知するためのコマンド信号は、「低減信号」と称される。眼鏡装置３００の選択部５２０が、視聴者によって第２映像が選択されたことを、内部信号生成部５７０に通知しているならば、左調整部５１１及び右調整部５１２は、低減信号によって規定された時刻に対して、所定の位相遅れを以て、左眼及び右眼へ到達する光量をそれぞれ低減させる。
【００７７】
上述の如く、２重表示モード下において、２種類のコマンド信号が第２タイミング信号として利用される。眼鏡装置３００は、２種類のコマンド信号の受信周期に関する情報を用いて、第１映像又は第２映像の表示タイミングを判定する。したがって、少ない種類のコマンド信号を用いて、表示装置２００と眼鏡装置３００との間の同期制御が達成される。立体表示モード及び２重表示モードにおいて送信される様々なコマンド信号の構成は後述される。
【００７８】
（自走モード）
視聴者と表示装置２００との間を通過する障害物、ノイズや他の因子に起因して、表示装置２００と眼鏡装置３００との間の通信に不具合が生ずることがある。受信部５３０がタイミング信号を適切に受信しない不受信期間が開始されると、眼鏡装置３００は自走モードで動作する。自走モードにおいて、光量調整部５１０の動作は、不受信期間の開始前に適切に受信されたタイミング信号に基づく。
【００７９】
受信部５３０が適切に第１タイミング信号を受信している間、記憶部５６０には、左増信号、左減信号、右増信号及び右減信号の受信時刻に関する情報が順次格納される。受信部５３０が適切に第２タイミング信号を受信している間、記憶部５６０には、増加信号及び低減信号の受信時刻に関する情報が順次格納される。内部信号生成部５７０は、不受信期間が開始すると、記憶部５６０に記憶された受信時刻に基づき、内部信号を生成する。この結果、タイミング信号が適切に受信されなくとも、光量調整部５１０は光量調整動作を継続することができる。
【００８０】
（停止モード）
視聴者に対する安全性の観点及び／又は制御上の理由から、左調整部５１１及び右調整部５１２が左眼及び右眼へ到達する映像光の光量を増大させたまま停止する停止モードが設定される。上述の自走モードが長期間継続するならば、光量調整部５１０の光量調整動作と表示部４１０の表示動作との間での同期が維持されないこともある。このような不都合を回避するために、停止モードが設定される。停止モード下において、光量調整部５１０は光の透過を許容する状態を保持したまま停止する（即ち、左シャッタ３１１及び右シャッタ３１２は、開状態を保持したまま停止する）。したがって、視聴者は、眼鏡装置３００を装着したまま周囲を見渡すことができる。かくして、視聴者は安全に所望の動作を行うことができる。
【００８１】
（拘束モードと自走モードとの間での推移）
受信部５３０がタイミング信号を適切に受信している間、拘束モードでの動作が実行される。タイミング信号及び停止信号がともに受信されない受信期間が開始すると、拘束モードから自走モードへ眼鏡装置３００の動作が変更される。内部信号生成部５７０は、不受信期間の長さを計時してもよい。内部信号生成部５７０が測定した時間が、不受信期間に対して予め定められた閾値期間を超過する前に、受信部５３０がタイミング信号を適切に受信するならば、眼鏡装置３００は拘束モードで再度動作する。
【００８２】
（自走モードと停止モードとの間での推移）
内部信号生成部５７０が測定した時間が、不受信期間に対して予め定められた閾値期間、例えば、数分間を超過するならば、内部信号生成部５７０は、光量制御部５８０へ光量調整部５１０の光量調整動作を停止させるための内部信号を出力する。この結果、眼鏡装置３００の動作は、自走モードから停止モードへ変化する。眼鏡装置３００が長らく不受信の状態にあるので、眼鏡装置３００の動作の停止は、不必要な電力消費の削減に貢献する。
【００８３】
（停止モードと拘束モードとの間での推移）
停止モードの間、受信部５３０が第１タイミング信号を受信しているならば、左増信号、左減信号、右増信号及び右減信号の受信時刻に関する情報が記憶部５６０に順次格納される。停止モードの間、受信部５３０が第２タイミング信号を受信しているならば、左増信号、左減信号、右増信号及び右減信号の受信時刻に関する情報が記憶部５６０に順次格納される。記憶部５６０には、増加信号及び低減信号の受信時刻に関する情報が順次格納される。内部信号生成部５７０が左眼及び右眼への入射光量を増加させる増加期間のタイミングを決定するために十分な情報が記憶部５６０に格納されると、眼鏡装置３００の動作は、停止モードから拘束モードに移行する。
【００８４】
上述の如く、表示装置２００へ入力される映像信号が、立体映像信号から２重モード映像信号に切り替えられるならば、或いは、表示装置２００へ入力される映像信号が、２重モード映像信号から立体映像信号に切り替えられるならば、表示装置２００の制御信号生成部４６０は、停止信号を生成する。表示装置２００の送信部４２０は、その後、停止信号を眼鏡装置３００に送信する。
【００８５】
以下に、表示装置２００が停止信号を送信している間の眼鏡装置３００の動作モードの変化が説明される。尚、「不受信期間」との用語は、タイミング信号だけでなく停止信号もが適切に受信されない期間を意味する。なお、表示装置２００が停止信号を送信している間における自走モード（即ち、眼鏡装置３００の受信部５３０が適切に停止信号を受信していない間の自走モード）は、上述の自走モードと同様である。
【００８６】
拘束モードで動作する眼鏡装置３００の受信部５３０が停止信号を受信すると、眼鏡装置３００の動作は、拘束モードから停止モードへ移行する。上述の如く、停止信号の受信は、表示部４１０の表示モードの変更を意味する。表示モードの変更の結果、フレーム画像の表示タイミングは変動する。本実施形態において、停止信号の受信に伴って、光量調整部５１０の動作は停止するので、視聴者は、光量調整部５１０の開閉動作とフレーム画像の表示との間の非同期に起因するフリッカをほとんど知覚しない。
【００８７】
本実施形態において、表示装置２００の送信部４２０は、２重表示モードから立体表示モードへの切替に応じて、停止信号を所定回数繰り返し送信する。その後、送信部４２０は、第１タイミング信号を眼鏡装置３００に送信する。表示装置２００の送信部４２０は、立体表示モードから２重表示モードへの切替に応じて、停止信号を所定回数繰り返し送信する。その後、送信部４２０は、第２タイミング信号を眼鏡装置３００に送信する。
【００８８】
眼鏡装置３００の受信部５３０は、新たな表示モード下で送信されたタイミング信号を受信する。表示装置２００の表示モードが、２重表示モードから立体表示モードに切り替えられるならば、解析部５５０は、第１タイミング信号に基づき、左増信号、左減信号、右増信号及び右減信号の受信時刻に関する情報を取得し、記憶部５６０に記録する。表示装置２００の表示モードが立体表示モードから２重表示モードに切り替えられるならば、増大信号及び低減信号の受信時刻に関する情報を取得し、記憶部５６０に記録する。
【００８９】
内部信号生成部５７０は、停止信号の受信前に記憶部５６０に記録された制御情報を無視し、表示モードの切替後に受信部５３０によって受信された信号（第１タイミング信号又は第２タイミング信号）に基づき、内部信号を生成する。
【００９０】
内部信号生成部５７０は、複数の第１タイミング信号から得られた左増信号、左減信号、右増信号及び右減信号の受信時刻を平均化してもよい。内部信号生成部５７０は、平均化された左増信号及び左減信号の受信時刻に応じて、左調整部５１１が光量を増大するタイミングを決定してもよい。内部信号生成部５７０は、平均化された右増信号及び右減信号の受信時刻に応じて、右調整部５１２が光量を増大するタイミングを決定してもよい。内部信号生成部５７０は、平均化された増大信号及び低減信号の受信時刻に応じて、左調整部５１１及び右調整部５１２が光量を増大するタイミングを決定してもよい。
【００９１】
内部信号生成部５７０は、上述の平均化処理に従って決定されたタイミングの情報を含む内部信号を生成してもよい。停止モードは、内部信号生成部５７０が内部信号を生成するのに十分な情報を取得するまで継続する。内部信号生成部５７０が内部信号を生成し、光量調整部５１０を動作させると、眼鏡装置３００の動作は拘束モードに移る。
【００９２】
本実施形態において、立体映像信号から２重モード映像信号に切り替えられるならば、或いは、表示装置２００へ入力される映像信号が、２重モード映像信号から立体映像信号に切り替えられるならば、表示装置２００の制御信号生成部４６０は、停止信号を生成する。追加的に、制御信号生成部４６０は、表示される映像プログラムを切り替えるためのチャンネル変更があったときにも停止信号を生成してもよい。即ち、立体映像を視聴する視聴者が、映像プログラムを変更し、他の立体映像の表示を要求するならば、制御信号生成部４６０は、停止信号を生成する。或いは、２重表示モード下で表示される映像を視聴する視聴者が、映像プログラムを変更し、２重表示モード下で表示される他の映像の表示を要求するならば、制御信号生成部４６０は、停止信号を生成する。代替的に、信号分離部４４０によって分離された映像信号が規定する映像の表示周期が大きく変化したとき、制御信号生成部４６０は、停止信号を生成してもよい。
【００９３】
上述の如く、拘束モードにおいて、光量調整部５１０の動作周波数は有限値である。眼鏡装置３００は、第１タイミング信号又は第２タイミング信号に含まれるコマンド信号の組を連続的に受信する。この結果、眼鏡装置３００の光量調整部５１０は、コマンド信号の組に規定されるフレーム周波数に拘束され、光量調整動作を実行する。したがって、視聴者は、立体映像、第１映像又は第２映像を適切に観察することができる。第１タイミング信号又は第２タイミング信号に含まれるコマンド信号の組が適切に受信されない場合や光量調整部５１０の動作周波数が変動した場合、眼鏡装置３００は自走モードに入る。この結果、眼鏡装置３００は、光量調整部５１０の光量調整動作を継続することができる。眼鏡装置３００の受信部５３０が繰り返し停止信号を受信するならば、内部信号生成部５７０は、停止信号に応じた内部信号を生成する。この結果、光量制御部５８０は、光量調整部５１０を停止させるための駆動信号を生成し、眼鏡装置３００の動作を強制的に停止モードにする。停止モードの間、光量調整部５１０は左眼及び右眼への透過光量を増大させたまま停止する（即ち、左シャッタ３１１及び右シャッタ３１２は、開状態を保持したまま停止する）。
【００９４】
停止モードにおいて、眼鏡装置３００の動作周波数は無限値であり、光量調整部５１０は停止される。視聴者の安全性を確保するために、光量調整動作が停止されるならば、光量調整部５１０は、増大された透過光量を維持する。この結果、視聴者は、光量調整部５１０に妨げられることなく、周囲空間を見渡すことができる。尚、眼鏡装置３００が停止信号を受信し続ける限り、光量調整部５１０は増大された透過光量を維持する。停止モードにある眼鏡装置３００が第１タイミング信号又は第２タイミング信号に含まれるコマンド信号の組を受信するならば、眼鏡装置３００は、コマンド信号の組の受信時刻から所定期間経過後に拘束モードに移る。この結果、眼鏡装置３００は、所定の動作周波数（有限値）で光量調整部５１０を動作させる。なお、停止信号の受信に応じて光量調整部５１０が増大された透過光量を許容したまま停止し、且つ、第１タイミング信号又は第２タイミング信号が所定の期間、受信されないならば、停止信号の受信なしに、眼鏡装置３００の光量調整部５１０は、停止し続け、増大された透過光量を維持してもよい。
【００９５】
上述の如く、第１タイミング信号又は第２タイミング信号に含まれるコマンド信号の組が適切に受信されないならば、自走モードが、開始される。自走モードにある眼鏡装置３００は、先行して受信されたコマンド信号の組に従って、光量調整部５１０の光量調整動作を継続する。自走モードの動作周波数は、少なくとも数秒維持される。自走モードの眼鏡装置３００がコマンド信号の組を再度受信し、且つ、再度受信したコマンド信号の組に規定される動作周波数が維持されているならば、眼鏡装置３００は、拘束モードで動作する。或いは、自走モードの眼鏡装置３００がコマンド信号の組を再度受信し、且つ、再度受信したコマンド信号の組に規定される動作周波数が新たに設定されるならば、眼鏡装置３００は、拘束モードで動作する。自走モードの開始から、所定期間、第１タイミング信号又は第２タイミング信号が受信されないならば、眼鏡装置３００は、自走モードから停止モードに移る。
【００９６】
＜コマンド信号＞
図７は、表示装置２００と眼鏡装置３００との間の通信プロトコルによって規定されたコマンド信号ＣＳの概略図である。図４、図５及び図７を用いて、コマンド信号ＣＳが説明される。
【００９７】
コマンド信号ＣＳは、一定の周波数で送信されるパルス信号からなる。図７には、パルス信号がオンとなる６つのパルス位置ＰＬ１乃至ＰＬ６が示されている。本実施形態において、オンとオフとの間のデューティサイクルは、５０％である。
【００９８】
本実施形態において、パルス位置ＰＬ１におけるパルス信号はオンに設定され、当該パルス信号の立上縁ＵＥは、コマンド信号の受信時刻の参照位置として処理される。また、パルス位置ＰＬ６におけるパルス信号もオンに設定される。眼鏡装置３００は、パルス位置ＰＬ６のオン信号を参照し、コマンド信号ＣＳの終端を検出する。
【００９９】
パルス位置ＰＬ１とパルス位置ＰＬ６との間のパルス位置ＰＬ２乃至ＰＬ５におけるオン・オフの設定に基づき、眼鏡装置３００の解析部５５０は、コマンド信号が表す制御内容を解釈する。
【０１００】
図８Ａ乃至図８Ｆは、様々なコマンド信号ＣＳを示す。図４、図５、図７乃至図８Ｆを用いて、コマンド信号ＣＳが更に説明される。
【０１０１】
本実施形態のうち、１つのコマンド信号ＣＳ中において、オンに設定されるパルス信号の数は、４つである。
【０１０２】
図８Ａに示されるコマンド信号ＣＳは、パルス位置ＰＬ１、ＰＬ３、ＰＬ４、ＰＬ６にそれぞれ対応するパルス信号Ｐ１、Ｐ３、Ｐ４、Ｐ６がオンに設定されている。図８Ａ中の表記「２Ｄｈ」は、図８Ａのコマンド信号ＣＳのパルス信号のオン・オフのパターンに対応する１６進数を意味する。
【０１０３】
図８Ｂに示されるコマンド信号ＣＳは、パルス位置ＰＬ１、ＰＬ２、ＰＬ５、ＰＬ６にそれぞれ対応するパルス信号Ｐ１、Ｐ２、Ｐ５、Ｐ６がオンに設定されている。図８Ｂ中の表記「３３ｈ」は、図８Ｂのコマンド信号ＣＳのパルス信号のオン・オフのパターンに対応する１６進数を意味する。
【０１０４】
図８Ｃに示されるコマンド信号ＣＳは、パルス位置ＰＬ１、ＰＬ２、ＰＬ４、ＰＬ６にそれぞれ対応するパルス信号Ｐ１、Ｐ２、Ｐ４、Ｐ６がオンに設定されている。図８Ｃ中の表記「３５ｈ」は、図８Ｃのコマンド信号ＣＳのパルス信号のオン・オフのパターンに対応する１６進数を意味する。
【０１０５】
図８Ｄに示されるコマンド信号ＣＳは、パルス位置ＰＬ１、ＰＬ３、ＰＬ５、ＰＬ６にそれぞれ対応するパルス信号Ｐ１、Ｐ３、Ｐ５、Ｐ６がオンに設定されている。図８Ｄ中の表記「２Ｂｈ」は、図８Ｄのコマンド信号ＣＳのパルス信号のオン・オフのパターンに対応する１６進数を意味する。
【０１０６】
図８Ｅに示されるコマンド信号ＣＳは、パルス位置ＰＬ１、ＰＬ２、ＰＬ３、ＰＬ６にそれぞれ対応するパルス信号Ｐ１、Ｐ２、Ｐ３、Ｐ６がオンに設定されている。図８Ｅ中の表記「３９ｈ」は、図８Ｅのコマンド信号ＣＳのパルス信号のオン・オフのパターンに対応する１６進数を意味する。
【０１０７】
図８Ｆに示されるコマンド信号ＣＳは、パルス位置ＰＬ１、ＰＬ４、ＰＬ５、ＰＬ６にそれぞれ対応するパルス信号Ｐ１、Ｐ４、Ｐ５、Ｐ６がオンに設定されている。図８Ｆ中の表記「２７ｈ」は、図８Ｆのコマンド信号ＣＳのパルス信号のオン・オフのパターンに対応する１６進数を意味する。
【０１０８】
表示装置２００と眼鏡装置３００との間の通信プロトコルにおいて、図８Ａ乃至図８Ｆに示されるオン・オフのパターンの信号のみが通信されると規定され、且つ、受信部５３０が図８Ａ乃至図８Ｆに示されていないパターンの信号を受信するならば、検出部５４０又は解析部５５０は、受信部５３０が受信した信号をノイズ信号として処理することができる。受信部５３０が図８Ａ乃至図８Ｆに示されたパターンの信号を受信するならば、解析部５５０は、受信部５３０が受信した信号の受信時刻や光量調整部５１０の制御に必要な他の情報を記憶部５６０に記録する。
【０１０９】
上述の如く、コマンド信号は、オンに設定された４つのパルスを含むパルス列である。パルス列は、１番目のパルス（パルス位置ＰＬ１）及び６番目のパルス（パルス位置ＰＬ６）を含む。１番目のパルスと６番目のパルスとの間でのオン・オフのパターンに応じて、コマンド信号の種類が判定される。
【０１１０】
＜コマンド信号のパターン＞
上述の眼鏡装置３００の動作モードを実現するために、４つのパターンのコマンド信号の組（以下の説明において、「コマンドセット」と称される）が用意される。コマンドセットは、２又は４のパルスコマンドからなる。コマンドセットを受信すると、眼鏡装置３００は、動作モードを決定する。上述の「２Ｄｈ」のパルスパターンを有する信号は、コマンドセットのうち最初に送信されたコマンド信号として取り扱われる。「２Ｄｈ」のパルスパターンを有する信号は、４種のコマンドセットの中で共通して用いられる。「２Ｄｈ」のパルスパターンを有する信号の参照時刻（上述の立上縁ＵＥ）を基準に、光量調整部５１０は光量調整動作を行う。４つのコマンドセットが以下に示される。
【０１１１】
＜立体表示モードにおけるコマンドセットＡ＞
コマンドセットＡは、パルスパターン「２Ｄｈ」、「３３ｈ」、「３５ｈ」及び「２Ｂｈ」のコマンド信号を含む。
【０１１２】
＜立体表示モードにおけるコマンドセットＢ＞
コマンドセットＢは、パルスパターン「２Ｄｈ」、「２Ｂｈ」、「３５ｈ」及び「３３ｈ」のコマンド信号を含む。
【０１１３】
＜２重表示モードにおけるコマンドセット＞
２重表示モードにおけるコマンドセットは、「２Ｄｈ」及び「２７ｈ」のコマンド信号を含む。
【０１１４】
＜停止モードにおけるコマンドセット＞
停止モードにおけるコマンドセットは、「２Ｄｈ」及び「３９ｈ」のコマンド信号を含む。
【０１１５】
表示装置２００の送信部４２０は、表示装置２００に入力される映像信号によって規定される表示モード或いは表示モードの切替に応じて、「立体表示モードにおけるコマンドセットＡ」、「立体表示モードにおけるコマンドセットＢ」、「２重表示モードにおけるコマンドセット」及び「停止モードにおけるコマンドセット」を選択的に送信する。
【０１１６】
上述の如く、「２Ｄｈ」のパルスパターンを有するコマンド信号は、立体表示モード、２重表示モード及び停止モードにおいて送信される制御信号に共通して用いられる。本実施形態において、「２Ｄｈ」のパルスパターンを有するコマンド信号は、共通コマンド信号として、例示される。
【０１１７】
立体表示モード下で動作する表示装置２００の制御信号生成部４６０は、「２Ｄｈ」のパルスパターンを有するコマンド信号を含む４種のコマンド信号を有する第１タイミング信号を生成する。眼鏡装置３００の解析部５５０が、制御信号が上述の４種のコマンド信号を含むと判定するならば、光量調整部５１０は、光量制御部５８０の制御下で、第１補助動作を実行する。
【０１１８】
２重表示モード下で動作する表示装置２００の制御信号生成部４６０は、「２Ｄｈ」のパルスパターンを有するコマンド信号と、「２７ｈ」のパルスパターンを有するコマンド信号と、を含む第２タイミング信号を生成する。「２７ｈ」のパルスパターンを有するコマンド信号は、立体表示モード下で生成される第１タイミング信号が含む４種のコマンド信号とは異なる。眼鏡装置３００の解析部５５０が、制御信号が「２７ｈ」のパルスパターンを有するコマンド信号を含むと判定するならば、光量調整部５１０は、光量制御部５８０の制御下で、第２補助動作を実行する。本実施形態において、「２７ｈ」のパルスパターンを有するコマンド信号は、第１非共通コマンド信号として例示される。
【０１１９】
上述の如く、表示装置２００の表示モードが切り替えられるならば、制御信号生成部４６０は、立体映像を補助する第１補助動作、或いは、第１映像又は第２映像の視聴を補助する第２補助動作を実行する眼鏡装置３００を停止させるための停止信号を生成する。停止信号は、「２Ｄｈ」のパルスパターンを有するコマンド信号と、「３９ｈ」のパルスパターンを有するコマンド信号と、を含む停止信号を生成する。「３９ｈ」のパルスパターンを有するコマンド信号は、立体表示モード下で生成される第１タイミング信号が含む４種のコマンド信号及び第２タイミング信号が含む２種のコマンド信号とは異なる。
【０１２０】
表示装置２００の表示モードが切り替えられると、眼鏡装置３００の受信部５３０は、「２Ｄｈ」のパルスパターンを有するコマンド信号と、「３９ｈ」のパルスパターンを有するコマンド信号と、を含む停止信号を受信する。眼鏡装置３００の解析部５５０が、制御信号が「２Ｄｈ」のパルスパターンを有するコマンド信号と、「３９ｈ」のパルスパターンを有するコマンド信号と、を含むと判定するならば、光量調整部５１０は、光量制御部５８０の制御下で停止し、増大された透過光量を維持する。本実施形態において、「３９ｈ」のパルスパターンを有するコマンド信号は、第２非共通信号として例示される。
【０１２１】
＜立体表示モードにおける眼鏡装置の動作＞
図９及び図１０は、立体表示モードにおける眼鏡装置３００の動作を示す概略的なタイミングチャートである。図１、図４、図５並びに図８Ａ乃至図１０を用いて、立体表示モードにおける眼鏡装置３００の動作が説明される。
【０１２２】
図９及び図１０のセクション（ａ）は、表示装置２００の表示部４１０が表示するフレーム画像を示す。立体表示モード下において、表示装置２００の表示部４１０は、左フレーム画像及び右フレーム画像を交互に表示する。
【０１２３】
図９及び図１０のセクション（ｂ）は、眼鏡装置３００の受信部５３０が受信したコマンド信号を示す。図９及び図１０のセクション（ｃ）は、左眼への入射光量の変化を表す。図９及び図１０のセクション（ｄ）は、右眼への入射光量の変化を表す。
【０１２４】
本実施形態において、１６進数「２Ｄｈ」で表されるパルスのオン・オフのパターン（以下、パルスパターンと称される）を有するコマンド信号ＣＳは、左フレーム画像の視聴開始タイミングを通知するための左増信号ＬＯとして用いられる。１６進数「３３ｈ」で表されるパルスパターンのコマンド信号ＣＳは、左フレーム画像の視聴終了タイミングを通知するための左減信号ＬＣとして用いられる。１６進数「３５ｈ」で表されるパルスパターンのコマンド信号ＣＳは、右フレーム画像の視聴開始タイミングを通知するための右増信号ＲＯとして用いられる。１６進数「２Ｂｈ」で表されるパルスパターンのコマンド信号ＣＳは、右フレーム画像の視聴終了タイミングを通知するための右減信号ＲＣとして用いられる。本実施形態において、第１タイミング信号の共通コマンド信号（パルスパターン：「２Ｄｈ」）は、左フレーム画像の視聴開始タイミングを通知する。代替的に、第１タイミング信号の共通コマンド信号は、右フレーム画像の視聴開始タイミングを通知してもよい。
【０１２５】
図９及び図１０のセクション（ｃ）に示される如く、左調整部５１１は、左増信号ＬＯの受信に応じて、左増信号ＬＯの受信時刻に左眼への入射光量を増大させる。また、左調整部５１１は、左減信号ＬＣの受信に応じて、左減信号ＬＣの受信時刻に左眼への入射光量が低減させる。
【０１２６】
図９及び図１０のセクション（ｄ）に示される如く、右調整部５１２は、右増信号ＲＯの受信に応じて、右増信号ＲＯの受信時刻に右眼への入射光量を増大させる。また、右調整部５１２は、右減信号ＲＣの受信に応じて、右減信号ＲＣの受信時刻に右眼への入射光量を減少させる。
【０１２７】
眼鏡装置３００の解析部５５０は、共通コマンド信号（パルスパターン：「２Ｄｈ」）を基準に制御信号から様々な情報を取得する。解析部５５０が、共通コマンド信号の周期内において、４種のコマンド信号（パルスパターン：「２Ｄｈ」、「３３ｈ」、「３５ｈ」及び「２Ｂｈ」）を見出すならば、解析部５５０は、光量調整部５１０に第１補助動作を実行させることを決定する。
【０１２８】
解析部５５０は、コマンド信号ＣＳの種類の数だけでなく、コマンド信号ＣＳの受信順序に基づく情報の解析も実行する。解析部５５０は、左増信号ＬＯを受信してから、次の左増信号ＬＯを受信するまでに受信部５３０が受信した信号を１つの信号群として取り扱い、コマンド信号ＣＳの受信順序を判定する。例えば、図９に示されるコマンド信号ＣＳの受信順序は、左増信号ＬＯ、左減信号ＬＣ、右増信号ＲＯ、右減信号ＲＣの順である。図１０に示されるコマンド信号ＣＳの受信順序は、左増信号ＬＯ、右減信号ＲＣ、右増信号ＲＯ、左減信号ＬＣの順である。
【０１２９】
図９及び図１０のセクション（ｃ）及びセクション（ｄ）に示される如く、光量調整部５１０は、コマンド信号ＣＳの受信順序に応じて、左眼及び右眼に対する入射光量を変動させる。
【０１３０】
上述の如く、受信部５３０がパルスパターン「２Ｄｈ」、「３３ｈ」、「３５ｈ」及び「２Ｂｈ」のコマンド信号を順次周期的に受信する場合、又は、受信部５３０がパルスパターン「２Ｄｈ」、「２Ｂｈ」、「３５ｈ」及び「３３ｈ」のコマンド信号を順次周期的に受信する場合、眼鏡装置３００は、表示装置２００が立体表示モードで映像を表示していると判断する。受信されたコマンド信号のパルスパターンが「２Ｄｈ」、「３３ｈ」、「３５ｈ」及び「２Ｂｈ」の順であるならば、眼鏡装置３００は、図９に関連して説明された動作モードで光量調整部５１０が動作することを決定する。受信されたコマンド信号のパルスパターンが「２Ｄｈ」、「２Ｂｈ」、「３５ｈ」及び「３３ｈ」であるならば、図１０に関連して説明された動作モードで光量調整部５１０が動作することが決定される。
【０１３１】
眼鏡装置３００の左調整部５１１は、パルスパターン「２Ｄｈ」の最初のパルス信号Ｐ１の立上縁の受信時刻に左眼への入射光量の増加を開始する（即ち、左シャッタ３１１が開く）。眼鏡装置３００の左調整部５１１は、パルスパターン「３３ｈ」の最初のパルス信号Ｐ１の立上縁の受信時刻に左眼への入射光量の低減を開始する（即ち、左シャッタ３１１が閉じる）。尚、左調整部５１１は、パルスパターン「３３ｈ」の最初のパルス信号Ｐ１の立上縁の受信時刻から所定時間で所定の透過率（例えば、５０％）に到達するように入射光量の低減調整を実行することが好ましい。眼鏡装置３００の右調整部５１２は、パルスパターン「３５ｈ」の最初のパルス信号Ｐ１の立上縁の受信時刻に右眼への入射光量の増加を開始する（即ち、右シャッタ３１２が開く）。眼鏡装置３００の右調整部５１２は、パルスパターン「２Ｂｈ」の最初のパルス信号Ｐ１の立上縁の受信時刻に右眼への入射光量の低減を開始する（即ち、右シャッタ３１２が閉じる）。尚、右調整部５１２は、パルスパターン「３５ｈ」の最初のパルス信号Ｐ１の立上縁の受信時刻から所定時間で所定の透過率（例えば、５０％）に到達するように入射光量の低減調整を実行することが好ましい。
【０１３２】
＜２重表示モードにおける眼鏡装置の動作＞
図１１は、第１映像を選択した視聴者の眼鏡装置３００の動作を概略的に示すタイミングチャートである。図１２は、第２映像を選択した視聴者の眼鏡装置３００の動作を概略的に示すタイミングチャートである。図１、図４、図５、図１１及び図１２を用いて、２重表示モード下での眼鏡装置３００の動作が説明される。
【０１３３】
図１１及び図１２のセクション（ａ）は、２重表示モード下において表示装置２００の表示部４１０が表示するフレーム画像を示す。表示部４１０は、第１映像のフレーム画像及び第２映像のフレーム画像を交互に表示する。
【０１３４】
図１１及び図１２のセクション（ｂ）は、眼鏡装置３００の受信部５３０が受信したコマンド信号を示す。図１１及び図１２のセクション（ｃ）は、左眼への入射光量の変化を表す。図１１及び図１２のセクション（ｄ）は、右眼への入射光量の変化を表す。
【０１３５】
２重表示モードにおいて、表示装置２００の送信部４２０は、１６進数「２Ｄｈ」で表されるパルスパターンを有するコマンド信号ＣＳと、１６進数「２７ｈ」で表されるパルスパターンを有するコマンド信号ＣＳと、を制御信号として送信する。１６進数「２Ｄｈ」で表されるパルスパターンを有するコマンド信号ＣＳは、第１映像の視聴開始タイミングを通知する増大信号として用いられる。１６進数「２７ｈ」で表されるパルスパターンを有するコマンド信号ＣＳは、第１映像の視聴終了タイミングを通知する低減信号として用いられる。尚、光量調整部５１０は、パルスパターン「２７ｈ」の最初のパルス信号Ｐ１の立上縁の受信時刻から所定時間で所定の透過率（例えば、５０％）に到達するように入射光量の低減調整を実行することが好ましい。
【０１３６】
本実施形態において、第２タイミング信号の共通コマンド信号（パルスパターン：「２Ｄｈ」）は、第１映像の視聴開始タイミングを通知する増大信号として用いられる。代替的に、第２タイミング信号の共通コマンド信号は、第２映像の視聴開始タイミングを通知してもよい。
【０１３７】
眼鏡装置３００の解析部５５０は、共通コマンド信号（パルスパターン：「２Ｄｈ」）を基準に制御信号から様々な情報を取得する。解析部５５０が、共通コマンド信号の周期内において、１６進数「２７ｈ」で表されるパルスパターンを有するコマンド信号ＣＳを見出すならば、解析部５５０は、光量調整部５１０に第２補助動作を実行させることを決定する。
【０１３８】
図５を参照して説明された如く、内部信号生成部５７０は、解析部５５０によって取得された情報だけでなく、選択部５２０から出力された情報（第１映像が選択されているか、第２映像が選択されているかを表す情報）に応じて、内部信号を生成する。選択部５２０からの情報が、視聴者が第１映像を選択していることを表すならば、内部信号生成部５７０は、１６進数「２Ｄｈ」で表されるパルスパターンを有するコマンド信号ＣＳの受信時刻に、左調整部５１１及び右調整部５１２が両眼への入射光量を増大させることを決定する内部信号を生成する。加えて、選択部５２０からの情報が、視聴者が第１映像を選択していることを表すならば、１６進数「２７ｈ」で表されるパルスパターンを有するコマンド信号ＣＳの受信時刻に、左調整部５１１及び右調整部５１２が両眼への入射光量を低減させることを決定する内部信号を生成する。
【０１３９】
内部信号生成部５７０は、解析部５５０が記憶部５６０に記憶させた情報を用いて、共通コマンド信号（パルスパターン：「２Ｄｈ」）の受信周期を判定する。選択部５２０からの情報が、視聴者が第２映像を選択していることを表すならば、内部信号生成部５７０は、１６進数「２Ｄｈ」で表されるパルスパターンを有するコマンド信号ＣＳの受信時刻に対して「１８０°」だけ位相が遅れた時刻（即ち、半周期だけ遅れた時刻）に左調整部５１１及び右調整部５１２が両眼への入射光量を増大させることを決定する内部信号を生成する。加えて、選択部５２０からの情報が、視聴者が第２映像を選択していることを表すならば、内部信号生成部５７０は、１６進数「２７ｈ」で表されるパルスパターンを有するコマンド信号ＣＳの受信時刻に対して「１８０°」だけ位相が遅れた時刻（即ち、半周期だけ遅れた時刻）に左調整部５１１及び右調整部５１２が両眼への入射光量を低減させることを決定する内部信号を生成する。
【０１４０】
図１１のセクション（ｃ）及び（ｄ）に示される如く、視聴者が選択部５２０を用いて第１映像を選択するならば、光量調整部５１０は、光量制御部５８０の制御下で、共通コマンド信号（パルスパターン：「２Ｄｈ」）の受信時刻と、当該共通コマンド信号の次に受信された第１非共通コマンド信号（パルスパターン：「２７ｈ」）の受信時刻との間で、左眼及び右眼への入射光量を増大させる。その後、共通コマンド信号（パルスパターン：「２Ｄｈ」）が再度受信されるまでの間、光量調整部５１０は、光量制御部５８０の制御下で、左眼及び右眼への入射光量を低減させる。
【０１４１】
視聴者が選択部５２０を用いて第２映像を選択するならば、光量調整部５１０は、第１非共通コマンド信号（パルスパターン：「２７ｈ」）の受信時刻と当該第１非共通コマンド信号の次に受信された共通コマンド信号（パルスパターン：「２Ｄｈ」）の受信時刻とによって定められる期間内に左眼及び右眼への入射光量を増大させる。その後、第１非共通コマンド信号（パルスパターン：「２７ｈ」）が再度受信されるまでの間、光量調整部５１０は、左眼及び右眼への入射光量を低減させる。
【０１４２】
＜表示モードへの切替の動作＞
立体表示モードから２重表示モードへの切替時における表示装置２００及び眼鏡装置３００の動作が説明される。尚、以下の切替時における動作に関連する説明は、２重表示モードから立体表示モードへの切替時の動作に対しても同様に適用される。例えば、視聴者が映画のコンテンツから映画以外のコンテンツへ映像を切り替えたときや視聴者が表示装置２００によって表示される番組のチャンネルを変更したときには、表示装置２００によるフレーム画像の表示の周波数や位相が変動する。本実施形態において、表示モードの変更にともなう停止信号の通信の結果、表示モードの変更の間のフリッカが防止される。
【０１４３】
図１３は、立体表示モードから２重表示モードへの表示モードの切替が生じたときに送信される停止信号を表すタイミングチャートである。図１、図４、図５、図１１乃至図１３を用いて、停止信号が説明される。
【０１４４】
図１３のセクション（ａ）は、表示モードの切替前において表示部４１０が表示するフレーム画像のタイミングを表す。図１３のセクション（ｃ）は、表示モードの切替後において表示部４１０が表示するフレーム画像を表す。図１３のセクション（ａ）及びセクション（ｃ）に示される如く、表示モードの切替に伴って、フレーム画像の表示タイミングは変動する。
【０１４５】
図１３のセクション（ｂ）は、表示モードの切替に伴って送受信される停止信号を示す。表示モードが切り替えられると、表示装置２００の送信部４２０は、１６進数「２Ｄｈ」で表されるパルスパターンを有するコマンド信号ＣＳと、１６進数「３９ｈ」で表されるパルスパターンを有するコマンド信号ＣＳと、を送信する。眼鏡装置３００の受信部５３０が受信した信号のパルスパターンが、「２Ｄｈ」と「３９ｈ」との組み合わせであるとき、解析部５５０は、停止信号が送信されていると判定する。上述の如く、パルスパターン「３９ｈ」のコマンド信号ＣＳは、立体表示モード及び２重表示モードにおいて用いられていない。一方で、パルスパターン「２Ｄｈ」のコマンド信号ＣＳは、立体表示モード及び２重表示モードにおいて、用いられている信号である。
【０１４６】
眼鏡装置３００の解析部５５０は、「２Ｄｈ」のパルスパターンを有するコマンド信号に引き続き、「３９ｈ」のパルスパターンを有するコマンド信号が受信されると、光量調整部５１０は、左眼及び右眼への増大された入射光量を維持しつづけるべきと解釈する（即ち、左シャッタ３１１及び右シャッタ３１２が開状態を維持したまま停止する）。
【０１４７】
本実施形態において、表示装置２００の送信部４２０は、例えば、５回以上、停止信号を送信する。受信部５３０が停止信号を、例えば、５回受信すると、眼鏡装置３００の解析部５５０は、光量調整部５１０が左眼及び右眼へ到達する光量を維持させたまま停止すべきと解釈する。この結果、眼鏡装置３００の動作は、ノイズ信号に対して影響を受けにくくなる。
【０１４８】
表示装置２００の送信部４２０は、その後、２重表示モードに合わせたコマンド信号ＣＳを送信する（図１１及び図１２参照）。眼鏡装置３００の解析部５５０は、受信部５３０が第２タイミング信号を、例えば、５回受信すると、２重表示モードに合わせた光量調整部５１０の開閉動作を実行するべきと解釈する。
【０１４９】
図１４は、立体表示モードから２重表示モードへの表示モードの切替に伴うコマンド信号ＣＳの送信パターンの変動を概略的に示すタイミングチャートである。図４、図５、図９、図１３及び図１４を用いて、コマンド信号ＣＳの送信パターンの変動が説明される。
【０１５０】
図９に関連して説明された如く、立体表示モードの間、「２Ｄｈ」のパルスパターンを有するコマンド信号ＣＳは、左増信号ＬＯとして、動作周波数に対応する所定の周期「Ｔ」で順次送信される。「３３ｈ」のパルスパターンを有するコマンド信号ＣＳは、左減信号ＬＣとして、動作周波数に対応する所定の周期「Ｔ」で順次送信される。「３５ｈ」のパルスパターンを有するコマンド信号ＣＳは、右増信号ＲＯとして、動作周波数に対応する所定の周期「Ｔ」で順次送信される。「２Ｂｈ」のパルスパターンを有するコマンド信号ＣＳは、右減信号ＲＣとして、動作周波数に対応する所定の周期「Ｔ」で順次送信される。
【０１５１】
図１３を参照して説明された如く、立体表示モードから２重表示モードへ切り替えられると、停止信号が送信される。「２Ｄｈ」のパルスパターンを有する停止信号のコマンド信号ＣＳは、直前の左増信号ＬＯとして送信された「２Ｄｈ」のパルスパターンのコマンド信号から、周期「Ｔ」後に送信される。「３９ｈ」のパルスパターンを有する停止信号のコマンド信号ＣＳは、直前の右増信号ＲＯとして送信された「３５ｈ」のパルスパターンのコマンド信号から、周期「Ｔ」後に送信される。
【０１５２】
表示装置２００の送信部４２０及び／又は制御信号生成部４６０は、停止信号のコマンド信号ＣＳの周期的な送信パターンを、立体表示モードの間送信される第１タイミング信号のコマンド信号ＣＳの周期的な送信に適合させる。上述の如く、「２Ｄｈ」のパルスパターンを有する停止信号のコマンド信号ＣＳは、第１タイミング信号と停止信号とに利用され、且つ、第１タイミング信号と停止信号との間で、「２Ｄｈ」のパルスパターンを有するコマンド信号の送信タイミングは略一定であるので、眼鏡装置３００は、受信部５３０が受信した「２Ｄｈ」のパルスパターンを有する信号がノイズ信号であるか否かを適切に判断することができる。「２Ｄｈ」のパルスパターンを有するコマンド信号の後に送信された「３９ｈ」のパルスパターンを有するコマンド信号ＣＳの送信タイミングも、立体表示モードの間に送信された第１タイミング信号のコマンド信号ＣＳのうちの１つ（本実施形態において、「３５ｈ」のパルスパターンを有するコマンド信号ＣＳ）の送信タイミングと一致しているので、眼鏡装置３００の解析部５５０は、「３９ｈ」のパルスパターンを有するコマンド信号ＣＳの受信タイミングと立体表示モードの間に受信されたコマンド信号ＣＳの受信タイミングとを比較し、同様に、ノイズ判定を行うことができる。
【０１５３】
解析部５５０は、上述のノイズ判定の下、適切に受信された停止信号に関連する制御データを記憶部５６０に記憶する。内部信号生成部５７０は、記憶部５６０内の停止信号に関連する制御データに基づき、光量調整部５１０の動作を停止する。この結果、光量調整部５１０は、左眼及び右眼へ入射する光量を増大させたまま停止する。
【０１５４】
その後、２重表示モードにおけるフレーム画像の表示に合わせて、表示装置２００の送信部４２０は、第２タイミング信号を送信する。解析部５５０は、２重表示モードにおいて送信された第２タイミング信号に関連する制御データを記憶部５６０に記録する。内部信号生成部５７０は、停止信号を受信する前に記憶部５６０に記録された制御データを用いることなく、新たに記録された第２タイミング信号に基づいて、内部信号を生成する。この結果、光量調整部５１０の再度の光量調整動作は、２重表示モードにおけるフレーム画像の表示に適切に同期する。
【０１５５】
上述の如く、眼鏡装置３００の意図しない停止動作を防ぐために、眼鏡装置３００は、少なくとも５回、連続的に停止信号を受信したときに、停止動作を実行する。停止信号が連続的に受信されると、眼鏡装置３００は、最初に受信した停止コマンドセットの「２Ｄｈ」の参照時刻（２Ｄｈのコマンド信号の最初のパルス信号Ｐ１の受信時刻）から所定期間内に、それまで実行していた動作モードから停止モードに移る。他のコマンド信号が受信されるならば、眼鏡装置３００は、他のコマンド信号の参照時刻から所定期間内に、他のコマンド信号に規定される動作モードに移る。
【０１５６】
停止モードにおけるコマンドセットは、２つのフレーム画像（左フレーム画像及び右フレーム画像）が表示される期間内に送信される。停止信号の送信タイミングは、従前の動作において送信されたコマンド信号の送信タイミングと同期して送信される。
【０１５７】
図１４に関連して説明された送信パターンにおいて、停止信号の「２Ｄｈ」のコマンド信号は、先行する「２Ｄｈ」のコマンド信号から２フレーム期間の後に送信される。同様に、停止信号の「３９ｈ」のコマンド信号は、先行する「３５ｈ」のコマンド信号から２フレーム期間の後に送信される。「２Ｄｈ」、「３９ｈ」、「３５ｈ」のコマンド信号の受信時刻は、これらコマンド信号の最初のパルス信号Ｐ１の受信時刻に基づき決定される。
【０１５８】
全てのコマンドセットは、「２Ｄｈ」のコマンド信号を含むので、眼鏡装置３００が、「２Ｄｈ」のコマンド信号を受信すると、眼鏡装置３００は、２フレーム期間の後に、再度、「２Ｄｈ」のコマンド信号を受信することを予測することができる。同様に、眼鏡装置３００は、先行する「３５ｈ」のコマンド信号の受信時刻に基づいて、「３９ｈ」のコマンド信号を予測することができる。したがって、眼鏡装置３００は、ノイズの影響を受けにくくなる。
【０１５９】
図１５は、２重表示モードから立体表示モードへの表示モードの切替に伴うコマンド信号ＣＳの送信パターンの変動を概略的に示すタイミングチャートである。図４、図５、図１１及び図１５を用いて、コマンド信号ＣＳの送信パターンの変動が説明される。
【０１６０】
図１１に関連して説明された如く、立体表示モードの間、「２Ｄｈ」のパルスパターンを有するコマンド信号ＣＳは、左調整部５１１及び右調整部５１２に入射光量を増大させるための信号として、動作周波数に対応する所定の周期「Ｔ」で順次送信される。「２７ｈ」のパルスパターンを有するコマンド信号ＣＳは、左調整部５１１及び右調整部５１２に入射光量を低減させるための信号として、動作周波数に対応する所定の周期「Ｔ」で順次送信される。
【０１６１】
上述の如く、２重表示モードから立体表示モードへ切り替えられると、停止信号が送信される。「２Ｄｈ」のパルスパターンを有する停止信号のコマンド信号ＣＳは、左調整部５１１及び右調整部５１２に入射光量を増大させるための信号として直前に送信された「２Ｄｈ」のパルスパターンのコマンド信号から、周期「Ｔ」後に送信される。「３９ｈ」のパルスパターンを有する停止信号のコマンド信号ＣＳは、左調整部５１１及び右調整部５１２に入射光量を低減させるための信号として直前に送信された「２７ｈ」のパルスパターンのコマンド信号から、周期「Ｔ」後に送信される。
【０１６２】
表示装置２００の送信部４２０及び／又は制御信号生成部４６０は、停止信号のコマンド信号ＣＳの周期的な送信パターンを、２重表示モードの間送信される第２タイミング信号のコマンド信号ＣＳの周期的な送信に適合させる。上述の如く、「２Ｄｈ」のパルスパターンを有する停止信号のコマンド信号ＣＳは、第２タイミング信号と停止信号とに利用され、且つ、第２タイミング信号と停止信号との間で、「２Ｄｈ」のパルスパターンを有するコマンド信号の送信タイミングは略一定であるので、眼鏡装置３００は、受信部５３０が受信した「２Ｄｈ」のパルスパターンを有する信号がノイズ信号であるか否かを適切に判断することができる。「２Ｄｈ」のパルスパターンを有するコマンド信号の後に送信された「３９ｈ」のパルスパターンを有するコマンド信号ＣＳの送信タイミングも、２重表示モードの間に送信された第２タイミング信号の「２７ｈ」のパルスパターンを有するコマンド信号ＣＳの送信タイミングと一致しているので、眼鏡装置３００の解析部５５０は、「３９ｈ」のパルスパターンを有するコマンド信号ＣＳの受信タイミングと２重表示モードの間に受信されたコマンド信号ＣＳ（パルスパターン：「２７ｈ」）の受信タイミングとを比較し、ノイズ判定を同様に行うことができる。
【０１６３】
解析部５５０は、上述のノイズ判定の下、適切に受信された停止信号に関連する制御データを記憶部５６０に記憶する。内部信号生成部５７０は、記憶部５６０内の停止信号に関連する制御データに基づき、光量調整部５１０の動作を停止する。この結果、光量調整部５１０は、左眼及び右眼へ入射する光量を増大させたまま停止する。
【０１６４】
その後、立体表示モードにおけるフレーム画像の表示に合わせて、表示装置２００の送信部４２０は、第１タイミング信号を送信する。解析部５５０は、立体表示モードにおいて送信された第１タイミング信号に関連する制御データを記憶部５６０に記録する。内部信号生成部５７０は、停止信号を受信する前に記憶部５６０に記録された制御データを用いることなく、新たに記録された第１タイミング信号に基づいて、内部信号を生成する。この結果、光量調整部５１０の再度の光量調整動作は、立体表示モードにおけるフレーム画像の表示に適切に同期する。
【０１６５】
停止モードにおけるコマンドセットは、２つのフレーム画像（第１映像のフレーム画像及び第２映像のフレーム画像）が表示される期間内に送信される。停止信号の送信タイミングは、従前の動作において送信されたコマンド信号の送信タイミングと同期して送信される。
【０１６６】
図１５に関連して説明された送信パターンにおいて、停止信号の「２Ｄｈ」のコマンド信号は、先行する「２Ｄｈ」のコマンド信号から２フレーム期間の後に送信される。同様に、停止信号の「３９ｈ」のコマンド信号は、先行する「２７ｈ」のコマンド信号から２フレーム期間の後に送信される。「２Ｄｈ」、「３９ｈ」、「２７ｈ」のコマンド信号の受信時刻は、これらコマンド信号の最初のパルス信号Ｐ１の受信時刻に基づき決定される。
【０１６７】
全てのコマンドセットは、「２Ｄｈ」のコマンド信号を含むので、眼鏡装置３００が、「２Ｄｈ」のコマンド信号を受信すると、眼鏡装置３００は、２フレーム期間の後に、再度、「２Ｄｈ」のコマンド信号を受信することを予測することができる。同様に、眼鏡装置３００は、先行する「２７ｈ」のコマンド信号の受信時刻に基づいて、「３９ｈ」のコマンド信号を予測することができる。したがって、眼鏡装置３００は、ノイズの影響を受けにくくなる。
【０１６８】
＜信号処理＞
図１６は、ノイズ信号を除去するための信号処理の概略的なフローチャートである。図１、図５及び図１６を用いて、ノイズ信号の除去処理が説明される。
【０１６９】
（ステップＳ１１０）
眼鏡装置３００の受信部５３０が信号を受信すると、ステップＳ１１０が実行される。ステップＳ１１０において、検出部５４０は、受信部５３０が受信した信号が眼鏡装置３００と表示装置２００との間で予め定められたパルスパターンであるか否かを判定する。受信部５３０が受信した信号が眼鏡装置３００と表示装置２００との間で予め定められたパルスパターンでないならば、ステップＳ１２０が実行される。受信部５３０が受信した信号が眼鏡装置３００と表示装置２００との間で予め定められたパルスパターンであるならば、ステップＳ１３０が実行される。
【０１７０】
（ステップＳ１２０）
ステップＳ１２０において、受信部５３０が受信した信号は、ノイズ信号として処理される。その後、ステップＳ１１０が再度実行される。
【０１７１】
（ステップＳ１３０）
ステップＳ１３０において、受信部５３０が受信した信号は、コマンド信号として取り扱われる。検出部５４０は、受信部５３０が受信した信号を電気信号に変換し、解析部５５０に出力する。解析部５５０は、コマンド信号の受信時刻やパルスパターンに関するデータを取得する。その後、ステップＳ１４０が実行される。
【０１７２】
（ステップＳ１４０）
ステップＳ１４０において、解析部５５０は、コマンド信号のパルスパターンを解析し、コマンド信号が共通コマンド信号であるか否かを判定する。コマンド信号が共通コマンド信号でないならば、ステップＳ１１０が再度実行される。コマンド信号が共通コマンド信号であるならば、ステップＳ１５０が実行される。
【０１７３】
（ステップＳ１５０）
ステップＳ１５０において、解析部５５０は、共通コマンド信号が先行して取得されているか否かを判定する。先行する共通コマンド信号が存在しないならば、ステップＳ１１０が再度実行される。他の場合には、ステップＳ１６０が実行される。
【０１７４】
（ステップＳ１６０）
ステップＳ１６０において、解析部５５０は、先行して取得された共通コマンド信号と、その後取得された共通コマンド信号との間のコマンド信号の受信順序を解析する。コマンド信号の受信順序が、眼鏡装置３００と表示装置２００との間で予め定められたプロトコルに規定される受信順序に従っていないならば、ステップＳ１７０が実行される。コマンド信号の受信順序が、眼鏡装置３００と表示装置２００との間で予め定められたプロトコルに規定される受信順序に従うならば、ステップＳ１８０が実行される。
【０１７５】
（ステップＳ１７０）
ステップＳ１７０において、解析部５５０は、先行して取得された共通コマンド信号と、その後取得された共通コマンド信号との間のコマンド信号との間にノイズ信号が含まれていると判定する。その後、ステップＳ１１０が実行される。
【０１７６】
（ステップＳ１８０）
ステップＳ１８０において、解析部５５０は、コマンド信号の受信順序と眼鏡装置３００と表示装置２００との間で予め定められたプロトコルに規定される受信順序とを対比し、光量調整部５１０の動作（第１補助動作、第２補助動作或いは停止）を決定する。
【０１７７】
本実施形態の原理は、図１６に示されるノイズ処理に何ら限定されない。例えば、解析部は、ステップＳ１８０に代えて、共通コマンド信号間に含まれる信号からノイズ信号成分を抽出してもよい。例えば、解析部は、先行して取得されたコマンド信号の受信周期のデータを用いて、ノイズ信号成分を見極めてもよい。
【０１７８】
図１７Ａ乃至図１７Ｃは、眼鏡装置３００の動作を決定するための信号処理の概略的なフローチャートである。図１、図５、図１６乃至図１７Ｃを用いて、眼鏡装置３００の動作を決定するための信号処理が説明される。
【０１７９】
（ステップＳ２０５）
図１６を参照して説明されたステップＳ１６０が開始されると、ステップＳ２０５が実行される。ステップＳ２０５において、解析部５５０は、共通コマンド信号の受信周期の間に４種のコマンド信号が含まれているか否かを判定する。共通コマンド信号の受信周期の間に４種のコマンド信号が含まれているならば、ステップＳ２１０が実行される。共通コマンド信号の受信周期の間に４種のコマンド信号が含まれていないならば、ステップＳ２３５が実行される。
【０１８０】
（ステップＳ２１０）
ステップＳ２１０において、解析部５５０は、先行する４種のコマンド信号のデータが存在するか否かを判定する。先行する４種のコマンド信号のデータが存在しないならば、ステップＳ２１５が実行される。先行する４種のコマンド信号のデータが存在するならば、ステップＳ２２０が実行される。
【０１８１】
（ステップＳ２１５）
ステップＳ２１５において、解析部５５０は、更なる４種のコマンド信号の受信を待つ。即ち、図１６を参照して説明されたステップＳ１１０が再度実行される。
【０１８２】
（ステップＳ２２０）
ステップＳ２２０において、解析部５５０は、先行する４種のコマンド信号のデータとその後取得された４種のコマンド信号のデータとを比較し、４種のコマンド信号が適切な周期で受信されているか否かを判定する。４種のコマンド信号が適切な周期で受信されていないならば、ステップＳ２２５が実行される。４種のコマンド信号が適切な周期で受信されているならば、ステップＳ２３０が実行される。
【０１８３】
（ステップＳ２２５）
ステップＳ２２５において、解析部５５０は、４種のコマンド信号をノイズ信号として処理する。その後、図１６を参照して説明されたステップＳ１１０が再度実行される。
【０１８４】
（ステップＳ２３０）
ステップＳ２３０において、解析部５５０は、光量調整部５１０に第１補助動作をさせることを決定する。解析部５５０は、取得されたコマンド信号の受信時刻のデータを用いて、記憶部５６０に、左フレーム画像の視聴開始タイミング、左フレーム画像の視聴終了タイミング、右フレーム画像の視聴開始タイミング及び右フレーム画像の視聴終了タイミングに関するデータを記憶させる。内部信号生成部５７０は、これらのデータを用いて、内部信号を生成する。光量制御部５８０は、内部信号に応じて、光量調整部５１０を駆動するための駆動信号を生成並びに出力する。かくして、光量調整部５１０は、第１補助動作を実行することができる。
【０１８５】
（ステップＳ２３５）
ステップＳ２３５において、解析部５５０は、共通コマンド信号の受信周期の間に第１非コマンド信号が含まれているか否かを判定する。共通コマンド信号の受信周期の間に第１非共通コマンド信号が含まれているならば、ステップＳ２４０が実行される。共通コマンド信号の受信周期の間に４種のコマンド信号が含まれていないならば、ステップＳ２６５が実行される。
【０１８６】
（ステップＳ２４０）
ステップＳ２４０において、解析部５５０は、先行する共通コマンド信号及び第１非共通コマンド信号のデータが存在するか否かを判定する。先行する共通コマンド信号及び第１非共通コマンド信号のデータが存在しないならば、ステップＳ２４５が実行される。先行する共通コマンド信号及び第１非共通コマンド信号のデータが存在するならば、ステップＳ２５０が実行される。
【０１８７】
（ステップＳ２４５）
ステップＳ２４５において、解析部５５０は、更なる第２タイミング信号の受信を待つ。即ち、図１６を参照して説明されたステップＳ１１０が再度実行される。
【０１８８】
（ステップＳ２５０）
ステップＳ２５０において、解析部５５０は、先行する共通コマンド信号及び第１非共通コマンド信号のデータとその後取得された共通コマンド信号及び第１非共通コマンド信号のデータとを比較し、共通コマンド信号及び第１非共通コマンド信号が適切な周期で受信されているか否かを判定する。共通コマンド信号及び第１非共通コマンド信号が適切な周期で受信されていないならば、ステップＳ２５５が実行される。共通コマンド信号及び第１非共通コマンド信号が適切な周期で受信されているならば、ステップＳ２６０が実行される。
【０１８９】
（ステップＳ２５５）
ステップＳ２５５において、解析部５５０は、共通コマンド信号及び第１非共通コマンド信号をノイズ信号として処理する。その後、図１６を参照して説明されたステップＳ１１０が再度実行される。
【０１９０】
（ステップＳ２６０）
ステップＳ２６０において、解析部５５０は、光量調整部５１０に第２補助動作をさせることを決定する。解析部５５０は、取得されたコマンド信号の受信時刻のデータを用いて、記憶部５６０に、第１映像又は第２映像の視聴開始タイミング及び視聴終了タイミングに関するデータを記憶させる。内部信号生成部５７０は、これらのデータを用いて、内部信号を生成する。光量制御部５８０は、内部信号に応じて、光量調整部５１０を駆動するための駆動信号を生成並びに出力する。かくして、光量調整部５１０は、第２補助動作を実行することができる。
【０１９１】
（ステップＳ２６５）
ステップＳ２６５において、解析部５５０は、５回以上連続で停止信号（共通コマンド信号及び第２非共通コマンド信号の組）が受信されているか否かを判定する。停止信号が５回以上連続的に受信されていないならば、ステップＳ２７０が実行される。停止信号が５回以上連続的に受信されているならば、ステップＳ２７５が実行される。
【０１９２】
（ステップＳ２７０）
ステップＳ２７０において、解析部５５０は、更なる停止信号の受信を待つ。即ち、図１６を参照して説明されたステップＳ１１０が再度実行される。
【０１９３】
（ステップＳ２７５）
ステップＳ２７５において、解析部５５０は、先行して受信されたコマンド信号のデータとその後取得された共通コマンド信号及び第２非共通コマンド信号のデータとを比較し、共通コマンド信号及び第２非共通コマンド信号が適切な周期で受信されているか否かを判定する。
【０１９４】
先行して受信された信号が第１タイミング信号であるならば、解析部５５０は、停止信号の共通コマンド信号の受信時刻が、第１タイミング信号の共通コマンド信号の受信周期に略適合しているか否かを判定する。また、解析部５５０は、第２非共通コマンド信号の受信時刻が、第１タイミング信号の４種のコマンド信号（共通コマンド信号を除く）のうち１つの受信周期に適合しているか否かを判定する。共通コマンド信号及び第２非共通コマンド信号の受信時刻がともに第１タイミング信号のコマンド信号の受信周期に適合するならば、ステップＳ２８０が実行される。他の場合には、ステップＳ２８５が実行される。
【０１９５】
先行して受信された信号が第２タイミング信号であるならば、解析部５５０は、停止信号の共通コマンド信号の受信時刻が、第２タイミング信号の共通コマンド信号の受信周期に略適合しているか否かを判定する。また、解析部５５０は、第２非共通コマンド信号の受信時刻が、第１非共通コマンド信号の受信周期に適合しているか否かを判定する。共通コマンド信号及び第２非共通コマンド信号の受信時刻がともに第２タイミング信号のコマンド信号の受信周期に適合するならば、ステップＳ２８０が実行される。他の場合には、ステップＳ２８５が実行される。
【０１９６】
先行して受信された信号が停止信号であるならば、解析部５５０は、共通コマンド信号の受信時刻及び第２非共通コマンド信号の受信時刻がそれぞれ先行する共通コマンド信号の受信周期及び第２非共通コマンド信号の受信周期に適合しているか否かを判定する。共通コマンド信号及び第２非共通コマンド信号の受信時刻がともに先行する共通コマンド信号の受信周期及び第２非共通コマンド信号の受信周期に適合するならば、ステップＳ２８０が実行される。他の場合には、ステップＳ２８５が実行される。
【０１９７】
（ステップＳ２８０）
ステップＳ２８０において、解析部５５０は、光量調整部５１０を停止させること或いは停止状態を維持することを決定する。内部信号生成部５７０は、解析部５５０の決定に応じて、内部信号を生成する。光量制御部５８０は、内部信号に応じて、光量調整部５１０を停止させるための駆動信号を生成並びに出力する。かくして、光量調整部５１０は、左眼及び右眼へ入射する光量を増大させたまま停止する。
【０１９８】
（ステップＳ２８５）
ステップＳ２８５において、解析部５５０は、共通コマンド信号及び第２非共通コマンド信号をノイズ信号として処理する。その後、図１６を参照して説明されたステップＳ１１０が再度実行される。
【０１９９】
図１８は、２重表示モード下において、眼鏡装置３００の動作を決定するための信号処理の概略的なフローチャートである。図１、図５、図１１、図１２、図１７Ｂ及び図１８を用いて、眼鏡装置３００の動作を決定するための信号処理が説明される。
【０２００】
（ステップＳ３１０）
図１７Ｂを参照して説明されたステップＳ２６０が開始されると、ステップＳ３１０が実行される。ステップＳ３１０において、内部信号生成部５７０は、記憶部５６０に記憶されたデータと選択部５２０から出力されたデータとを取得する。選択部５２０から出力されたデータが、視聴者が第１映像を選択したことを表しているならば、ステップＳ３２０が実行される。選択部５２０から出力されたデータが、視聴者が第２映像を選択したことを表しているならば、ステップＳ３３０が実行される。
【０２０１】
（ステップＳ３２０）
ステップＳ３２０において、内部信号生成部５７０は、記憶部５６０に記憶された視聴開始タイミング及び視聴終了タイミングに関するデータに対して、位相遅れを加えることなく内部信号を生成及び出力する。その後、ステップＳ３４０が実行される。
【０２０２】
（ステップＳ３３０）
ステップＳ３３０において、内部信号生成部５７０は、記憶部５６０に記憶された視聴開始タイミング及び視聴終了タイミングに関するデータに対して、半周期分の位相遅れを加え、内部信号を生成及び出力する。その後、ステップＳ３４０が実行される。
【０２０３】
（ステップＳ３４０）
ステップＳ３４０において、光量制御部５８０は、内部信号に従って、駆動信号を生成並びに出力する。この結果、光量制御部５８０は、図１１に示される動作（ステップＳ３２０を経由した場合）又は図１２に示される動作（ステップＳ３３０を経由した場合）を実行する。
【０２０４】
＜映像システムの制御＞
図１９は、映像システム１００の制御手順を概略的に表すフローチャートである。図１、図４、図５及び図１９を用いて、映像システム１００の制御が説明される。
【０２０５】
（ステップＳ４１０）
表示装置２００に映像信号が入力されると、ステップＳ４１０が実行される。ステップＳ４１０において、制御信号生成部４６０は、映像信号に規定される映像が立体表示モード下で表示されるべきか、２重表示モード下で表示されるべきかを判定する。映像信号は、表示されるべき表示モードを規定するための情報を含んでもよい。この場合、制御信号生成部４６０は、映像信号に含まれる情報を用いて、立体表示モード及び２重表示モードのうち一方を選択してもよい。代替的に、制御信号生成部４６０は、信号分離部４４０によって分離された映像信号間の相関を算出してもよい。映像信号間に高い相関関係が認められるならば、制御信号生成部４６０は、映像信号によって規定される映像が立体表示モードで表示されるべきであると判定してもよい。他の場合には、制御信号生成部４６０は、映像信号によって規定される映像が２重表示モードで表示されるべきであると判定してもよい。映像信号によって規定される映像が立体表示モードで表示されるべきであると判定されるならば、ステップＳ４２０が実行される。映像信号によって規定される映像が２重表示モードで表示されるべきであると判定されるならば、ステップＳ４５０が実行される。
【０２０６】
（ステップＳ４２０）
ステップＳ４２０において、制御信号生成部４６０は、左フレーム画像及び右フレーム画像の視聴開始タイミング及び視聴終了タイミングを通知するための４種のコマンド信号を含む第１タイミング信号を生成する。尚、４種のコマンド信号のうち１つは、上述の共通コマンド信号である。第１タイミング信号の生成の後、ステップＳ４３０が実行される。
【０２０７】
（ステップＳ４３０）
ステップＳ４３０において、送信部４２０は、第１タイミング信号を制御信号として送信する。その後、ステップＳ４４０が実行される。
【０２０８】
（ステップＳ４４０）
ステップＳ４４０において、眼鏡装置３００は、第１タイミング信号に応じて、第１補助動作を実行する。この結果、左フレーム画像の表示に同期して、左調整部５１１は、左眼へ到達する映像光の光量を増大させ、右調整部５１２は、右眼へ到達する映像光の光量を低減させる。また、左フレーム画像の表示に同期して、左調整部５１１は、左眼へ到達する映像光の光量を低減させ、右調整部５１２は、右眼へ到達する映像光の光量を増大させる。
【０２０９】
（ステップＳ４５０）
ステップＳ４５０において、制御信号生成部４６０は、第１映像の視聴開始タイミング及び視聴終了タイミングを通知するための第２タイミング信号を生成する。本実施形態において、第２タイミング信号の共通コマンド信号は、第１映像の視聴開始タイミングを通知する。第２タイミング信号の第１非共通コマンド信号は、第１映像の視聴終了タイミングを通知する。第２タイミング信号の生成の後、ステップＳ４６０が実行される。
【０２１０】
（ステップＳ４６０）
ステップＳ４６０において、送信部４２０は、第２タイミング信号を制御信号として送信する。その後、ステップＳ４７０が実行される。
【０２１１】
（ステップＳ４７０）
ステップＳ４７０において、眼鏡装置３００は、第２タイミング信号に応じて、第２補助動作を実行する。視聴者が選択部５２０を用いて、第１映像を選択しているならば、光量調整部５１０は、第１映像の表示に同期して、左眼及び右眼へ到達する映像光の光量を増大させる。視聴者が選択部５２０を用いて、第２映像を選択しているならば、光量調整部５１０は、第２映像の表示に同期して、左眼及び右眼へ到達する映像光の光量を増大させる。
【０２１２】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０２１３】
上述された実施形態は、以下の特徴を主に備える。
【０２１４】
上述の実施形態の一の局面に係る表示装置は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える。表示装置は、前記第１表示モード下で前記立体映像を表示し、前記第２表示モード下において前記第１映像及び前記第２映像を表示する表示部と、前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する信号生成部と、を備えることを特徴とする。
【０２１５】
上記構成によれば、表示装置は、第１表示モード下において、左眼で観察される左フレーム画像と右眼で観察される右フレーム画像とを時分割で表示し、立体映像を表現する。表示装置は、第２表示モード下において、互いに異なるコンテンツを表現する第１映像及び第２映像を時分割で表示する。したがって、視聴者は、立体映像、第１映像又は第２映像を視聴することができる。
【０２１６】
表示部が立体映像を表示する第１表示モード下において、信号生成部は、第１表示モード及び第２表示モードに共通して用いられる共通コマンド信号を含む４種のコマンド信号を含む第１制御信号を生成する。この結果、左フレーム画像及び右フレーム画像の視聴開始タイミング及び視聴終了タイミングが通知される。したがって、視聴者は、表示部が第１表示モードで動作している間、立体映像を視聴することができる。
【０２１７】
表示部が第１映像及び第２映像を表示する第２表示モード下において、信号生成部は、共通コマンド信号と、４種のコマンド信号とは異なる第１非共通コマンド信号と、を含む第２制御信号を生成する。この結果、第１映像及び第２映像のうち一方の映像の視聴開始タイミング及び視聴終了タイミングが通知される。したがって、視聴者は、表示部が第２表示モードで動作している間、第１映像又は第２映像を視聴することができる。
【０２１８】
第１表示モード及び第２表示モードに共通して、共通コマンド信号が用いられるので、少ない種類の信号を用いて、制御情報が伝達されることとなる。したがって、制御情報の伝達に関する不具合は生じにくくなる。かくして、表示装置は、表示モードに対応して、視聴者に映像を適切に観察させることができる。
【０２１９】
上記構成において、前記第１制御信号の前記共通コマンド信号は、前記左フレーム画像及び前記右フレーム画像のうち一方の視聴開始タイミングを通知し、前記第２制御信号の前記共通コマンド信号は、前記第１映像及び前記第２映像のうち一方の視聴開始タイミングを通知することが好ましい。
【０２２０】
上記構成によれば、第１制御信号の共通コマンド信号は、左フレーム画像及び右フレーム画像のうち一方の視聴開始タイミングを通知する。第２制御信号の共通コマンド信号は、第１映像及び第２映像のうち一方の視聴開始タイミングを通知する。第１表示モード及び第２表示モードにおいて、共通コマンド信号は、視聴開始タイミングを通知するので、第１制御信号及び第２制御信号に対する処理が簡素化される。
【０２２１】
上記構成において、前記表示モードが切り替えられるならば、前記信号生成部は、前記立体映像、前記第１映像又は前記第２映像の視聴を補助するように前記左眼及び前記右眼へ到達する映像光の光量を調整する眼鏡装置の動作を停止させるために、前記共通コマンド信号と、前記４種のコマンド信号及び前記第１非共通コマンド信号とは異なる第２非共通コマンド信号と、を含む停止信号を生成することが好ましい。
【０２２２】
上記構成によれば、眼鏡装置は、立体映像、第１映像又は第２映像の視聴を補助するように左眼及び右眼へ到達する映像光の光量を調整する。表示モードが切り替えられるならば、信号生成部は、共通コマンド信号と、４種のコマンド信号及び第１非共通コマンド信号とは異なる第２非共通コマンド信号と、を含む停止信号を生成する。したがって、眼鏡装置は、停止信号を基準に、表示モードの切替を識別できるので、眼鏡装置は、表示モードが切り替えられた後の表示装置の表示動作に追従しやすくなる。
【０２２３】
停止信号も、共通コマンド信号を含むので、少ない種類の信号を用いて、制御情報が伝達されることとなる。したがって、制御情報の伝達に関する不具合は生じにくくなる。かくして、表示装置は、表示モードに対応して、視聴者に映像を適切に観察させることができる。
【０２２４】
上記構成において、表示装置は、前記停止信号を送信する送信部を更に備え、前記表示モードが前記第１表示モードから前記第２表示モードに切り替えられるならば、前記送信部は、前記停止信号を繰り返し送信し、その後、前記第２制御信号を送信し、前記表示モードが前記第２表示モードから前記第１表示モードに切り替えられるならば、前記送信部は、前記停止信号を繰り返し送信し、その後、前記第１制御信号を送信することが好ましい。
【０２２５】
上記構成によれば、表示モードが第１表示モードから第２表示モードに切り替えられるならば、送信部は、停止信号を繰り返し送信する。したがって、眼鏡装置は、高い信頼性の停止信号に応じて、光量の調整を停止することができる。送信部は、その後、第２制御信号を送信する。眼鏡装置は、停止信号の後に送信された第２制御信号に応じて、光量の調整を行うことができるので、眼鏡装置の光量調整は、第２表示モードに追従しやすくなる。
【０２２６】
表示モードが第２表示モードから第１表示モードに切り替えられるならば、送信部は、停止信号を繰り返し送信する。したがって、眼鏡装置は、高い信頼性の停止信号に応じて、光量の調整を停止することができる。送信部は、その後、第１制御信号を送信する。眼鏡装置は、停止信号の後に送信された第１制御信号に応じて、光量の調整を行うことができるので、眼鏡装置の光量調整は、第１表示モードに追従しやすくなる。
【０２２７】
上記構成において、前記表示モードが前記第１表示モードから前記第２表示モードに切り替えられるならば、前記送信部は、前記第１制御信号の前記共通コマンド信号の送信周期と同じ周期で前記停止信号の前記共通コマンド信号を送信し、前記表示モードが前記第２表示モードから前記第１表示モードに切り替えられるならば、前記送信部は、前記第２制御信号の前記共通コマンド信号の送信周期と同じ周期で前記停止信号の前記共通コマンド信号を送信することが好ましい。
【０２２８】
上記構成によれば、表示モードが第１表示モードから第２表示モードに切り替えられるならば、送信部は、第１制御信号の共通コマンド信号の送信周期と同じ周期で停止信号の共通コマンド信号を送信する。表示モードが第２表示モードから第１表示モードに切り替えられるならば、送信部は、第２制御信号の共通コマンド信号の送信周期と同じ周期で停止信号の共通コマンド信号を送信する。したがって、眼鏡装置は、高い信頼性の停止信号に応じて、光量の調整を停止することができる。
【０２２９】
上記構成において、前記表示モードが前記第１表示モードから前記第２表示モードに切り替えられるならば、前記送信部は、前記共通コマンド信号を除く前記４種のコマンド信号のうち１つと同じ送信周期で前記第２非共通コマンド信号を送信し、前記表示モードが前記第２表示モードから前記第１表示モードに切り替えられるならば、前記第１非共通コマンド信号と同じ送信周期で前記第２非共通コマンド信号を送信することが好ましい。
【０２３０】
上記構成によれば、表示モードが第１表示モードから第２表示モードに切り替えられるならば、送信部は、共通コマンド信号を除く４種のコマンド信号のうち１つと同じ送信周期で第２非共通コマンド信号を送信する。表示モードが第２表示モードから第１表示モードに切り替えられるならば、第１非共通コマンド信号と同じ送信周期で第２非共通コマンド信号を送信する。したがって、眼鏡装置は、高い信頼性の停止信号に応じて、光量の調整を停止することができる。
【０２３１】
上述の実施形態の他の局面に係る眼鏡装置は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置から送信された制御信号に応じて、前記立体映像の視聴を補助する第１補助動作と、前記第１映像又は前記第２映像の視聴を補助する第２補助動作と、の間で動作モードを切り替える。眼鏡装置は、前記制御信号を受信する受信部と、前記第１表示モードと前記第２表示モードとの間で共通して用いられる共通コマンド信号を含む前記制御信号に応じて、前記左眼及び前記右眼へ到達する映像光の光量を調整する光量調整部と、前記制御信号が前記共通コマンド信号を含む４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする。
【０２３２】
上記構成によれば、表示装置は、第１表示モード下において、左眼で観察される左フレーム画像と右眼で観察される右フレーム画像とを時分割で表示し、立体映像を表現する。表示装置は、第２表示モード下において、互いに異なるコンテンツを表現する第１映像及び第２映像を時分割で表示する。表示装置は、制御信号を眼鏡装置に送信する。眼鏡装置は、制御信号に応じて、立体映像の視聴を補助する第１補助動作と、第１映像又は第２映像の視聴を補助する第２補助動作と、の間で動作モードを切り替える。したがって、視聴者は、立体映像、第１映像又は第２映像を視聴することができる。
【０２３３】
受信部が受信する制御信号は、第１表示モードと第２表示モードとの間で共通して用いられる共通コマンド信号を含むので、少ない種類の信号を用いて、制御情報が表示装置から眼鏡装置へ伝達されることとなる。したがって、制御情報の伝達に関する不具合は生じにくくなる。かくして、眼鏡装置は、表示モードに対応して、視聴者に映像を適切に観察させることができる。
【０２３４】
制御信号が共通コマンド信号を含む４種のコマンド信号を含むならば、制御部は、光量調整部に第１補助動作を実行させる。したがって、眼鏡装置は、視聴者に立体映像を適切に観察させることができる。
【０２３５】
制御信号が共通コマンド信号と、４種のコマンド信号とは異なる第１非共通コマンド信号と、を含むならば、制御部は、光量調整部に第２補助動作を実行させる。したがって、眼鏡装置は、視聴者に第１映像又は第２映像を適切に視聴させることができる。
【０２３６】
上記構成において、前記制御部が、前記共通コマンド信号の受信周期内において、前記４種のコマンド信号を見出すならば、前記制御部は、前記光量調整部に前記第１補助動作を実行させ、前記制御部が、前記共通コマンド信号の前記受信周期内において、前記第１非共通コマンド信号を見出すならば、前記制御部は、前記光量調整部に前記第２補助動作を実行させることが好ましい。
【０２３７】
上記構成によれば、共通コマンド信号は、第１表示モードと第２表示モードとの間で共通して用いられるので、制御部は、共通コマンド信号の受信周期内に受信した信号に応じて、動作モードを切り替えることができる。共通コマンド信号の受信周期内において、４種のコマンド信号が見出されるならば、制御部は、光量調整部に第１補助動作を実行させる。したがって、眼鏡装置は、視聴者に立体映像を適切に観察させることができる。共通コマンド信号の受信周期内において、第１非共通コマンド信号が見出されるならば、制御部は、光量調整部に第２補助動作を実行させる。したがって、眼鏡装置は、視聴者に第１映像又は第２映像を適切に視聴させることができる。
【０２３８】
上記構成において、前記制御部は、前記４種のコマンド信号それぞれの受信タイミングに応じて、前記左眼及び前記右眼に対する前記光量の調整タイミングを決定し、前記光量調整部は、前記制御部の決定に応じて、前記左フレーム画像の表示に同期して、前記左眼への前記光量を増大させる一方で前記右眼への前記光量を低減し、前記右フレーム画像の表示に同期して、前記右眼への前記光量を増大させる一方で前記左眼への前記光量を低減することが好ましい。
【０２３９】
前記制御部は、４種のコマンド信号それぞれの受信タイミングに応じて、左眼及び右眼に対する光量の調整タイミングを決定する。光量調整部は、制御部の決定に応じて、左フレーム画像の表示に同期して、左眼への前記光量を増大させる一方で右眼への光量を低減する。また、光量調整部は、右フレーム画像の表示に同期して、右眼への光量を増大させる一方で左眼への光量を低減する。したがって、眼鏡装置は、視聴者に立体映像を適切に観察させることができる。
【０２４０】
上記構成において、眼鏡装置は、前記第１映像又は前記第２映像を選択するための選択部を更に備え、前記制御部は、前記共通コマンド信号及び前記第１非共通コマンド信号の受信タイミング並びに前記選択部の選択に応じて、前記左眼及び前記右眼に対する前記光量の調整タイミングを決定することが好ましい。
【０２４１】
上記構成によれば、制御部は、共通コマンド信号及び第１非共通コマンド信号の受信タイミング並びに選択部の選択に応じて、左眼及び右眼に対する光量の調整タイミングを決定する。したがって、眼鏡装置は、視聴者に第１映像又は第２映像を適切に視聴させることができる。
【０２４２】
上記構成において、前記選択部が、前記第１映像及び前記第２映像のうち一方を選択しているならば、前記制御部は、前記共通コマンド信号の前記受信タイミングと該共通コマンド信号の次に受信された前記第１非共通コマンド信号の受信タイミングとの間で前記左眼及び前記右眼への前記光量をともに増大させ、前記共通コマンド信号がその後受信されるまでの間、前記制御部は、前記左眼及び前記右眼への前記光量をともに減少させ、前記選択部が、前記第１映像及び前記第２映像のうち他方を選択しているならば、前記制御部は、前記第１非共通コマンド信号の前記受信タイミングと該第１非共通コマンド信号の次に受信された前記共通コマンド信号の受信タイミングとで定められる期間内に前記左眼及び前記右眼への前記光量をともに増大させ、前記第１非共通コマンド信号がその後受信されるまでの間、前記制御部は、前記左眼及び前記右眼への前記光量をともに減少させることが好ましい。
【０２４３】
上記構成によれば、選択部が、第１映像及び第２映像のうち一方を選択しているならば、制御部は、共通コマンド信号の受信タイミングと共通コマンド信号の次に受信された第１非共通コマンド信号の受信タイミングとの間で左眼及び右眼への前記光量をともに増大させる。共通コマンド信号の受信タイミングと共通コマンド信号の次に受信された第１非共通コマンド信号の受信タイミングとの間において、眼鏡装置は、表示装置が表示する映像を視聴者に視聴させることができる。共通コマンド信号がその後受信されるまでの間、制御部は、左眼及び右眼への光量をともに減少させる。したがって、第１映像及び第２映像のうち他方は、視聴されない。かくして、第１映像及び第２映像は、選択的に視聴される。
【０２４４】
第１映像及び第２映像のうち他方を選択しているならば、制御部は、第１非共通コマンド信号の受信タイミングと第１非共通コマンド信号の次に受信された共通コマンド信号の受信タイミングとの間で左眼及び右眼への光量をともに増大させる。第１非共通コマンド信号の受信タイミングと第１非共通コマンド信号の次に受信された共通コマンド信号の受信タイミングとで定められる期間内において、眼鏡装置は、表示装置が表示する映像を視聴者に視聴させることができる。第１非共通コマンド信号がその後受信されるまでの間、制御部は、左眼及び前記右眼への光量をともに減少させる。したがって、第１映像及び第２映像のうち一方は、視聴されない。かくして、第１映像及び第２映像は、選択的に視聴される。
【０２４５】
上記構成において、前記第１映像及び前記第２映像のうち前記一方が選択されているときにおける前記制御部が実行する前記左眼及び前記右眼への前記光量の調整タイミングは、前記第１映像及び前記第２映像のうち前記他方が選択されているときにおける前記制御部が実行する前記左眼及び前記右眼への前記光量の調整タイミングに対して、前記共通コマンド信号の受信周期の半分の周期分ずらされることが好ましい。
【０２４６】
上記構成によれば、第１映像及び第２映像のうち一方が選択されているときにおける制御部が実行する前記左眼及び前記右眼への前記光量の調整タイミングは、第１映像及び第２映像のうち他方が選択されているときにおける制御部が実行する左眼及び右眼への光量の調整タイミングに対して、共通コマンド信号の受信周期の半分の周期分ずらされる。したがって、第１映像又は第２映像は、選択的に視聴されることとなる。
【０２４７】
上記構成において、前記受信部は、前記共通コマンド信号と、該共通コマンド信号及び前記第１非共通コマンド信号とは異なる第２非共通コマンド信号と、を含む停止信号を受信し、前記受信部が、前記停止信号を繰り返し受信するならば、前記制御部は、前記光量調整部を制御し、前記左眼及び前記右眼への前記光量をともに増大させ続けることが好ましい。
【０２４８】
上記構成によれば、受信部は、共通コマンド信号と、共通コマンド信号及び第１非共通コマンド信号とは異なる第２非共通コマンド信号と、を含む停止信号を受信する。受信部が、停止信号を繰り返し受信するならば、制御部は、光量調整部を制御する。したがって、制御部は、高い信頼性の停止信号に応じて、光量調整部を制御する。停止信号に応じた制御の結果、左眼及び右眼への光量をともに増大し続ける。この結果、視聴者は、光量調整部を通じて、周囲を見渡すことができる。
【０２４９】
上述の実施形態の他の局面に係る映像システムは、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備え、前記表示装置は、前記第１表示モード下で前記立体映像を表示し、前記第２表示モード下において前記第１映像及び前記第２映像を表示する表示部と、前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、含む第２制御信号を生成する信号生成部と、を含み、前記第１制御信号及び前記第２制御信号を、制御信号として、前記制御モードに応じて選択的に送信する送信部と、を含み、前記眼鏡装置は、前記制御信号を受信する受信部と、前記制御信号に応じて、前記左眼及び前記右眼へ到達する映像光の光量を調整する光量調整部と、前記制御信号が前記４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする。
【０２５０】
上記構成によれば、表示装置は、第１表示モード下において、左眼で観察される左フレーム画像と右眼で観察される右フレーム画像とを時分割で表示し、立体映像を表現する。表示装置は、第２表示モード下において、互いに異なるコンテンツを表現する第１映像及び第２映像を時分割で表示する。表示装置は、制御信号を眼鏡装置に送信する。眼鏡装置は、制御信号に応じて、立体映像の視聴を補助する第１補助動作と、第１映像又は第２映像の視聴を補助する第２補助動作と、の間で動作モードを切り替える。したがって、視聴者は、立体映像、第１映像又は第２映像を視聴することができる。
【０２５１】
表示部が立体映像を表示する第１表示モード下において、信号生成部は、第１表示モード及び第２表示モードに共通して用いられる共通コマンド信号を含む４種のコマンド信号を含む第１制御信号を生成する。この結果、左フレーム画像及び右フレーム画像の視聴開始タイミング及び視聴終了タイミングが通知される。したがって、視聴者は、表示部が第１表示モードで動作している間、立体映像を視聴することができる。
【０２５２】
表示部が第１映像及び第２映像を表示する第２表示モード下において、信号生成部は、共通コマンド信号と、４種のコマンド信号とは異なる第１非共通コマンド信号と、を含む第２制御信号を生成する。この結果、第１映像及び第２映像のうち一方の映像の視聴開始タイミング及び視聴終了タイミングが通知される。したがって、視聴者は、表示部が第２表示モードで動作している間、第１映像又は第２映像を視聴することができる。
【０２５３】
第１表示モード及び第２表示モードに共通して、共通コマンド信号が用いられるので、少ない種類の信号を用いて、制御情報が伝達されることとなる。したがって、制御情報の伝達に関する不具合は生じにくくなる。かくして、表示装置は、表示モードに対応して、視聴者に映像を適切に観察させることができる。
【０２５４】
制御信号が共通コマンド信号を含む４種のコマンド信号を含むならば、制御部は、光量調整部に第１補助動作を実行させる。したがって、眼鏡装置は、視聴者に立体映像を適切に観察させることができる。
【０２５５】
制御信号が共通コマンド信号と、４種のコマンド信号とは異なる第１非共通コマンド信号と、を含むならば、制御部は、光量調整部に第２補助動作を実行させる。したがって、眼鏡装置は、視聴者に第１映像又は第２映像を適切に視聴させることができる。
【０２５６】
上述の実施形態の制御方法は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備える映像システムに適用される。制御方法は、前記第１表示モードが選択されているならば、前記左フレーム画像及び前記右フレーム画像の視聴開始タイミング及び視聴終了タイミングを通知するために、前記第１表示モードと前記第２表示モードとの間で共通して用いられる共通コマンド信号を含む４種のコマンド信号を有する第１制御信号を生成し、前記第２表示モードが選択されているならば、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する段階と、前記第１制御信号及び前記第２制御信号のうち一方を制御信号として前記眼鏡装置へ送信する段階と、前記制御信号に応じて、前記左眼及び前記右眼へ到達する映像光の光量を前記眼鏡装置に調整させる段階と、を有する。
【０２５７】
上記構成によれば、表示装置は、第１表示モード下において、左眼で観察される左フレーム画像と右眼で観察される右フレーム画像とを時分割で表示し、立体映像を表現する。表示装置は、第２表示モード下において、互いに異なるコンテンツを表現する第１映像及び第２映像を時分割で表示する。表示装置は、制御信号を眼鏡装置に送信する。眼鏡装置は、制御信号に応じて、立体映像の視聴を補助する第１補助動作と、第１映像又は第２映像の視聴を補助する第２補助動作と、の間で動作モードを切り替える。したがって、視聴者は、立体映像、第１映像又は第２映像を視聴することができる。
【０２５８】
第１表示モードが選択されているならば、左フレーム画像及び右フレーム画像の視聴開始タイミング及び視聴終了タイミングを通知するために、第１表示モードと第２表示モードとの間で共通して用いられる共通コマンド信号を含む４種のコマンド信号を有する第１制御信号が生成される。第２表示モードが選択されているならば、第１映像及び第２映像のうち一方の映像の視聴開始タイミング及び視聴終了タイミングを通知するために、共通コマンド信号と、４種のコマンド信号とは異なる第１非共通コマンド信号と、を含む第２制御信号が生成される。
【０２５９】
第１表示モード及び第２表示モードに共通して、共通コマンド信号が用いられるので、少ない種類の信号を用いて、制御情報が伝達されることとなる。したがって、制御情報の伝達に関する不具合は生じにくくなる。かくして、表示装置は、表示モードに対応して、視聴者に映像を適切に観察させることができる。
【０２６０】
第１制御信号及び前記第２制御信号のうち一方は、制御信号として眼鏡装置へ送信される。制御信号に応じて、左眼及び右眼へ到達する映像光の光量が眼鏡装置によって調整されるので、視聴者は、立体映像、第１映像又は第２映像を適切に視聴することができる。
【産業上の利用可能性】
【０２６１】
上述の実施形態の原理は、映像を表示するための表示技術として好適に用いられる。
【図１】
2012105251.tif 000003
【図２Ａ】
2012105251.tif 000004
【図２Ｂ】
2012105251.tif 000005
【図３Ａ】
2012105251.tif 000006
【図３Ｂ】
2012105251.tif 000007
【図４】
2012105251.tif 000008
【図５】
2012105251.tif 000009
【図６】
2012105251.tif 000010
【図７】
2012105251.tif 000011
【図８Ａ】
2012105251.tif 000012
【図８Ｂ】
2012105251.tif 000013
【図８Ｃ】
2012105251.tif 000014
【図８Ｄ】
2012105251.tif 000015
【図８Ｅ】
2012105251.tif 000016
【図８Ｆ】
2012105251.tif 000017
【図９】
2012105251.tif 000018
【図１０】
2012105251.tif 000019
【図１１】
2012105251.tif 000020
【図１２】
2012105251.tif 000021
【図１３】
2012105251.tif 000022
【図１４】
2012105251.tif 000023
【図１５】
2012105251.tif 000024
【図１６】
2012105251.tif 000025
【図１７Ａ】
2012105251.tif 000026
【図１７Ｂ】
2012105251.tif 000027
【図１７Ｃ】
2012105251.tif 000028
【図１８】
2012105251.tif 000029
【図１９】
2012105251.tif 000030
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置であって、
前記第１表示モード下で前記立体映像を表示し、前記第２表示モード下において前記第１映像及び前記第２映像を表示する表示部と、
前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する信号生成部と、を備えることを特徴とする表示装置。
【請求項２】
前記第１制御信号の前記共通コマンド信号は、前記左フレーム画像及び前記右フレーム画像のうち一方の視聴開始タイミングを通知し、
前記第２制御信号の前記共通コマンド信号は、前記第１映像及び前記第２映像のうち一方の視聴開始タイミングを通知することを特徴とする請求項１に記載の表示装置。
【請求項３】
前記表示モードが切り替えられるならば、前記信号生成部は、前記立体映像、前記第１映像又は前記第２映像の視聴を補助するように前記左眼及び前記右眼へ到達する映像光の光量を調整する眼鏡装置の動作を停止させるために、前記共通コマンド信号と、前記４種のコマンド信号及び前記第１非共通コマンド信号とは異なる第２非共通コマンド信号と、を含む停止信号を生成することを特徴とする請求項１又は２に記載の表示装置。
【請求項４】
前記停止信号を送信する送信部を更に備え、
前記表示モードが前記第１表示モードから前記第２表示モードに切り替えられるならば、前記送信部は、前記停止信号を繰り返し送信し、その後、前記第２制御信号を送信し、前記表示モードが前記第２表示モードから前記第１表示モードに切り替えられるならば、前記送信部は、前記停止信号を繰り返し送信し、その後、前記第１制御信号を送信することを特徴とする請求項３に記載の表示装置。
【請求項５】
前記表示モードが前記第１表示モードから前記第２表示モードに切り替えられるならば、前記送信部は、前記第１制御信号の前記共通コマンド信号の送信周期と同じ周期で前記停止信号の前記共通コマンド信号を送信し、前記表示モードが前記第２表示モードから前記第１表示モードに切り替えられるならば、前記送信部は、前記第２制御信号の前記共通コマンド信号の送信周期と同じ周期で前記停止信号の前記共通コマンド信号を送信することを特徴とする請求項４に記載の表示装置。
【請求項６】
前記表示モードが前記第１表示モードから前記第２表示モードに切り替えられるならば、前記送信部は、前記共通コマンド信号を除く前記４種のコマンド信号のうち１つと同じ送信周期で前記第２非共通コマンド信号を送信し、前記表示モードが前記第２表示モードから前記第１表示モードに切り替えられるならば、前記送信部は、前記第１非共通コマンド信号と同じ送信周期で前記第２非共通コマンド信号を送信することを特徴とする請求項５に記載の表示装置。
【請求項７】
左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置から送信された制御信号に応じて、前記立体映像の視聴を補助する第１補助動作と、前記第１映像又は前記第２映像の視聴を補助する第２補助動作と、の間で動作モードを切り替える眼鏡装置であって、
前記制御信号を受信する受信部と、
前記第１表示モードと前記第２表示モードとの間で共通して用いられる共通コマンド信号を含む前記制御信号に応じて、前記左眼及び前記右眼へ到達する映像光の光量を調整する光量調整部と、
前記制御信号が前記共通コマンド信号を含む４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする眼鏡装置。
【請求項８】
前記制御部が、前記共通コマンド信号の受信周期内において、前記４種のコマンド信号を見出すならば、前記制御部は、前記光量調整部に前記第１補助動作を実行させ、
前記制御部が、前記共通コマンド信号の前記受信周期内において、前記第１非共通コマンド信号を見出すならば、前記制御部は、前記光量調整部に前記第２補助動作を実行させることを特徴とする請求項７に記載の眼鏡装置。
【請求項９】
前記制御部は、前記４種のコマンド信号それぞれの受信タイミングに応じて、前記左眼及び前記右眼に対する前記光量の調整タイミングを決定し、
前記光量調整部は、前記制御部の決定に応じて、前記左フレーム画像の表示に同期して、前記左眼への前記光量を増大させる一方で前記右眼への前記光量を低減し、前記右フレーム画像の表示に同期して、前記右眼への前記光量を増大させる一方で前記左眼への前記光量を低減することを特徴とする請求項８に記載の眼鏡装置。
【請求項１０】
前記第１映像又は前記第２映像を選択するための選択部を更に備え、
前記制御部は、前記共通コマンド信号及び前記第１非共通コマンド信号の受信タイミング並びに前記選択部の選択に応じて、前記左眼及び前記右眼に対する前記光量の調整タイミングを決定することを特徴とする請求項８に記載の眼鏡装置。
【請求項１１】
前記選択部が、前記第１映像及び前記第２映像のうち一方を選択しているならば、前記制御部は、前記共通コマンド信号の前記受信タイミングと該共通コマンド信号の次に受信された前記第１非共通コマンド信号の受信タイミングとの間で前記左眼及び前記右眼への前記光量をともに増大させ、前記共通コマンド信号がその後受信されるまでの間、前記制御部は、前記左眼及び前記右眼への前記光量をともに減少させ、
前記選択部が、前記第１映像及び前記第２映像のうち他方を選択しているならば、前記制御部は、前記第１非共通コマンド信号の前記受信タイミングと該第１非共通コマンド信号の次に受信された前記共通コマンド信号の受信タイミングとで定められる期間内に前記左眼及び前記右眼への前記光量をともに増大させ、前記第１非共通コマンド信号がその後受信されるまでの間、前記制御部は、前記左眼及び前記右眼への前記光量をともに減少させることを特徴とする請求項７に記載の眼鏡装置。
【請求項１２】
前記第１映像及び前記第２映像のうち前記一方が選択されているときにおける前記制御部が実行する前記左眼及び前記右眼への前記光量の調整タイミングは、前記第１映像及び前記第２映像のうち前記他方が選択されているときにおける前記制御部が実行する前記左眼及び前記右眼への前記光量の調整タイミングに対して、前記共通コマンド信号の受信周期の半分の周期分ずらされることを特徴とする請求項１１に記載の眼鏡装置。
【請求項１３】
前記受信部は、前記共通コマンド信号と、該共通コマンド信号及び前記第１非共通コマンド信号とは異なる第２非共通コマンド信号と、を含む停止信号を受信し、
前記受信部が、前記停止信号を繰り返し受信するならば、前記制御部は、前記光量調整部を制御し、前記左眼及び前記右眼への前記光量をともに増大させ続けることを特徴とする請求項７乃至１２のいずれか１項に記載の眼鏡装置。
【請求項１４】
左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、
前記立体映像の視聴を補助する第１補助動作と、前記第１映像又は前記第２映像の視聴を補助する第２補助動作と、の間で動作モードを切り替える眼鏡装置と、を備え、
前記表示装置は、
前記第１表示モード下で前記立体映像を表示し、前記第２表示モード下において前記第１映像及び前記第２映像を表示する表示部と、
前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を有する第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、含む第２制御信号を生成する信号生成部と、
前記第１制御信号及び前記第２制御信号を、制御信号として、前記表示モードに応じて選択的に送信する送信部と、を含み、
前記眼鏡装置は、
前記制御信号を受信する受信部と、
前記制御信号に応じて、前記左眼及び前記右眼へ到達する映像光の光量を調整する光量調整部と、
前記制御信号が前記４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする映像システム。
【請求項１５】
左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備える映像システムの制御方法であって、
前記第１表示モードが選択されているならば、前記左フレーム画像及び前記右フレーム画像の視聴開始タイミング及び視聴終了タイミングを通知するために、前記第１表示モードと前記第２表示モードとの間で共通して用いられる共通コマンド信号を含む４種のコマンド信号を有する第１制御信号を生成し、前記第２表示モードが選択されているならば、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する段階と、
前記第１制御信号及び前記第２制御信号のうち一方を制御信号として前記眼鏡装置へ送信する段階と、
前記制御信号に応じて、前記左眼及び前記右眼へ到達する映像光の光量を前記眼鏡装置に調整させる段階と、を有する映像システムの制御方法。
【手続補正２】
【補正対象書類名】明細書
【補正対象項目名】全文
【補正方法】変更
【補正の内容】
【発明の詳細な説明】
【技術分野】
【０００１】
本発明は、立体映像を表示するための表示モードと互いに異なるコンテンツを表現するための表示モードとに対応して、視聴者に所望の映像を適切に視聴させるための技術に関する。
【背景技術】
【０００２】
立体映像を表示するための表示技術として、アクティブシャッタ方式、パッシブシャッタ方式及び裸眼方式が知られている。
【０００３】
アクティブシャッタ方式に従う典型的な映像システムは、左眼で観察される左フレーム画像と右眼で観察される右フレーム画像とを交互に表示する表示装置と、左フレーム画像を左眼のみで観察させ、且つ、右フレーム画像を右眼のみで観察させるように映像の視聴を補助する眼鏡装置と、を備える。眼鏡装置は、左フレーム画像が表示されている間、開き、右フレーム画像が表示されている間、閉じる左シャッタと、右フレーム画像が表示されている間、開き、左フレーム画像が表示されている間、閉じる右シャッタと、を含む。左右のフレーム画像の表示に対する左右のシャッタの同期動作は、表示装置と眼鏡装置との間で通信される制御信号によって達成される。
【０００４】
特許文献１は、上述のアクティブシャッタ方式に従う映像システムを開示する。映像を表示するための表示期間に対して、左フレーム画像を表示するための左フィールド期間と右フレーム画像を表示するための右フィールド期間とが割り当てられる。左右のフィールド期間の切替タイミングにおいて、表示装置は、左右のフレーム画像が混在した映像を表示する。例えば、左フィールド期間の開始直後において、右フレーム画像が混在した左フレーム画像が表示される。右フィールド期間の開始直後において、左フレーム画像が混在した右フレーム画像が表示される。特許文献１は、左右のフレーム画像が混在した映像が表示されている間、左右のシャッタを閉じることを提案する。この結果、視聴者は、左右のフレーム画像間の混在が少ない映像を視聴することができる。
【０００５】
上述のアクティブシャッタ技術は、立体映像以外の映像の視聴にも適用可能である。例えば、上述の左フィールド期間に第１コンテンツを表現する第１映像を表示するための表示期間が割り当てられ、且つ、右フィールド期間に第１コンテンツとは異なる第２コンテンツを表現する第２映像を表示するための表示期間が割り当てられるならば、表示装置は、互いに異なるコンテンツを有する複数の映像を時分割で表示することができる。視聴者が第１映像を選択するならば、眼鏡装置は、表示装置から送信される制御信号に応じて、第１映像が表示されている期間において、左右のシャッタを開き、第２映像が表示されている期間において、左右のシャッタを閉じる。視聴者が第２映像を選択するならば、眼鏡装置は、表示装置から送信される制御信号に応じて、第２映像が表示されている期間において、左右のシャッタを開き、第１映像が表示されている期間において、左右のシャッタを閉じる。かくして、視聴者は、第１映像及び第２映像を選択的に視聴することができる。
【０００６】
以下の説明において、立体映像を表示するための表示モードは、「立体表示モード」と称される。第１映像及び第２映像を選択的に視聴させるための表示モードは、「２重表示モード」と称される。
【０００７】
特許文献２乃至４は、視聴者が、立体表示モードと２重表示モードとの選択を許容する映像技術を開示する。これらの開示技術によれば、立体表示モードを選択した視聴者は、立体映像を視聴することができる。２重表示モードを選択した視聴者は、第１映像又は第２映像を視聴することができる。
【０００８】
立体表示モードと２重表示モードとの選択を許容する映像技術は、立体表示モード下のみで映像を表示する映像技術と比べて、多くの種類の制御情報の通信を必要とする。眼鏡装置が表示装置の表示モードに応じて適切に動作するためには、眼鏡装置は、表示装置の表示モードに関するモード情報を取得する必要がある。表示装置が立体表示モードで動作していることを表すモード情報を取得した眼鏡装置は、左シャッタを開くタイミングに関する左開タイミング情報、左シャッタを閉じるタイミングに関する左閉タイミング情報、右シャッタを開くタイミングに関する右開タイミング情報及び右シャッタを閉じるタイミングに関する右閉タイミング情報を取得する必要がある。表示装置が２重表示モードで動作していることを表すモード情報を取得した眼鏡装置は、視聴者が第１映像を選択しているならば、第１映像の表示の開始タイミングに関するタイミング情報及び第１映像の表示の終了タイミングに関するタイミング情報を取得する必要がある。表示装置が２重表示モードで動作していることを表すモード情報を取得した眼鏡装置は、視聴者が第２映像を選択しているならば、第２映像の表示の開始タイミングに関するタイミング情報及び第２映像の表示の終了タイミングに関するタイミング情報を取得する必要がある。
【０００９】
上述の如く、多種類の制御情報を眼鏡装置に与えるために、表示装置と眼鏡装置との間で通信される制御信号のプロトコルは、多種類のコマンド信号を定義する必要がある。多種類のコマンド信号の使用は、表示装置と眼鏡装置との間の通信不良を引き起こす原因となる。
【００１０】
表示装置と眼鏡装置との間の通信不良は、眼鏡装置の様々な誤動作に帰結する。例えば、表示装置が２重表示モードで動作している間、眼鏡装置は、制御信号が含む制御情報が立体表示モードを表していると誤って解釈することもある。この場合、視聴者は、左眼で第１映像を観察し、右眼で第２映像を観察することとなる。表示装置が立体表示モードで動作している間、眼鏡装置は、制御信号が含む制御情報が２重表示モードを表していると誤って解釈することもある。この場合、視聴者は映像を立体的に知覚することはできない。
【先行技術文献】
【特許文献】
【００１１】
【特許文献１】国際公開第２００７／１２６９０４号
【特許文献２】特開平１０−２４３４２０号公報
【特許文献３】特開平７−２２２０８７号公報
【特許文献４】米国特許公開第２０１１／０１３４２３１号
【発明の概要】
【発明が解決しようとする課題】
【００１２】
本発明は、表示装置の表示モードに対応して、視聴者に映像を適切に観察させることができる映像技術を提供することを目的とする。
【課題を解決するための手段】
【００１３】
本発明の一の局面に係る表示装置は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える。表示装置は、前記第１表示モード下で前記立体映像を表示し、前記第２表示モード下において前記第１映像及び前記第２映像を表示する表示部と、前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する信号生成部と、を備えることを特徴とする。
【００１４】
本発明の他の局面に係る眼鏡装置は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置から送信された制御信号に応じて、前記立体映像の視聴を補助する第１補助動作と、前記第１映像又は前記第２映像の視聴を補助する第２補助動作と、の間で動作モードを切り替える。眼鏡装置は、前記制御信号を受信する受信部と、前記第１表示モードと前記第２表示モードとの間で共通して用いられる共通コマンド信号を含む前記制御信号に応じて、前記左眼及び前記右眼へ到達する映像光の光量を調整する光量調整部と、前記制御信号が前記共通コマンド信号を含む４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする。
【００１５】
本発明の更に他の局面に係る映像システムは、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備え、前記表示装置は、前記第１表示モード下で前記立体映像を表示し、前記第２表示モード下において前記第１映像及び前記第２映像を表示する表示部と、前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、含む第２制御信号を生成する信号生成部と、前記第１制御信号及び前記第２制御信号を、制御信号として、前記表示モードに応じて選択的に送信する送信部と、を含み、前記眼鏡装置は、前記制御信号を受信する受信部と、前記制御信号に応じて、前記左眼及び前記右眼へ到達する映像光の光量を調整する光量調整部と、前記制御信号が前記４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする。
【００１６】
本発明の更に他の局面に係る制御方法は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備える映像システムに適用される。制御方法は、前記第１表示モードが選択されているならば、前記左フレーム画像及び前記右フレーム画像の視聴開始タイミング及び視聴終了タイミングを通知するために、前記第１表示モードと前記第２表示モードとの間で共通して用いられる共通コマンド信号を含む４種のコマンド信号を有する第１制御信号を生成し、前記第２表示モードが選択されているならば、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する段階と、前記第１制御信号及び前記第２制御信号のうち一方を制御信号として前記眼鏡装置へ送信する段階と、前記制御信号に応じて、前記左眼及び前記右眼へ到達する映像光の光量を前記眼鏡装置に調整させる段階と、を有することを特徴とする。
【発明の効果】
【００１７】
上述の映像技術は、表示装置の表示モードに対応して、視聴者に映像を適切に観察させることができる。
【００１８】
本発明の目的、特徴及び利点は、以下の詳細な説明と添付図面とによって、より明白となる。
【図面の簡単な説明】
【００１９】
【図１】一実施形態に従う映像システムの概略図である。
【図２Ａ】図１に示される映像システムの表示装置の表示動作（立体表示モード）の概略図である。
【図２Ｂ】図１に示される映像システムの表示装置の表示動作（立体表示モード）の概略図である。
【図３Ａ】図１に示される映像システムの動作（２重表示モード）の概略図である。
【図３Ｂ】図１に示される映像システムの動作（２重表示モード）の概略図である。
【図４】図１に示される映像システムの表示装置の機能構成を概略的に表すブロック図である。
【図５】図１に示される映像システムの眼鏡装置の機能構成を概略的に表すブロック図である。
【図６】図５に示される眼鏡装置の動作モードの変化の概略図である。
【図７】図１に示される映像システムの通信プロトコルによって規定されたコマンド信号の概略図である。
【図８Ａ】図１に示される映像システムの通信プロトコルによって規定されたコマンド信号の概略図である。
【図８Ｂ】図１に示される映像システムの通信プロトコルによって規定されたコマンド信号の概略図である。
【図８Ｃ】図１に示される映像システムの通信プロトコルによって規定されたコマンド信号の概略図である。
【図８Ｄ】図１に示される映像システムの通信プロトコルによって規定されたコマンド信号の概略図である。
【図８Ｅ】図１に示される映像システムの通信プロトコルによって規定されたコマンド信号の概略図である。
【図８Ｆ】図１に示される映像システムの通信プロトコルによって規定されたコマンド信号の概略図である。
【図９】図５に示される眼鏡装置の動作（立体表示モード）を表す概略的なタイミングチャートである。
【図１０】図５に示される眼鏡装置の動作（立体表示モード）を表す概略的なタイミングチャートである。
【図１１】図５に示される眼鏡装置の動作（２重表示モード）を概略的に示すタイミングチャートである。
【図１２】図５に示される眼鏡装置の動作（２重表示モード）を概略的に示すタイミングチャートである。
【図１３】図１に示される映像システム中において送受信される停止信号を表すタイミングチャートである。
【図１４】図１に示される映像システムが用いるコマンド信号の送信パターンの変動を概略的に示すタイミングチャートである。
【図１５】図１に示される映像システムが用いるコマンド信号の送信パターンの変動を概略的に示すタイミングチャートである。
【図１６】図５に示される眼鏡装置がノイズ信号を除去するための信号処理の概略的なフローチャートである。
【図１７Ａ】図５に示される眼鏡装置の動作を決定するための信号処理の概略的なフローチャートである。
【図１７Ｂ】図５に示される眼鏡装置の動作を決定するための信号処理の概略的なフローチャートである。
【図１７Ｃ】図５に示される眼鏡装置の動作を決定するための信号処理の概略的なフローチャートである。
【図１８】図５に示される眼鏡装置の動作を決定するための信号処理の概略的なフローチャートである。
【図１９】図１に示される映像システムの制御手順を概略的に表すフローチャートである。
【発明を実施するための形態】
【００２０】
以下、映像を表示する表示装置、映像の視聴を補助する眼鏡装置、表示装置及び眼鏡装置を備える映像システム及び映像システムの制御方法が図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に、様々な実施形態の原理を容易に理解させることを目的とする。したがって、これらの原理は、図面並びに図面に関連して詳述される説明に何ら限定されない。
【００２１】
＜映像システム＞
図１は、映像システム１００の概略図である。図１を用いて、映像システム１００が説明される。
【００２２】
図１に示される如く、映像システム１００は、映像を表示する表示装置２００と、映像の視聴を補助する眼鏡装置３００と、を備える。表示装置２００は、映像が表示されるディスプレイパネル２１０を備える。本実施形態において、表示装置２００は、立体映像を表示するための表示動作（以下、「立体表示モード」と称される）と、互いに異なる２つのコンテンツを表示するための表示動作（以下、「２重表示モード」と称される）と、を実行する。表示装置２００は、視聴者の要求に応じて、立体表示モードと２重表示モードとの間で表示モードを切り替えることができる。ディスプレイパネル２１０は、これらの表示モード下において、様々な映像を表示することができる。眼鏡装置３００は、これらの表示モードに対応した補助動作を実行し、ディスプレイパネル２１０に表示された映像の視聴を補助する。本実施形態において、立体表示モードは、第１表示モードとして例示される。２重表示モードは、第２表示モードとして例示される。尚、第２表示モードは、互いに異なる３以上のコンテンツを表示する表示動作であってもよい。
【００２３】
図２Ａ及び図２Ｂは、立体表示モードにおける表示装置２００の表示動作の概略図である。図１乃至図２Ｂを用いて、映像システム１００が更に説明される。
【００２４】
図２Ａ及び図２Ｂのセクション（ａ）は、ディスプレイパネル２１０上に表示されるオブジェクトＯＲ，ＯＬ、視聴者に知覚されるオブジェクトＯＰ及び視聴者の眼との位置関係を概略的に表す。図２Ａ及び図２Ｂのセクション（ｂ）は、右眼で観察される右フレーム画像を表示するディスプレイパネル２１０中に現れるオブジェクトＯＲを表す。図２Ａ及び図２Ｂのセクション（ｃ）は、左眼で観察される左フレーム画像を表示するディスプレイパネル２１０中に現れるオブジェクトＯＬを表す。
【００２５】
本実施形態において、立体映像を表示するための立体表示モード下で動作する表示装置２００は、左フレーム画像と右フレーム画像とを時分割で表示する。この結果、左フレーム画像及び右フレーム画像は、ディスプレイパネル２１０に交互に現れる。
【００２６】
図２Ａにおいて、右フレーム画像中のオブジェクトＯＲは、左フレーム画像中のオブジェクトＯＬよりも左側に描かれる。図２Ａにおいて、オブジェクトＯＲとオブジェクトＯＬとの間の距離は、「Ｘ１」の符号を用いて表されている。
【００２７】
図２Ｂにおいて、右フレーム画像中のオブジェクトＯＲは、左フレーム画像中のオブジェクトＯＬよりも右側に描かれる。図２Ｂにおいて、オブジェクトＯＲとオブジェクトＯＬとの間の距離は、「Ｘ２」の符号を用いて表されている。
【００２８】
表示装置２００が、立体表示モード下において表示動作を行うならば、眼鏡装置３００は、立体映像の視聴を補助する第１補助動作を実行する。眼鏡装置３００は、左眼へ到達する映像光の光量を調整する左シャッタ３１１と、右眼への映像光の光量を調整する右シャッタ３１２と、を備える（図１参照）。視聴者が眼鏡装置３００を着用するならば、左シャッタ３１１は、左眼前に位置し、右シャッタ３１２は、右眼前に位置する。本実施形態において、左シャッタ３１１及び右シャッタ３１２は、光量調整部として例示される。尚、左眼及び右眼へ到達する映像光の光量を調整可能な他の光学素子が光量調整部として用いられてもよい。
【００２９】
左シャッタ３１１が閉じられるならば、左眼へ向かう映像光の光路が遮断される。したがって、左シャッタ３１１が閉じられている間、視聴者は、左眼で映像を視聴しにくくなる。左シャッタ３１１が開かれる間、左眼へ向かう映像光の光路が開かれる。この結果、左眼へ到達する映像光の光量は増大し、視聴者は、左眼で映像を視聴することができる。
【００３０】
右シャッタ３１２が閉じられるならば、右眼へ向かう映像光の光路が遮断される。したがって、右シャッタ３１２が閉じられている間、視聴者は、右眼で映像を視聴しにくくなる。右シャッタ３１２が開かれる間、右眼へ向かう映像光の光路が開かれる。この結果、右眼へ到達する映像光の光量は増大し、視聴者は、右眼で映像を視聴することができる。
【００３１】
眼鏡装置３００は、左シャッタ３１１及び右シャッタ３１２を独立して制御することができる。表示装置２００による左フレーム画像の表示に同期して、眼鏡装置３００は、左シャッタ３１１を開き、右シャッタ３１２を閉じる。この結果、表示装置２００が左フレーム画像を表示している間、左眼へ到達する映像光の光量は増大する一方で、右眼へ到達する映像光の光量は減少する。表示装置２００による右フレーム画像の表示に同期して、眼鏡装置３００は、右シャッタ３１２を開き、左シャッタ３１１を閉じる。この結果、表示装置２００が右フレーム画像を表示している間、右眼へ到達する映像光の光量は増大する一方で、左眼へ到達する映像光の光量は減少する。上述の第１補助動作の結果、視聴者は、左眼のみで左フレーム画像を観察し、右眼のみで右フレーム画像を観察することとなる。
【００３２】
図２Ａのセクション（ａ）には、右フレーム画像中に描かれたオブジェクトＯＲから右眼への光路ＴＰ１及び左フレーム画像中に描かれたオブジェクトＯＬから左眼への光路ＴＰ２が描かれている。光路ＴＰ１，ＴＰ２は、ディスプレイパネル２１０と視聴者との間で交差する。図２Ａのセクション（ａ）において、光路ＴＰ１，ＴＰ２の交点とディスプレイパネル２１０との間の距離は、「Ｙ１」の符号を用いて表されている。視聴者が、眼鏡装置３００の第１補助動作の下、図２Ａに示される左フレーム画像及び右フレーム画像を観察するならば、視聴者は、ディスプレイパネル２１０から距離「Ｙ１」だけオブジェクトＯＰが飛び出したように感じることができる。かくして、ディスプレイパネル２１０は、立体表示モード下において、適切に立体映像を表示することができる。
【００３３】
図２Ｂのセクション（ａ）には、右フレーム画像中に描かれたオブジェクトＯＲから右眼への光路ＴＰ１及び左フレーム画像中に描かれたオブジェクトＯＬから左眼への光路ＴＰ２が描かれている。光路ＴＰ１，ＴＰ２は、距離「Ｙ２」だけディスプレイパネル２１０よりも視聴者から離れた位置で交差する。視聴者が、眼鏡装置３００の第１補助動作の下、図２Ｂに示される左フレーム画像及び右フレーム画像を観察するならば、視聴者は、ディスプレイパネル２１０から距離「Ｙ２」だけオブジェクトＯＰが引っ込んだように感じることができる。かくして、ディスプレイパネル２１０は、立体表示モード下において、適切に立体映像を表示することができる。
【００３４】
図３Ａ及び図３Ｂは、２重表示モードにおける表示装置２００及び眼鏡装置３００の動作の概略図である。図１、図３Ａ及び図３Ｂを用いて、映像システム１００が更に説明される。
【００３５】
２重表示モードにおいて、表示装置２００は、互いに異なるコンテンツを表現する第１映像及び第２映像を時分割で表示する。この結果、ディスプレイパネル２１０には、第１映像及び第２映像が交互に表示される。図３Ａ及び図３Ｂにおいて、第１映像として、「自動車」の映像が表されている。第２映像として、「ロケット」の映像が表されている。
【００３６】
図１に示される如く、眼鏡装置３００は、スイッチ素子３２０を備える。視聴者は、スイッチ素子３２０を操作し、第１映像及び第２映像のうち一方を選択することができる。本実施形態において、スイッチ素子３２０は、選択部として例示される。
【００３７】
図３Ａは、視聴者が第１映像を選択したときの眼鏡装置３００の動作を概略的に表す。図３Ｂは、視聴者が第２映像を選択したときの眼鏡装置３００の動作を概略的に表す。
【００３８】
表示装置２００の表示モードが、立体表示モードから２重表示モードに切り替えられるならば、眼鏡装置３００は、立体映像の視聴を補助する第１補助動作から第１映像又は第２映像の視聴を補助するための第２補助動作に動作モードを切り替える。表示装置２００の表示モードが、２重表示モードから立体表示モードへ切り替えられるならば、眼鏡装置３００は、第２補助動作から第１補助動作へ動作モードを切り替える。表示モードの切替に応じた動作モードの切替制御は後述される。
【００３９】
図３Ａに示される如く、視聴者が第１映像を選択するならば、眼鏡装置３００は、第１映像の表示に同期して、左シャッタ３１１及び右シャッタ３１２をともに開く。この結果、視聴者は、両眼で第１映像を観察することができる。また、眼鏡装置３００は、第２映像の表示に同期して、左シャッタ３１１及び右シャッタ３１２をともに閉じる。この結果、視聴者は、第２映像を観察することなしに第１映像を観察することができる。
【００４０】
図３Ｂに示される如く、視聴者が第２映像を選択するならば、眼鏡装置３００は、第２映像の表示に同期して、左シャッタ３１１及び右シャッタ３１２をともに開く。この結果、視聴者は、両眼で第２映像を観察することができる。また、眼鏡装置３００は、第１映像の表示に同期して、左シャッタ３１１及び右シャッタ３１２をともに閉じる。この結果、視聴者は、第１映像を観察することなしに第２映像を観察することができる。
【００４１】
図１に示される如く、表示装置２００は、眼鏡装置３００を制御する制御信号を送信するための送信素子２２０を備える。眼鏡装置３００は、制御信号を受信する受信素子３３０を備える。制御信号は、表示装置２００の表示動作に同期した眼鏡装置３００の上述の動作を達成するために必要な情報を伝達するための様々なコマンド信号を含む。制御信号の構成は、後述される。
【００４２】
＜表示装置の構成＞
図４は、表示装置２００の機能構成を概略的に表すブロック図である。図１及び図４を用いて、表示装置２００が説明される。
【００４３】
表示装置２００は、復号部４３０、信号分離部４４０、信号処理部４５０、制御信号生成部４６０、表示部４１０及び送信部４２０を備える。表示部４１０は、図１を参照して説明されたディスプレイパネル２１０に相当する。送信部４２０は、図１を参照して説明された送信素子２２０に相当する。
【００４４】
符号化された映像信号は、外部から、復号部４３０に入力される。復号部４３０は、入力された映像信号を復号化する。復号部４３０は、復号化された映像信号を信号分離部４４０に出力する。本実施形態において、復号化された映像信号が、表示装置２００に対する入力信号として用いられる。代替的に、映像の表示に必要とされる情報を含む他の信号が表示装置２００に入力されてもよい。
【００４５】
信号分離部４４０は、映像信号が、立体映像を表示するための映像信号（以下、「立体映像信号」と称される）であるか、或いは、２重表示モード用の映像信号（以下、「２重モード映像信号」と称される）であるかを見極める。立体映像信号が、信号分離部４４０に入力されるならば、信号分離部４４０は、左フレーム画像を表示するための映像信号（以下、「Ｌ映像信号」と称される）と右フレーム画像を表示するための映像信号（以下、「Ｒ映像信号」と称される）とに入力された映像信号を分離する。２重モード映像信号が、信号分離部４４０に入力されるならば、第１映像を表示するための映像信号（以下、「第１映像信号」と称される）と第２映像を表示するための映像信号（以下、「第２映像信号」と称される）とに入力された映像信号を分離する。信号分離部４４０によって分離された映像信号は、信号処理部４５０及び制御信号生成部４６０に出力される。
【００４６】
信号処理部４５０は、信号分離部４４０によって分離された映像信号（Ｌ映像信号及びＲ映像信号又は第１映像信号及び第２映像信号）を、表示部４１０の表示形式に適合させるように処理する。例えば、信号処理部４５０は、表示部４１０の表示能力に応じた色域に、映像信号が規定する色域情報を変更する。信号処理部４５０は、映像の視聴時に妨げとなる残光を低減するための処理を実行してもよい。信号処理部４５０は、映像信号が規定するフレームレート（フィールド期間）を、表示部４１０の表示方式或いは表示能力に適した周波数に変更してもよい。信号処理部４５０によって処理された映像信号は、表示部４１０に出力される。
【００４７】
表示部４１０は、信号処理部４５０によって処理された映像信号を映像として表示する。信号処理部４５０が、Ｌ映像信号及びＲ映像信号を処理するならば、表示部４１０は、左フレーム画像と右フレーム画像とを交互に表示する。信号処理部４５０が、第１映像信号及び第２映像信号を処理するならば、表示部４１０は、第１映像と第２映像とを交互に表示する。
【００４８】
上述の如く、表示部４１０は、図１を参照して説明されたディスプレイパネル２１０に相当する。表示部４１０として、液晶ディスプレイパネル、プラズマディスプレイパネルや映像を表示することができる他の表示デバイスが例示される。
【００４９】
制御信号生成部４６０は、信号分離部４４０が分離した映像信号が含む情報に基づいて、表示装置２００に入力された映像信号が立体映像信号であるか、或いは、２重モード映像信号であるかを見極める。映像信号として立体映像信号が用いられているならば、制御信号生成部４６０は、眼鏡装置３００が第１補助動作を実行するための制御信号を生成する。映像信号として２重モード映像信号が用いられているならば、制御信号生成部４６０は、眼鏡装置３００が第２補助動作を実行するための制御信号を生成する。
【００５０】
視聴者が、例えば、チャンネルを変更するならば、表示装置２００に入力される映像信号は、立体映像信号から２重モード映像信号に、或いは、２重モード映像信号から立体映像信号に切り替わることもある。制御信号生成部４６０は、信号分離部４４０が分離した映像信号が含む情報に基づいて、これらの映像信号の種類の変更を見極めることができる。制御信号生成部４６０は、立体表示モードと２重表示モードとの切替に応じて、眼鏡装置３００の動作を停止させるための制御信号を生成する。これらの制御信号は、送信部４２０に出力される。制御信号生成部４６０は、停止させるための制御信号を生成した後、切り替わり後の映像信号に応じた制御信号を生成する。尚、これらの制御信号の構成は後述される。
【００５１】
送信部４２０は、制御信号生成部４６０が生成した制御信号を眼鏡装置３００に送信する。上述の如く、送信部４２０は、図１に関連して説明された送信素子２２０に相当する。本実施形態において、制御信号として、赤外線信号が用いられる。代替的に、制御信号は、無線信号や眼鏡装置３００の動作に必要とされる情報を伝達可能な他の信号であってもよい。上記のような構成により、表示装置２００が表示する映像の種類に応じて、眼鏡装置３００が追従して動作を自動的に切替えることが可能となる。これは、表示装置が表示する映像の種類を切替える際において、表示装置２００が表示する映像と眼鏡装置３００の動作の一致しないことによる、視聴者が好適でない映像視聴をする可能性を抑制する効果がある。
【００５２】
＜眼鏡装置の構成＞
図５は、眼鏡装置３００の機能構成を概略的に表すブロック図である。図１及び図５を用いて、眼鏡装置３００が説明される。
【００５３】
眼鏡装置３００は、受信部５３０、検出部５４０、解析部５５０、記憶部５６０、内部信号生成部５７０、光量制御部５８０、選択部５２０及び光量調整部５１０を備える。
【００５４】
受信部５３０は、図１を参照して説明された受信素子３３０に相当する。受信部５３０は、表示装置２００から送信された制御信号（赤外線信号）を受信する。受信部５３０は、その後、制御信号を電気信号に変換する。電気信号に変換された制御信号は、検出部５４０に出力される。
【００５５】
検出部５４０は、制御信号に含まれるコマンド信号（後述される）を検出する。尚、使用されるコマンド信号の種類は、表示装置２００と眼鏡装置３００との間で予め設定された通信プロトコルによって、前もって定められている。検出部５４０によって検出されたコマンド信号は、解析部５５０に出力される。検出部５４０は、通信プロトコルに規定されていない信号をノイズ信号として除去してもよい。
【００５６】
解析部５５０は、検出部５４０が出力したコマンド信号から眼鏡装置３００の制御（図１を参照して説明された左シャッタ３１１及び右シャッタ３１２の動作に対する制御）に必要な情報を解析する。解析部５５０は、例えば、コマンド信号の種類を識別する。加えて、解析部５５０は、コマンド信号の受信時刻を測定する。解析部５５０は、例えば、コマンド信号の受信時刻の情報を用いて、同一種のコマンド信号の受信間隔を算出してもよい。加えて、解析部５５０は、コマンド信号の受信時刻の情報を用いて、コマンド信号の種類の応じた受信順序に関する情報を取得してもよい。必要に応じて、解析部５５０は、眼鏡装置３００が実行している動作と受信されたコマンド信号とを対比し、眼鏡装置３００に要求されている動作を解析してもよい。解析部５５０が通信プロトコルに規定されていない情報を取得するならば、解析部５５０は検出部５４０から出力されたコマンド信号をノイズ信号として除去してもよい。解析部５５０によって取得された情報は、記憶部５６０に出力される。
【００５７】
記憶部５６０は、解析部５５０によって取得された様々な種類の情報（例えば、コマンド信号の種類及び受信時刻、同一種のコマンド信号の受信間隔、コマンド信号の種類に応じた受信順序に関する情報）を記憶する。記憶部５６０は、情報を記憶可能な様々なメモリ素子であってもよい。
【００５８】
選択部５２０は、図１を参照して説明されたスイッチ素子３２０に相当する。選択部５２０は、視聴者が第１映像を選択しているか、又は、第２映像を選択しているかに関する情報を内部信号生成部５７０に出力する。
【００５９】
内部信号生成部５７０は、記憶部５６０に記憶された情報を読み出す。内部信号生成部５７０は、読み出された情報に応じて、光量調整部５１０を動作させるための内部信号を生成する。内部信号は、光量制御部５８０に出力される。受信部５３０が、第２補助動作の実行を指示する制御信号を受信するならば、内部信号生成部５７０は、記憶部５６０に記憶された情報だけでなく、選択部５２０から出力された情報にも応じて、内部信号を生成する。一方、受信部５３０が、第１補助動作の実行を指示する制御信号を受信するならば、内部信号生成部５７０は、選択部５２０から出力された情報に依存することなく、記憶部５６０に記憶された情報に応じて、内部信号を生成する。
【００６０】
光量制御部５８０は、内部信号生成部５７０が生成した内部信号に応じて、光量調整部５１０を駆動するための駆動信号を生成する。駆動信号は、光量調整部５１０に出力される。
【００６１】
光量調整部５１０は、左眼へ到達する映像光の光量を調整する左調整部５１１と、右眼へ到達する映像光の光量を調整する右調整部５１２と、を備える。左調整部５１１は、図１を参照して説明された左シャッタ３１１に相当する。右調整部５１２は、図１を参照して説明された右シャッタ３１２に相当する。左シャッタ３１１及び右シャッタ３１２が、液晶を利用した液晶シャッタ素子であるならば、上述の光量制御部５８０は、液晶シャッタ素子の液晶を駆動する駆動回路であってもよい。
【００６２】
左調整部５１１及び右調整部５１２は、光量制御部５８０からの駆動信号に応じて動作する。上述の如く、受信部５３０が、第１補助動作の実行を指示する制御信号を受信するならば、光量制御部５８０は、光量調整部５１０に第１補助動作を実行させるための駆動信号を出力する。この結果、表示装置２００が左フレーム画像を表示しているならば、左調整部５１１は、左眼へ到達する映像光の光量を増大させる一方で、右調整部５１２は、右眼へ到達する映像光の光量を低減させる。表示装置２００が右フレーム画像を表示しているならば、左調整部５１１は、左眼へ到達する映像光の光量を低減させる一方で、右調整部５１２は、右眼へ到達する映像光の光量を低減させる。選択部５２０が、第１映像が選択されていることを内部信号生成部５７０に通知し、且つ、表示装置２００が第１映像を表示しているならば、左調整部５１１及び右調整部５１２は、両眼へ到達する映像光の光量を増大させる。一方、選択部５２０が、第１映像が選択されていることを内部信号生成部５７０に通知し、且つ、表示装置２００が第２映像を表示しているならば、左調整部５１１及び右調整部５１２は、両眼へ到達する映像光の光量を低減させる。選択部５２０が、第２映像が選択されていることを内部信号生成部５７０に通知し、且つ、表示装置２００が第２映像を表示しているならば、左調整部５１１及び右調整部５１２は、両眼へ到達する映像光の光量を増大させる。選択部５２０が、第２映像が選択されていることを内部信号生成部５７０に通知し、且つ、表示装置２００が第１映像を表示しているならば、左調整部５１１及び右調整部５１２は、両眼へ到達する映像光の光量を低減させる。
【００６３】
後述されるように、検出部５４０、解析部５５０、記憶部５６０、内部信号生成部５７０及び光量制御部５８０は、光量調整部５１０の様々な動作の制御に用いられる。本実施形態において、検出部５４０、解析部５５０、記憶部５６０、内部信号生成部５７０及び光量制御部５８０は、制御部として例示される。尚、制御部は、ＣＰＵといった情報処理素子を用いたソフトウェアプログラムとして実現されてもよい。
【００６４】
本実施形態において、受信部５３０が受信した制御信号に応じて、内部信号生成部５７０が光量調整部５１０の動作を規定する内部信号を生成している。代替的に、解析部は、検出部が検出したコマンド信号に応じて、光量調整部を直接的に制御してもよい。この場合、光量調整部は、受信部が受信した制御信号に応じて、直接的に制御されることとなる。
【００６５】
本実施形態において、選択部５２０は、内部信号生成部５７０に、視聴者が選択した映像の情報を出力する。受信部５３０が受信した制御信号が第２補助動作の実行を指示しているならば、内部信号生成部５７０は、選択部５２０からの情報に応じた内部信号を生成する。代替的に、選択部は、視聴者が選択した映像の情報を、光量制御部に出力してもよい。光量制御部は、内部信号生成部からの内部信号及び選択部からの選択情報に応じて、光量調整部を駆動させる駆動信号を生成並びに出力してもよい。
【００６６】
＜眼鏡装置の動作＞
上述の如く、眼鏡装置３００の光量調整部５１０は、表示装置２００から送信された制御信号に応じて、左眼及び右眼へ到達する映像光の光量を調整する。眼鏡装置３００が受信する制御信号は、光量調整部５１０に立体映像を視聴させるための第１補助動作を実行させるための信号、光量調整部５１０に第１映像又は第２映像を視聴させるための第２補助動作を実行させるための信号及び光量調整部５１０を停止させるための信号を含む。これらの信号のうち、第１補助動作又は第２補助動作を実行させるための信号は、表示装置２００の映像表示動作と光量調整部５１０の光量調整動作とを同期させるためのタイミング情報を通知する。したがって、第１補助動作を実行させるための制御信号及び第２補助動作を実行させるための制御信号は、以下の説明において、「タイミング信号」と称される。光量調整部５１０を停止させるための制御信号は、以下の説明において、「停止信号」と称される。
【００６７】
図６は、表示装置２００がタイミング信号を送信している間の眼鏡装置３００の動作モードの変化の概略図である。図３乃至図５を用いて、眼鏡装置３００の動作が説明される。
【００６８】
眼鏡装置３００の動作は、拘束モード、自走モード及び停止モードの間で推移する。
【００６９】
（拘束モード）
受信部５３０がタイミング信号を適切に受信しているならば、眼鏡装置３００は拘束モードで動作する。拘束モードにおいて、光量調整部５１０の動作はタイミング信号に拘束される。
【００７０】
立体表示モード下で動作する表示装置２００の制御信号生成部４６０は、左フレーム画像の視聴開始タイミングを通知するためのコマンド信号、左フレーム画像の視聴終了タイミングを通知するためのコマンド信号、右フレーム画像の視聴開始タイミングを通知するためのコマンド信号及び右フレーム画像の視聴終了タイミングを通知するためのコマンド信号を含むタイミング信号（以下、「第１タイミング信号」と称される）を生成する。眼鏡装置３００の光量調整部５１０は、これらの４種のコマンド信号を含む第１タイミング信号に応じて動作する。本実施形態において、第１タイミング信号は、第１制御信号として例示される。
【００７１】
左調整部５１１は、左フレーム画像の視聴開始タイミングを通知するためのコマンド信号によって規定された時刻に、左眼へ到達する映像光の光量を増大させる。以下の説明において、左フレーム画像の視聴開始タイミングを通知するためのコマンド信号は、「左増信号」と称される。左調整部５１１は、左フレーム画像の視聴終了タイミングを通知するためのコマンド信号によって規定された時刻に、左眼へ到達する映像光の光量を低減させる。以下の説明において、左フレーム画像の視聴終了タイミングを通知するためのコマンド信号は、「左減信号」と称される。右調整部５１２は、右フレーム画像の視聴開始タイミングを通知するためのコマンド信号によって規定された時刻に、右眼へ到達する映像光の光量を増大させる。以下の説明において、右フレーム画像の視聴開始タイミングを通知するためのコマンド信号は、「右増信号」と称される。右調整部５１２は、右フレーム画像の視聴終了タイミングを通知するためのコマンド信号によって規定された時刻に、右眼へ到達する映像光の光量を低減させる。以下の説明において、右フレーム画像の視聴終了タイミングを通知するためのコマンド信号は、「右減信号」と称される。
【００７２】
表示装置２００が、立体表示モード下で動作し、且つ、受信部５３０が第１タイミング信号を適切に受信しているならば、眼鏡装置３００の光量制御部５８０は、拘束モード下において、左増信号、左減信号、右増信号及び右減信号に応じて、左眼及び右眼に到達する映像光の光量の調整タイミングを決定し、光量調整部５１０に第１補助動作を実行させる。
【００７３】
２重表示モード下で動作する表示装置２００の制御信号生成部４６０は、第１映像の視聴開始タイミングを通知するためのコマンド信号と、第１映像の視聴終了タイミングを通知するためのコマンド信号と、を含むタイミング信号（以下、「第２タイミング信号」と称される）を生成する。眼鏡装置３００の選択部５２０が、視聴者によって第１映像が選択されたことを、内部信号生成部５７０に通知しているならば、内部信号生成部５７０は、これら２種類のコマンド信号に規定される時刻に光量調整部５１０が光量調整動作を行うように内部信号を生成する。眼鏡装置３００の選択部５２０が、視聴者によって第２映像が選択されたことを、内部信号生成部５７０に通知しているならば、内部信号生成部５７０は、これら２種類のコマンド信号の受信周期に対して、光量調整部５１０の光量調整動作が所定量の位相遅れを生ずるように内部信号を生成する。
【００７４】
本実施形態において、制御信号生成部４６０は、第１映像の視聴開始タイミングを通知するためのコマンド信号と、第１映像の視聴終了タイミングを通知するためのコマンド信号と、を含む第２タイミング信号を生成する。代替的に、制御信号生成部は、第２映像の視聴開始タイミングを通知するためのコマンド信号と、第２映像の視聴終了タイミングを通知するためのコマンド信号と、を含む第２タイミング信号を生成してもよい。尚、第２タイミング信号は、第２制御信号として例示される。また、制御信号生成部４６０は、信号生成部として例示される。
【００７５】
眼鏡装置３００の選択部５２０が、視聴者によって第１映像が選択されたことを、内部信号生成部５７０に通知しているならば、左調整部５１１及び右調整部５１２は、第１映像の視聴開始タイミングを通知するためのコマンド信号によって規定された時刻に、左眼及び右眼へ到達する光量をそれぞれ増大させる。以下の説明において、第１映像の視聴開始タイミングを通知するためのコマンド信号は、「増大信号」と称される。眼鏡装置３００の選択部５２０が、視聴者によって第２映像が選択されたことを、内部信号生成部５７０に通知しているならば、左調整部５１１及び右調整部５１２は、増大信号によって規定された時刻に対して、所定の位相遅れを以て、左眼及び右眼へ到達する光量をそれぞれ増大させる。
【００７６】
眼鏡装置３００の選択部５２０が、視聴者によって第１映像が選択されたことを、内部信号生成部５７０に通知しているならば、左調整部５１１及び右調整部５１２は、第１映像の視聴終了タイミングを通知するためのコマンド信号によって規定された時刻に、左眼及び右眼へ到達する光量をそれぞれ低減させる。以下の説明において、第１映像の視聴終了タイミングを通知するためのコマンド信号は、「低減信号」と称される。眼鏡装置３００の選択部５２０が、視聴者によって第２映像が選択されたことを、内部信号生成部５７０に通知しているならば、左調整部５１１及び右調整部５１２は、低減信号によって規定された時刻に対して、所定の位相遅れを以て、左眼及び右眼へ到達する光量をそれぞれ低減させる。
【００７７】
上述の如く、２重表示モード下において、２種類のコマンド信号が第２タイミング信号として利用される。眼鏡装置３００は、２種類のコマンド信号の受信周期に関する情報を用いて、第１映像又は第２映像の表示タイミングを判定する。したがって、少ない種類のコマンド信号を用いて、表示装置２００と眼鏡装置３００との間の同期制御が達成される。立体表示モード及び２重表示モードにおいて送信される様々なコマンド信号の構成は後述される。
【００７８】
（自走モード）
視聴者と表示装置２００との間を通過する障害物、ノイズや他の因子に起因して、表示装置２００と眼鏡装置３００との間の通信に不具合が生ずることがある。受信部５３０がタイミング信号を適切に受信しない不受信期間が開始されると、眼鏡装置３００は自走モードで動作する。自走モードにおいて、光量調整部５１０の動作は、不受信期間の開始前に適切に受信されたタイミング信号に基づく。
【００７９】
受信部５３０が適切に第１タイミング信号を受信している間、記憶部５６０には、左増信号、左減信号、右増信号及び右減信号の受信時刻に関する情報が順次格納される。受信部５３０が適切に第２タイミング信号を受信している間、記憶部５６０には、増加信号及び低減信号の受信時刻に関する情報が順次格納される。内部信号生成部５７０は、不受信期間が開始すると、記憶部５６０に記憶された受信時刻に基づき、内部信号を生成する。この結果、タイミング信号が適切に受信されなくとも、光量調整部５１０は光量調整動作を継続することができる。
【００８０】
（停止モード）
視聴者に対する安全性の観点及び／又は制御上の理由から、左調整部５１１及び右調整部５１２が左眼及び右眼へ到達する映像光の光量を増大させたまま停止する停止モードが設定される。上述の自走モードが長期間継続するならば、光量調整部５１０の光量調整動作と表示部４１０の表示動作との間での同期が維持されないこともある。このような不都合を回避するために、停止モードが設定される。停止モード下において、光量調整部５１０は光の透過を許容する状態を保持したまま停止する（即ち、左シャッタ３１１及び右シャッタ３１２は、開状態を保持したまま停止する）。したがって、視聴者は、眼鏡装置３００を装着したまま周囲を見渡すことができる。かくして、視聴者は安全に所望の動作を行うことができる。
【００８１】
（拘束モードと自走モードとの間での推移）
受信部５３０がタイミング信号を適切に受信している間、拘束モードでの動作が実行される。タイミング信号及び停止信号がともに受信されない受信期間が開始すると、拘束モードから自走モードへ眼鏡装置３００の動作が変更される。内部信号生成部５７０は、不受信期間の長さを計時してもよい。内部信号生成部５７０が測定した時間が、不受信期間に対して予め定められた閾値期間を超過する前に、受信部５３０がタイミング信号を適切に受信するならば、眼鏡装置３００は拘束モードで再度動作する。
【００８２】
（自走モードと停止モードとの間での推移）
内部信号生成部５７０が測定した時間が、不受信期間に対して予め定められた閾値期間、例えば、数分間を超過するならば、内部信号生成部５７０は、光量制御部５８０へ光量調整部５１０の光量調整動作を停止させるための内部信号を出力する。この結果、眼鏡装置３００の動作は、自走モードから停止モードへ変化する。眼鏡装置３００が長らく不受信の状態にあるので、眼鏡装置３００の動作の停止は、不必要な電力消費の削減に貢献する。
【００８３】
（停止モードと拘束モードとの間での推移）
停止モードの間、受信部５３０が第１タイミング信号を受信しているならば、左増信号、左減信号、右増信号及び右減信号の受信時刻に関する情報が記憶部５６０に順次格納される。停止モードの間、受信部５３０が第２タイミング信号を受信しているならば、記憶部５６０には、増加信号及び低減信号の受信時刻に関する情報が順次格納される。内部信号生成部５７０が左眼及び右眼への入射光量を増加させる増加期間のタイミングを決定するために十分な情報が記憶部５６０に格納されると、眼鏡装置３００の動作は、停止モードから拘束モードに移行する。
【００８４】
上述の如く、表示装置２００へ入力される映像信号が、立体映像信号から２重モード映像信号に切り替えられるならば、或いは、表示装置２００へ入力される映像信号が、２重モード映像信号から立体映像信号に切り替えられるならば、表示装置２００の制御信号生成部４６０は、停止信号を生成する。表示装置２００の送信部４２０は、その後、停止信号を眼鏡装置３００に送信する。
【００８５】
以下に、表示装置２００が停止信号を送信している間の眼鏡装置３００の動作モードの変化が説明される。尚、「不受信期間」との用語は、タイミング信号だけでなく停止信号もが適切に受信されない期間を意味する。なお、表示装置２００が停止信号を送信している間における自走モード（即ち、眼鏡装置３００の受信部５３０が適切に停止信号を受信していない間の自走モード）は、上述の自走モードと同様である。
【００８６】
拘束モードで動作する眼鏡装置３００の受信部５３０が停止信号を受信すると、眼鏡装置３００の動作は、拘束モードから停止モードへ移行する。上述の如く、停止信号の受信は、表示部４１０の表示モードの変更を意味する。表示モードの変更の結果、フレーム画像の表示タイミングは変動する。本実施形態において、停止信号の受信に伴って、光量調整部５１０の動作は停止するので、視聴者は、光量調整部５１０の開閉動作とフレーム画像の表示との間の非同期に起因するフリッカをほとんど知覚しない。
【００８７】
本実施形態において、表示装置２００の送信部４２０は、２重表示モードから立体表示モードへの切替に応じて、停止信号を所定回数繰り返し送信する。その後、送信部４２０は、第１タイミング信号を眼鏡装置３００に送信する。表示装置２００の送信部４２０は、立体表示モードから２重表示モードへの切替に応じて、停止信号を所定回数繰り返し送信する。その後、送信部４２０は、第２タイミング信号を眼鏡装置３００に送信する。
【００８８】
眼鏡装置３００の受信部５３０は、新たな表示モード下で送信されたタイミング信号を受信する。表示装置２００の表示モードが、２重表示モードから立体表示モードに切り替えられるならば、解析部５５０は、第１タイミング信号に基づき、左増信号、左減信号、右増信号及び右減信号の受信時刻に関する情報を取得し、記憶部５６０に記録する。表示装置２００の表示モードが立体表示モードから２重表示モードに切り替えられるならば、増大信号及び低減信号の受信時刻に関する情報を取得し、記憶部５６０に記録する。
【００８９】
内部信号生成部５７０は、停止信号の受信前に記憶部５６０に記録された制御情報を無視し、表示モードの切替後に受信部５３０によって受信された信号（第１タイミング信号又は第２タイミング信号）に基づき、内部信号を生成する。
【００９０】
内部信号生成部５７０は、複数の第１タイミング信号から得られた左増信号、左減信号、右増信号及び右減信号の受信時刻を平均化してもよい。内部信号生成部５７０は、平均化された左増信号及び左減信号の受信時刻に応じて、左調整部５１１が光量を増大するタイミングを決定してもよい。内部信号生成部５７０は、平均化された右増信号及び右減信号の受信時刻に応じて、右調整部５１２が光量を増大するタイミングを決定してもよい。内部信号生成部５７０は、平均化された増大信号及び低減信号の受信時刻に応じて、左調整部５１１及び右調整部５１２が光量を増大するタイミングを決定してもよい。
【００９１】
内部信号生成部５７０は、上述の平均化処理に従って決定されたタイミングの情報を含む内部信号を生成してもよい。停止モードは、内部信号生成部５７０が内部信号を生成するのに十分な情報を取得するまで継続する。内部信号生成部５７０が内部信号を生成し、光量調整部５１０を動作させると、眼鏡装置３００の動作は拘束モードに移る。
【００９２】
本実施形態において、表示装置２００へ入力される映像信号が、立体映像信号から２重モード映像信号に切り替えられるならば、或いは、２重モード映像信号から立体映像信号に切り替えられるならば、表示装置２００の制御信号生成部４６０は、停止信号を生成する。追加的に、制御信号生成部４６０は、表示される映像プログラムを切り替えるためのチャンネル変更があったときにも停止信号を生成してもよい。即ち、立体映像を視聴する視聴者が、映像プログラムを変更し、他の立体映像の表示を要求するならば、制御信号生成部４６０は、停止信号を生成する。或いは、２重表示モード下で表示される映像を視聴する視聴者が、映像プログラムを変更し、２重表示モード下で表示される他の映像の表示を要求するならば、制御信号生成部４６０は、停止信号を生成する。代替的に、信号分離部４４０によって分離された映像信号が規定する映像の表示周期が大きく変化したとき、制御信号生成部４６０は、停止信号を生成してもよい。
【００９３】
上述の如く、拘束モードにおいて、光量調整部５１０の動作周波数は有限値である。眼鏡装置３００は、第１タイミング信号又は第２タイミング信号に含まれるコマンド信号の組を連続的に受信する。この結果、眼鏡装置３００の光量調整部５１０は、コマンド信号の組に規定されるフレーム周波数に拘束され、光量調整動作を実行する。したがって、視聴者は、立体映像、第１映像又は第２映像を適切に観察することができる。第１タイミング信号又は第２タイミング信号に含まれるコマンド信号の組が適切に受信されない場合や光量調整部５１０の動作周波数が変動した場合、眼鏡装置３００は自走モードに入る。この結果、眼鏡装置３００は、光量調整部５１０の光量調整動作を継続することができる。眼鏡装置３００の受信部５３０が繰り返し停止信号を受信するならば、内部信号生成部５７０は、停止信号に応じた内部信号を生成する。この結果、光量制御部５８０は、光量調整部５１０を停止させるための駆動信号を生成し、眼鏡装置３００の動作を強制的に停止モードにする。停止モードの間、光量調整部５１０は左眼及び右眼への透過光量を増大させたまま停止する（即ち、左シャッタ３１１及び右シャッタ３１２は、開状態を保持したまま停止する）。
【００９４】
停止モードにおいて、眼鏡装置３００の動作周波数は無限値であり、光量調整部５１０は停止される。視聴者の安全性を確保するために、光量調整動作が停止されるならば、光量調整部５１０は、増大された透過光量を維持する。この結果、視聴者は、光量調整部５１０に妨げられることなく、周囲空間を見渡すことができる。尚、眼鏡装置３００が停止信号を受信し続ける限り、光量調整部５１０は増大された透過光量を維持する。停止モードにある眼鏡装置３００が第１タイミング信号又は第２タイミング信号に含まれるコマンド信号の組を受信するならば、眼鏡装置３００は、コマンド信号の組の受信時刻から所定期間経過後に拘束モードに移る。この結果、眼鏡装置３００は、所定の動作周波数（有限値）で光量調整部５１０を動作させる。なお、停止信号の受信に応じて光量調整部５１０が増大された透過光量を許容したまま停止し、且つ、第１タイミング信号又は第２タイミング信号が所定の期間、受信されないならば、停止信号の受信なしに、眼鏡装置３００の光量調整部５１０は、停止し続け、増大された透過光量を維持してもよい。
【００９５】
上述の如く、第１タイミング信号又は第２タイミング信号に含まれるコマンド信号の組が適切に受信されないならば、自走モードが、開始される。自走モードにある眼鏡装置３００は、先行して受信されたコマンド信号の組に従って、光量調整部５１０の光量調整動作を継続する。自走モードの動作周波数は、少なくとも数秒維持される。自走モードの眼鏡装置３００がコマンド信号の組を再度受信し、且つ、再度受信したコマンド信号の組に規定される動作周波数が維持されているならば、眼鏡装置３００は、拘束モードで動作する。或いは、自走モードの眼鏡装置３００がコマンド信号の組を再度受信し、且つ、再度受信したコマンド信号の組に規定される動作周波数が新たに設定されるならば、眼鏡装置３００は、拘束モードで動作する。自走モードの開始から、所定期間、第１タイミング信号又は第２タイミング信号が受信されないならば、眼鏡装置３００は、自走モードから停止モードに移る。
【００９６】
＜コマンド信号＞
図７は、表示装置２００と眼鏡装置３００との間の通信プロトコルによって規定されたコマンド信号ＣＳの概略図である。図４、図５及び図７を用いて、コマンド信号ＣＳが説明される。
【００９７】
コマンド信号ＣＳは、一定の周波数で送信されるパルス信号からなる。図７には、パルス信号がオンとなる６つのパルス位置ＰＬ１乃至ＰＬ６が示されている。本実施形態において、オンとオフとの間のデューティサイクルは、５０％である。
【００９８】
本実施形態において、パルス位置ＰＬ１におけるパルス信号はオンに設定され、当該パルス信号の立上縁ＵＥは、コマンド信号ＣＳの受信時刻の参照位置として処理される。また、パルス位置ＰＬ６におけるパルス信号もオンに設定される。眼鏡装置３００は、パルス位置ＰＬ６のオン信号を参照し、コマンド信号ＣＳの終端を検出する。
【００９９】
パルス位置ＰＬ１とパルス位置ＰＬ６との間のパルス位置ＰＬ２乃至ＰＬ５におけるオン・オフの設定に基づき、眼鏡装置３００の解析部５５０は、コマンド信号ＣＳが表す制御内容を解釈する。
【０１００】
図８Ａ乃至図８Ｆは、様々なコマンド信号ＣＳを示す。図４、図５、図７乃至図８Ｆを用いて、コマンド信号ＣＳが更に説明される。
【０１０１】
本実施形態のうち、１つのコマンド信号ＣＳ中において、オンに設定されるパルス信号の数は、４つである。
【０１０２】
図８Ａに示されるコマンド信号ＣＳは、パルス位置ＰＬ１、ＰＬ３、ＰＬ４、ＰＬ６にそれぞれ対応するパルス信号Ｐ１、Ｐ３、Ｐ４、Ｐ６がオンに設定されている。図８Ａ中の表記「２Ｄｈ」は、図８Ａのコマンド信号ＣＳのパルス信号のオン・オフのパターンに対応する１６進数を意味する。
【０１０３】
図８Ｂに示されるコマンド信号ＣＳは、パルス位置ＰＬ１、ＰＬ２、ＰＬ５、ＰＬ６にそれぞれ対応するパルス信号Ｐ１、Ｐ２、Ｐ５、Ｐ６がオンに設定されている。図８Ｂ中の表記「３３ｈ」は、図８Ｂのコマンド信号ＣＳのパルス信号のオン・オフのパターンに対応する１６進数を意味する。
【０１０４】
図８Ｃに示されるコマンド信号ＣＳは、パルス位置ＰＬ１、ＰＬ２、ＰＬ４、ＰＬ６にそれぞれ対応するパルス信号Ｐ１、Ｐ２、Ｐ４、Ｐ６がオンに設定されている。図８Ｃ中の表記「３５ｈ」は、図８Ｃのコマンド信号ＣＳのパルス信号のオン・オフのパターンに対応する１６進数を意味する。
【０１０５】
図８Ｄに示されるコマンド信号ＣＳは、パルス位置ＰＬ１、ＰＬ３、ＰＬ５、ＰＬ６にそれぞれ対応するパルス信号Ｐ１、Ｐ３、Ｐ５、Ｐ６がオンに設定されている。図８Ｄ中の表記「２Ｂｈ」は、図８Ｄのコマンド信号ＣＳのパルス信号のオン・オフのパターンに対応する１６進数を意味する。
【０１０６】
図８Ｅに示されるコマンド信号ＣＳは、パルス位置ＰＬ１、ＰＬ２、ＰＬ３、ＰＬ６にそれぞれ対応するパルス信号Ｐ１、Ｐ２、Ｐ３、Ｐ６がオンに設定されている。図８Ｅ中の表記「３９ｈ」は、図８Ｅのコマンド信号ＣＳのパルス信号のオン・オフのパターンに対応する１６進数を意味する。
【０１０７】
図８Ｆに示されるコマンド信号ＣＳは、パルス位置ＰＬ１、ＰＬ４、ＰＬ５、ＰＬ６にそれぞれ対応するパルス信号Ｐ１、Ｐ４、Ｐ５、Ｐ６がオンに設定されている。図８Ｆ中の表記「２７ｈ」は、図８Ｆのコマンド信号ＣＳのパルス信号のオン・オフのパターンに対応する１６進数を意味する。
【０１０８】
表示装置２００と眼鏡装置３００との間の通信プロトコルにおいて、図８Ａ乃至図８Ｆに示されるオン・オフのパターンの信号のみが通信されると規定され、且つ、受信部５３０が図８Ａ乃至図８Ｆに示されていないパターンの信号を受信するならば、検出部５４０又は解析部５５０は、受信部５３０が受信した信号をノイズ信号として処理することができる。受信部５３０が図８Ａ乃至図８Ｆに示されたパターンの信号を受信するならば、解析部５５０は、受信部５３０が受信した信号の受信時刻や光量調整部５１０の制御に必要な他の情報を記憶部５６０に記録する。
【０１０９】
上述の如く、コマンド信号は、オンに設定された４つのパルスを含むパルス列である。パルス列は、１番目のパルス（パルス位置ＰＬ１）及び６番目のパルス（パルス位置ＰＬ６）を含む。１番目のパルスと６番目のパルスとの間でのオン・オフのパターンに応じて、コマンド信号の種類が判定される。
【０１１０】
＜コマンド信号のパターン＞
上述の眼鏡装置３００の動作モードを実現するために、４つのパターンのコマンド信号の組（以下の説明において、「コマンドセット」と称される）が用意される。コマンドセットは、２又は４のパルスコマンドからなる。コマンドセットを受信すると、眼鏡装置３００は、動作モードを決定する。上述の「２Ｄｈ」のパルスパターンを有する信号は、コマンドセットのうち最初に送信されたコマンド信号として取り扱われる。「２Ｄｈ」のパルスパターンを有する信号は、４種のコマンドセットの中で共通して用いられる。「２Ｄｈ」のパルスパターンを有する信号の参照時刻（上述の立上縁ＵＥ）を基準に、光量調整部５１０は光量調整動作を行う。４つのコマンドセットが以下に示される。
【０１１１】
＜立体表示モードにおけるコマンドセットＡ＞
コマンドセットＡは、パルスパターン「２Ｄｈ」、「３３ｈ」、「３５ｈ」及び「２Ｂｈ」のコマンド信号を含む。
【０１１２】
＜立体表示モードにおけるコマンドセットＢ＞
コマンドセットＢは、パルスパターン「２Ｄｈ」、「２Ｂｈ」、「３５ｈ」及び「３３ｈ」のコマンド信号を含む。
【０１１３】
＜２重表示モードにおけるコマンドセット＞
２重表示モードにおけるコマンドセットは、「２Ｄｈ」及び「２７ｈ」のコマンド信号を含む。
【０１１４】
＜停止モードにおけるコマンドセット＞
停止モードにおけるコマンドセットは、「２Ｄｈ」及び「３９ｈ」のコマンド信号を含む。
【０１１５】
表示装置２００の送信部４２０は、表示装置２００に入力される映像信号によって規定される表示モード或いは表示モードの切替に応じて、「立体表示モードにおけるコマンドセットＡ」、「立体表示モードにおけるコマンドセットＢ」、「２重表示モードにおけるコマンドセット」及び「停止モードにおけるコマンドセット」を選択的に送信する。
【０１１６】
上述の如く、「２Ｄｈ」のパルスパターンを有するコマンド信号は、立体表示モード、２重表示モード及び停止モードにおいて送信される制御信号に共通して用いられる。本実施形態において、「２Ｄｈ」のパルスパターンを有するコマンド信号は、共通コマンド信号として、例示される。
【０１１７】
立体表示モード下で動作する表示装置２００の制御信号生成部４６０は、「２Ｄｈ」のパルスパターンを有するコマンド信号を含む４種のコマンド信号を有する第１タイミング信号を生成する。眼鏡装置３００の解析部５５０が、制御信号が上述の４種のコマンド信号を含むと判定するならば、光量調整部５１０は、光量制御部５８０の制御下で、第１補助動作を実行する。
【０１１８】
２重表示モード下で動作する表示装置２００の制御信号生成部４６０は、「２Ｄｈ」のパルスパターンを有するコマンド信号と、「２７ｈ」のパルスパターンを有するコマンド信号と、を含む第２タイミング信号を生成する。「２７ｈ」のパルスパターンを有するコマンド信号は、立体表示モード下で生成される第１タイミング信号が含む４種のコマンド信号とは異なる。眼鏡装置３００の解析部５５０が、制御信号が「２７ｈ」のパルスパターンを有するコマンド信号を含むと判定するならば、光量調整部５１０は、光量制御部５８０の制御下で、第２補助動作を実行する。本実施形態において、「２７ｈ」のパルスパターンを有するコマンド信号は、第１非共通コマンド信号として例示される。
【０１１９】
上述の如く、表示装置２００の表示モードが切り替えられるならば、制御信号生成部４６０は、立体映像を補助する第１補助動作、或いは、第１映像又は第２映像の視聴を補助する第２補助動作を実行する眼鏡装置３００を停止させるための停止信号を生成する。停止信号は、「２Ｄｈ」のパルスパターンを有するコマンド信号と、「３９ｈ」のパルスパターンを有するコマンド信号と、を含む。「３９ｈ」のパルスパターンを有するコマンド信号は、立体表示モード下で生成される第１タイミング信号が含む４種のコマンド信号及び第２タイミング信号が含む２種のコマンド信号とは異なる。
【０１２０】
表示装置２００の表示モードが切り替えられると、眼鏡装置３００の受信部５３０は、「２Ｄｈ」のパルスパターンを有するコマンド信号と、「３９ｈ」のパルスパターンを有するコマンド信号と、を含む停止信号を受信する。眼鏡装置３００の解析部５５０が、制御信号が「２Ｄｈ」のパルスパターンを有するコマンド信号と、「３９ｈ」のパルスパターンを有するコマンド信号と、を含むと判定するならば、光量調整部５１０は、光量制御部５８０の制御下で停止し、増大された透過光量を維持する。本実施形態において、「３９ｈ」のパルスパターンを有するコマンド信号は、第２非共通信号として例示される。
【０１２１】
＜立体表示モードにおける眼鏡装置の動作＞
図９及び図１０は、立体表示モードにおける眼鏡装置３００の動作を示す概略的なタイミングチャートである。図１、図４、図５並びに図８Ａ乃至図１０を用いて、立体表示モードにおける眼鏡装置３００の動作が説明される。
【０１２２】
図９及び図１０のセクション（ａ）は、表示装置２００の表示部４１０が表示するフレーム画像を示す。立体表示モード下において、表示装置２００の表示部４１０は、左フレーム画像及び右フレーム画像を交互に表示する。
【０１２３】
図９及び図１０のセクション（ｂ）は、眼鏡装置３００の受信部５３０が受信したコマンド信号を示す。図９及び図１０のセクション（ｃ）は、左眼への入射光量の変化を表す。図９及び図１０のセクション（ｄ）は、右眼への入射光量の変化を表す。
【０１２４】
本実施形態において、１６進数「２Ｄｈ」で表されるパルスのオン・オフのパターン（以下、パルスパターンと称される）を有するコマンド信号ＣＳは、左フレーム画像の視聴開始タイミングを通知するための左増信号ＬＯとして用いられる。１６進数「３３ｈ」で表されるパルスパターンのコマンド信号ＣＳは、左フレーム画像の視聴終了タイミングを通知するための左減信号ＬＣとして用いられる。１６進数「３５ｈ」で表されるパルスパターンのコマンド信号ＣＳは、右フレーム画像の視聴開始タイミングを通知するための右増信号ＲＯとして用いられる。１６進数「２Ｂｈ」で表されるパルスパターンのコマンド信号ＣＳは、右フレーム画像の視聴終了タイミングを通知するための右減信号ＲＣとして用いられる。本実施形態において、第１タイミング信号の共通コマンド信号（パルスパターン：「２Ｄｈ」）は、左フレーム画像の視聴開始タイミングを通知する。代替的に、第１タイミング信号の共通コマンド信号は、右フレーム画像の視聴開始タイミングを通知してもよい。
【０１２５】
図９及び図１０のセクション（ｃ）に示される如く、左調整部５１１は、左増信号ＬＯの受信に応じて、左増信号ＬＯの受信時刻に左眼への入射光量を増大させる。また、左調整部５１１は、左減信号ＬＣの受信に応じて、左減信号ＬＣの受信時刻に左眼への入射光量が低減させる。
【０１２６】
図９及び図１０のセクション（ｄ）に示される如く、右調整部５１２は、右増信号ＲＯの受信に応じて、右増信号ＲＯの受信時刻に右眼への入射光量を増大させる。また、右調整部５１２は、右減信号ＲＣの受信に応じて、右減信号ＲＣの受信時刻に右眼への入射光量を減少させる。
【０１２７】
眼鏡装置３００の解析部５５０は、共通コマンド信号（パルスパターン：「２Ｄｈ」）を基準に制御信号から様々な情報を取得する。解析部５５０が、共通コマンド信号の周期内において、４種のコマンド信号（パルスパターン：「２Ｄｈ」、「３３ｈ」、「３５ｈ」及び「２Ｂｈ」）を見出すならば、解析部５５０は、光量調整部５１０に第１補助動作を実行させることを決定する。
【０１２８】
解析部５５０は、コマンド信号ＣＳの種類の数だけでなく、コマンド信号ＣＳの受信順序に基づく情報の解析も実行する。解析部５５０は、左増信号ＬＯを受信してから、次の左増信号ＬＯを受信するまでに受信部５３０が受信した信号を１つの信号群として取り扱い、コマンド信号ＣＳの受信順序を判定する。例えば、図９に示されるコマンド信号ＣＳの受信順序は、左増信号ＬＯ、左減信号ＬＣ、右増信号ＲＯ、右減信号ＲＣの順である。図１０に示されるコマンド信号ＣＳの受信順序は、左増信号ＬＯ、右減信号ＲＣ、右増信号ＲＯ、左減信号ＬＣの順である。
【０１２９】
図９及び図１０のセクション（ｃ）及びセクション（ｄ）に示される如く、光量調整部５１０は、コマンド信号ＣＳの受信順序に応じて、左眼及び右眼に対する入射光量を変動させる。
【０１３０】
上述の如く、受信部５３０がパルスパターン「２Ｄｈ」、「３３ｈ」、「３５ｈ」及び「２Ｂｈ」のコマンド信号を順次周期的に受信する場合、又は、受信部５３０がパルスパターン「２Ｄｈ」、「２Ｂｈ」、「３５ｈ」及び「３３ｈ」のコマンド信号を順次周期的に受信する場合、眼鏡装置３００は、表示装置２００が立体表示モードで映像を表示していると判断する。受信されたコマンド信号のパルスパターンが「２Ｄｈ」、「３３ｈ」、「３５ｈ」及び「２Ｂｈ」の順であるならば、眼鏡装置３００は、図９に関連して説明された動作モードで光量調整部５１０が動作することを決定する。受信されたコマンド信号のパルスパターンが「２Ｄｈ」、「２Ｂｈ」、「３５ｈ」及び「３３ｈ」であるならば、図１０に関連して説明された動作モードで光量調整部５１０が動作することが決定される。
【０１３１】
眼鏡装置３００の左調整部５１１は、パルスパターン「２Ｄｈ」の最初のパルス信号Ｐ１の立上縁の受信時刻に左眼への入射光量の増加を開始する（即ち、左シャッタ３１１が開く）。眼鏡装置３００の左調整部５１１は、パルスパターン「３３ｈ」の最初のパルス信号Ｐ１の立上縁の受信時刻に左眼への入射光量の低減を開始する（即ち、左シャッタ３１１が閉じる）。尚、左調整部５１１は、パルスパターン「３３ｈ」の最初のパルス信号Ｐ１の立上縁の受信時刻から所定時間で所定の透過率（例えば、５０％）に到達するように入射光量の低減調整を実行することが好ましい。眼鏡装置３００の右調整部５１２は、パルスパターン「３５ｈ」の最初のパルス信号Ｐ１の立上縁の受信時刻に右眼への入射光量の増加を開始する（即ち、右シャッタ３１２が開く）。眼鏡装置３００の右調整部５１２は、パルスパターン「２Ｂｈ」の最初のパルス信号Ｐ１の立上縁の受信時刻に右眼への入射光量の低減を開始する（即ち、右シャッタ３１２が閉じる）。尚、右調整部５１２は、パルスパターン「３５ｈ」の最初のパルス信号Ｐ１の立上縁の受信時刻から所定時間で所定の透過率（例えば、５０％）に到達するように入射光量の低減調整を実行することが好ましい。
【０１３２】
＜２重表示モードにおける眼鏡装置の動作＞
図１１は、第１映像を選択した視聴者の眼鏡装置３００の動作を概略的に示すタイミングチャートである。図１２は、第２映像を選択した視聴者の眼鏡装置３００の動作を概略的に示すタイミングチャートである。図１、図４、図５、図１１及び図１２を用いて、２重表示モード下での眼鏡装置３００の動作が説明される。
【０１３３】
図１１及び図１２のセクション（ａ）は、２重表示モード下において表示装置２００の表示部４１０が表示するフレーム画像を示す。表示部４１０は、第１映像のフレーム画像及び第２映像のフレーム画像を交互に表示する。
【０１３４】
図１１及び図１２のセクション（ｂ）は、眼鏡装置３００の受信部５３０が受信したコマンド信号を示す。図１１及び図１２のセクション（ｃ）は、左眼への入射光量の変化を表す。図１１及び図１２のセクション（ｄ）は、右眼への入射光量の変化を表す。
【０１３５】
２重表示モードにおいて、表示装置２００の送信部４２０は、１６進数「２Ｄｈ」で表されるパルスパターンを有するコマンド信号ＣＳと、１６進数「２７ｈ」で表されるパルスパターンを有するコマンド信号ＣＳと、を制御信号として送信する。１６進数「２Ｄｈ」で表されるパルスパターンを有するコマンド信号ＣＳは、第１映像の視聴開始タイミングを通知する増大信号として用いられる。１６進数「２７ｈ」で表されるパルスパターンを有するコマンド信号ＣＳは、第１映像の視聴終了タイミングを通知する低減信号として用いられる。尚、光量調整部５１０は、パルスパターン「２７ｈ」の最初のパルス信号Ｐ１の立上縁の受信時刻から所定時間で所定の透過率（例えば、５０％）に到達するように入射光量の低減調整を実行することが好ましい。
【０１３６】
本実施形態において、第２タイミング信号の共通コマンド信号（パルスパターン：「２Ｄｈ」）は、第１映像の視聴開始タイミングを通知する増大信号として用いられる。代替的に、第２タイミング信号の共通コマンド信号は、第２映像の視聴開始タイミングを通知してもよい。
【０１３７】
眼鏡装置３００の解析部５５０は、共通コマンド信号（パルスパターン：「２Ｄｈ」）を基準に制御信号から様々な情報を取得する。解析部５５０が、共通コマンド信号の周期内において、１６進数「２７ｈ」で表されるパルスパターンを有するコマンド信号ＣＳを見出すならば、解析部５５０は、光量調整部５１０に第２補助動作を実行させることを決定する。
【０１３８】
図５を参照して説明された如く、内部信号生成部５７０は、解析部５５０によって取得された情報だけでなく、選択部５２０から出力された情報（第１映像が選択されているか、第２映像が選択されているかを表す情報）に応じて、内部信号を生成する。選択部５２０からの情報が、視聴者が第１映像を選択していることを表すならば、内部信号生成部５７０は、１６進数「２Ｄｈ」で表されるパルスパターンを有するコマンド信号ＣＳの受信時刻に、左調整部５１１及び右調整部５１２が両眼への入射光量を増大させることを決定する内部信号を生成する。加えて、選択部５２０からの情報が、視聴者が第１映像を選択していることを表すならば、内部信号生成部５７０は、１６進数「２７ｈ」で表されるパルスパターンを有するコマンド信号ＣＳの受信時刻に、左調整部５１１及び右調整部５１２が両眼への入射光量を低減させることを決定する内部信号を生成する。
【０１３９】
内部信号生成部５７０は、解析部５５０が記憶部５６０に記憶させた情報を用いて、共通コマンド信号（パルスパターン：「２Ｄｈ」）の受信周期を判定する。選択部５２０からの情報が、視聴者が第２映像を選択していることを表すならば、内部信号生成部５７０は、１６進数「２Ｄｈ」で表されるパルスパターンを有するコマンド信号ＣＳの受信時刻に対して「１８０°」だけ位相が遅れた時刻（即ち、半周期だけ遅れた時刻）に左調整部５１１及び右調整部５１２が両眼への入射光量を増大させることを決定する内部信号を生成する。加えて、選択部５２０からの情報が、視聴者が第２映像を選択していることを表すならば、内部信号生成部５７０は、１６進数「２７ｈ」で表されるパルスパターンを有するコマンド信号ＣＳの受信時刻に対して「１８０°」だけ位相が遅れた時刻（即ち、半周期だけ遅れた時刻）に左調整部５１１及び右調整部５１２が両眼への入射光量を低減させることを決定する内部信号を生成する。
【０１４０】
図１１のセクション（ｃ）及び（ｄ）に示される如く、視聴者が選択部５２０を用いて第１映像を選択するならば、光量調整部５１０は、光量制御部５８０の制御下で、共通コマンド信号（パルスパターン：「２Ｄｈ」）の受信時刻と、当該共通コマンド信号の次に受信された第１非共通コマンド信号（パルスパターン：「２７ｈ」）の受信時刻との間で、左眼及び右眼への入射光量を増大させる。その後、共通コマンド信号（パルスパターン：「２Ｄｈ」）が再度受信されるまでの間、光量調整部５１０は、光量制御部５８０の制御下で、左眼及び右眼への入射光量を低減させる。
【０１４１】
視聴者が選択部５２０を用いて第２映像を選択するならば、光量調整部５１０は、第１非共通コマンド信号（パルスパターン：「２７ｈ」）の受信時刻と当該第１非共通コマンド信号の次に受信された共通コマンド信号（パルスパターン：「２Ｄｈ」）の受信時刻とによって定められる期間内に左眼及び右眼への入射光量を増大させる。その後、第１非共通コマンド信号（パルスパターン：「２７ｈ」）が再度受信されるまでの間、光量調整部５１０は、左眼及び右眼への入射光量を低減させる。
【０１４２】
＜表示モードの切替の動作＞
立体表示モードから２重表示モードへの切替時における表示装置２００及び眼鏡装置３００の動作が説明される。尚、以下の切替時における動作に関連する説明は、２重表示モードから立体表示モードへの切替時の動作に対しても同様に適用される。例えば、視聴者が映画のコンテンツから映画以外のコンテンツへ映像を切り替えたときや視聴者が表示装置２００によって表示される番組のチャンネルを変更したときには、表示装置２００によるフレーム画像の表示の周波数や位相が変動する。本実施形態において、表示モードの変更にともなう停止信号の通信の結果、表示モードの変更の間のフリッカが防止される。
【０１４３】
図１３は、立体表示モードから２重表示モードへの表示モードの切替が生じたときに送信される停止信号を表すタイミングチャートである。図１、図４、図５、図１１乃至図１３を用いて、停止信号が説明される。
【０１４４】
図１３のセクション（ａ）は、表示モードの切替前において表示部４１０が表示するフレーム画像のタイミングを表す。図１３のセクション（ｃ）は、表示モードの切替後において表示部４１０が表示するフレーム画像を表す。図１３のセクション（ａ）及びセクション（ｃ）に示される如く、表示モードの切替に伴って、フレーム画像の表示タイミングは変動する。
【０１４５】
図１３のセクション（ｂ）は、表示モードの切替に伴って送受信される停止信号を示す。表示モードが切り替えられると、表示装置２００の送信部４２０は、１６進数「２Ｄｈ」で表されるパルスパターンを有するコマンド信号ＣＳと、１６進数「３９ｈ」で表されるパルスパターンを有するコマンド信号ＣＳと、を送信する。眼鏡装置３００の受信部５３０が受信した信号のパルスパターンが、「２Ｄｈ」と「３９ｈ」との組み合わせであるとき、解析部５５０は、停止信号が送信されていると判定する。上述の如く、パルスパターン「３９ｈ」のコマンド信号ＣＳは、立体表示モード及び２重表示モードにおいて用いられていない。一方で、パルスパターン「２Ｄｈ」のコマンド信号ＣＳは、立体表示モード及び２重表示モードにおいて、用いられている信号である。
【０１４６】
眼鏡装置３００の解析部５５０は、「２Ｄｈ」のパルスパターンを有するコマンド信号に引き続き、「３９ｈ」のパルスパターンを有するコマンド信号が受信されると、光量調整部５１０は、左眼及び右眼への増大された入射光量を維持しつづけるべきと解釈する（即ち、左シャッタ３１１及び右シャッタ３１２が開状態を維持したまま停止する）。
【０１４７】
本実施形態において、表示装置２００の送信部４２０は、例えば、５回以上、停止信号を送信する。受信部５３０が停止信号を、例えば、５回受信すると、眼鏡装置３００の解析部５５０は、光量調整部５１０が左眼及び右眼へ到達する光量を維持させたまま停止すべきと解釈する。この結果、眼鏡装置３００の動作は、ノイズ信号に対して影響を受けにくくなる。
【０１４８】
表示装置２００の送信部４２０は、その後、２重表示モードに合わせたコマンド信号ＣＳを送信する（図１１及び図１２参照）。眼鏡装置３００の解析部５５０は、受信部５３０が第２タイミング信号を、例えば、５回受信すると、２重表示モードに合わせた光量調整部５１０の開閉動作を実行するべきと解釈する。
【０１４９】
図１４は、立体表示モードから２重表示モードへの表示モードの切替に伴うコマンド信号ＣＳの送信パターンの変動を概略的に示すタイミングチャートである。図４、図５、図９、図１３及び図１４を用いて、コマンド信号ＣＳの送信パターンの変動が説明される。
【０１５０】
図９に関連して説明された如く、立体表示モードの間、「２Ｄｈ」のパルスパターンを有するコマンド信号ＣＳは、左増信号ＬＯとして、動作周波数に対応する所定の周期「Ｔ」で順次送信される。「３３ｈ」のパルスパターンを有するコマンド信号ＣＳは、左減信号ＬＣとして、動作周波数に対応する所定の周期「Ｔ」で順次送信される。「３５ｈ」のパルスパターンを有するコマンド信号ＣＳは、右増信号ＲＯとして、動作周波数に対応する所定の周期「Ｔ」で順次送信される。「２Ｂｈ」のパルスパターンを有するコマンド信号ＣＳは、右減信号ＲＣとして、動作周波数に対応する所定の周期「Ｔ」で順次送信される。
【０１５１】
図１３を参照して説明された如く、立体表示モードから２重表示モードへ切り替えられると、停止信号が送信される。「２Ｄｈ」のパルスパターンを有する停止信号のコマンド信号ＣＳは、直前の左増信号ＬＯとして送信された「２Ｄｈ」のパルスパターンのコマンド信号から、周期「Ｔ」後に送信される。「３９ｈ」のパルスパターンを有する停止信号のコマンド信号ＣＳは、直前の右増信号ＲＯとして送信された「３５ｈ」のパルスパターンのコマンド信号から、周期「Ｔ」後に送信される。
【０１５２】
表示装置２００の送信部４２０及び／又は制御信号生成部４６０は、停止信号のコマンド信号ＣＳの周期的な送信パターンを、立体表示モードの間送信される第１タイミング信号のコマンド信号ＣＳの周期的な送信に適合させる。上述の如く、「２Ｄｈ」のパルスパターンを有する停止信号のコマンド信号ＣＳは、第１タイミング信号にも利用され、且つ、第１タイミング信号と停止信号との間で、「２Ｄｈ」のパルスパターンを有するコマンド信号の送信タイミングは略一定であるので、眼鏡装置３００は、受信部５３０が受信した「２Ｄｈ」のパルスパターンを有する信号がノイズ信号であるか否かを適切に判断することができる。「２Ｄｈ」のパルスパターンを有するコマンド信号の後に送信された「３９ｈ」のパルスパターンを有するコマンド信号ＣＳの送信タイミングも、立体表示モードの間に送信された第１タイミング信号のコマンド信号ＣＳのうちの１つ（本実施形態において、「３５ｈ」のパルスパターンを有するコマンド信号ＣＳ）の送信タイミングと一致しているので、眼鏡装置３００の解析部５５０は、「３９ｈ」のパルスパターンを有するコマンド信号ＣＳの受信タイミングと立体表示モードの間に受信されたコマンド信号ＣＳの受信タイミングとを比較し、同様に、ノイズ判定を行うことができる。
【０１５３】
解析部５５０は、上述のノイズ判定の下、適切に受信された停止信号に関連する制御データを記憶部５６０に記憶する。内部信号生成部５７０は、記憶部５６０内の停止信号に関連する制御データに基づき、光量調整部５１０の動作を停止する。この結果、光量調整部５１０は、左眼及び右眼へ入射する光量を増大させたまま停止する。
【０１５４】
その後、２重表示モードにおけるフレーム画像の表示に合わせて、表示装置２００の送信部４２０は、第２タイミング信号を送信する。解析部５５０は、２重表示モードにおいて送信された第２タイミング信号に関連する制御データを記憶部５６０に記録する。内部信号生成部５７０は、停止信号を受信する前に記憶部５６０に記録された制御データを用いることなく、新たに記録された第２タイミング信号に基づいて、内部信号を生成する。この結果、光量調整部５１０の再度の光量調整動作は、２重表示モードにおけるフレーム画像の表示に適切に同期する。
【０１５５】
上述の如く、眼鏡装置３００の意図しない停止動作を防ぐために、眼鏡装置３００は、少なくとも５回、連続的に停止信号を受信したときに、停止動作を実行する。停止信号が連続的に受信されると、眼鏡装置３００は、最初に受信した停止コマンドセットの「２Ｄｈ」の参照時刻（２Ｄｈのコマンド信号の最初のパルス信号Ｐ１の受信時刻）から所定期間内に、それまで実行していた動作モードから停止モードに移る。他のコマンド信号が受信されるならば、眼鏡装置３００は、他のコマンド信号の参照時刻から所定期間内に、他のコマンド信号に規定される動作モードに移る。
【０１５６】
停止モードにおけるコマンドセットは、２つのフレーム画像（左フレーム画像及び右フレーム画像）が表示される期間内に送信される。停止信号の送信タイミングは、従前の動作において送信されたコマンド信号の送信タイミングと同期して送信される。
【０１５７】
図１４に関連して説明された送信パターンにおいて、停止信号の「２Ｄｈ」のコマンド信号は、先行する「２Ｄｈ」のコマンド信号から２フレーム期間の後に送信される。同様に、停止信号の「３９ｈ」のコマンド信号は、先行する「３５ｈ」のコマンド信号から２フレーム期間の後に送信される。「２Ｄｈ」、「３９ｈ」、「３５ｈ」のコマンド信号の受信時刻は、これらコマンド信号の最初のパルス信号Ｐ１の受信時刻に基づき決定される。
【０１５８】
全てのコマンドセットは、「２Ｄｈ」のコマンド信号を含むので、眼鏡装置３００が、「２Ｄｈ」のコマンド信号を受信すると、眼鏡装置３００は、２フレーム期間の後に、再度、「２Ｄｈ」のコマンド信号を受信することを予測することができる。同様に、眼鏡装置３００は、先行する「３５ｈ」のコマンド信号の受信時刻に基づいて、「３９ｈ」のコマンド信号を予測することができる。したがって、眼鏡装置３００は、ノイズの影響を受けにくくなる。
【０１５９】
図１５は、２重表示モードから立体表示モードへの表示モードの切替に伴うコマンド信号ＣＳの送信パターンの変動を概略的に示すタイミングチャートである。図４、図５、図１１及び図１５を用いて、コマンド信号ＣＳの送信パターンの変動が説明される。
【０１６０】
図１１に関連して説明された如く、立体表示モードの間、「２Ｄｈ」のパルスパターンを有するコマンド信号ＣＳは、左調整部５１１及び右調整部５１２に入射光量を増大させるための信号として、動作周波数に対応する所定の周期「Ｔ」で順次送信される。「２７ｈ」のパルスパターンを有するコマンド信号ＣＳは、左調整部５１１及び右調整部５１２に入射光量を低減させるための信号として、動作周波数に対応する所定の周期「Ｔ」で順次送信される。
【０１６１】
上述の如く、２重表示モードから立体表示モードへ切り替えられると、停止信号が送信される。「２Ｄｈ」のパルスパターンを有する停止信号のコマンド信号ＣＳは、左調整部５１１及び右調整部５１２に入射光量を増大させるための信号として直前に送信された「２Ｄｈ」のパルスパターンのコマンド信号から、周期「Ｔ」後に送信される。「３９ｈ」のパルスパターンを有する停止信号のコマンド信号ＣＳは、左調整部５１１及び右調整部５１２に入射光量を低減させるための信号として直前に送信された「２７ｈ」のパルスパターンのコマンド信号から、周期「Ｔ」後に送信される。
【０１６２】
表示装置２００の送信部４２０及び／又は制御信号生成部４６０は、停止信号のコマンド信号ＣＳの周期的な送信パターンを、２重表示モードの間送信される第２タイミング信号のコマンド信号ＣＳの周期的な送信に適合させる。上述の如く、「２Ｄｈ」のパルスパターンを有する停止信号のコマンド信号ＣＳは、第２タイミング信号にも利用され、且つ、第２タイミング信号と停止信号との間で、「２Ｄｈ」のパルスパターンを有するコマンド信号の送信タイミングは略一定であるので、眼鏡装置３００は、受信部５３０が受信した「２Ｄｈ」のパルスパターンを有する信号がノイズ信号であるか否かを適切に判断することができる。「２Ｄｈ」のパルスパターンを有するコマンド信号の後に送信された「３９ｈ」のパルスパターンを有するコマンド信号ＣＳの送信タイミングも、２重表示モードの間に送信された第２タイミング信号の「２７ｈ」のパルスパターンを有するコマンド信号ＣＳの送信タイミングと一致しているので、眼鏡装置３００の解析部５５０は、「３９ｈ」のパルスパターンを有するコマンド信号ＣＳの受信タイミングと２重表示モードの間に受信されたコマンド信号ＣＳ（パルスパターン：「２７ｈ」）の受信タイミングとを比較し、ノイズ判定を同様に行うことができる。
【０１６３】
解析部５５０は、上述のノイズ判定の下、適切に受信された停止信号に関連する制御データを記憶部５６０に記憶する。内部信号生成部５７０は、記憶部５６０内の停止信号に関連する制御データに基づき、光量調整部５１０の動作を停止する。この結果、光量調整部５１０は、左眼及び右眼へ入射する光量を増大させたまま停止する。
【０１６４】
その後、立体表示モードにおけるフレーム画像の表示に合わせて、表示装置２００の送信部４２０は、第１タイミング信号を送信する。解析部５５０は、立体表示モードにおいて送信された第１タイミング信号に関連する制御データを記憶部５６０に記録する。内部信号生成部５７０は、停止信号を受信する前に記憶部５６０に記録された制御データを用いることなく、新たに記録された第１タイミング信号に基づいて、内部信号を生成する。この結果、光量調整部５１０の再度の光量調整動作は、立体表示モードにおけるフレーム画像の表示に適切に同期する。
【０１６５】
停止モードにおけるコマンドセットは、２つのフレーム画像（第１映像のフレーム画像及び第２映像のフレーム画像）が表示される期間内に送信される。停止信号の送信タイミングは、従前の動作において送信されたコマンド信号の送信タイミングと同期して送信される。
【０１６６】
図１５に関連して説明された送信パターンにおいて、停止信号の「２Ｄｈ」のコマンド信号は、先行する「２Ｄｈ」のコマンド信号から２フレーム期間の後に送信される。同様に、停止信号の「３９ｈ」のコマンド信号は、先行する「２７ｈ」のコマンド信号から２フレーム期間の後に送信される。「２Ｄｈ」、「３９ｈ」、「２７ｈ」のコマンド信号の受信時刻は、これらコマンド信号の最初のパルス信号Ｐ１の受信時刻に基づき決定される。
【０１６７】
全てのコマンドセットは、「２Ｄｈ」のコマンド信号を含むので、眼鏡装置３００が、「２Ｄｈ」のコマンド信号を受信すると、眼鏡装置３００は、２フレーム期間の後に、再度、「２Ｄｈ」のコマンド信号を受信することを予測することができる。同様に、眼鏡装置３００は、先行する「２７ｈ」のコマンド信号の受信時刻に基づいて、「３９ｈ」のコマンド信号を予測することができる。したがって、眼鏡装置３００は、ノイズの影響を受けにくくなる。
【０１６８】
＜信号処理＞
図１６は、ノイズ信号を除去するための信号処理の概略的なフローチャートである。図１、図５及び図１６を用いて、ノイズ信号の除去処理が説明される。
【０１６９】
（ステップＳ１１０）
眼鏡装置３００の受信部５３０が信号を受信すると、ステップＳ１１０が実行される。ステップＳ１１０において、検出部５４０は、受信部５３０が受信した信号が眼鏡装置３００と表示装置２００との間で予め定められたパルスパターンであるか否かを判定する。受信部５３０が受信した信号が眼鏡装置３００と表示装置２００との間で予め定められたパルスパターンでないならば、ステップＳ１２０が実行される。受信部５３０が受信した信号が眼鏡装置３００と表示装置２００との間で予め定められたパルスパターンであるならば、ステップＳ１３０が実行される。
【０１７０】
（ステップＳ１２０）
ステップＳ１２０において、受信部５３０が受信した信号は、ノイズ信号として処理される。その後、ステップＳ１１０が再度実行される。
【０１７１】
（ステップＳ１３０）
ステップＳ１３０において、受信部５３０が受信した信号は、コマンド信号として取り扱われる。検出部５４０は、受信部５３０が受信した信号を電気信号に変換し、解析部５５０に出力する。解析部５５０は、コマンド信号の受信時刻やパルスパターンに関するデータを取得する。その後、ステップＳ１４０が実行される。
【０１７２】
（ステップＳ１４０）
ステップＳ１４０において、解析部５５０は、コマンド信号のパルスパターンを解析し、コマンド信号が共通コマンド信号であるか否かを判定する。コマンド信号が共通コマンド信号でないならば、ステップＳ１１０が再度実行される。コマンド信号が共通コマンド信号であるならば、ステップＳ１５０が実行される。
【０１７３】
（ステップＳ１５０）
ステップＳ１５０において、解析部５５０は、共通コマンド信号が先行して取得されているか否かを判定する。先行する共通コマンド信号が存在しないならば、ステップＳ１１０が再度実行される。他の場合には、ステップＳ１６０が実行される。
【０１７４】
（ステップＳ１６０）
ステップＳ１６０において、解析部５５０は、先行して取得された共通コマンド信号と、その後取得された共通コマンド信号との間のコマンド信号の受信順序を解析する。コマンド信号の受信順序が、眼鏡装置３００と表示装置２００との間で予め定められたプロトコルに規定される受信順序に従っていないならば、ステップＳ１７０が実行される。コマンド信号の受信順序が、眼鏡装置３００と表示装置２００との間で予め定められたプロトコルに規定される受信順序に従うならば、ステップＳ１８０が実行される。
【０１７５】
（ステップＳ１７０）
ステップＳ１７０において、解析部５５０は、先行して取得された共通コマンド信号と、その後取得された共通コマンド信号との間のコマンド信号との間にノイズ信号が含まれていると判定する。その後、ステップＳ１１０が実行される。
【０１７６】
（ステップＳ１８０）
ステップＳ１８０において、解析部５５０は、コマンド信号の受信順序と眼鏡装置３００と表示装置２００との間で予め定められたプロトコルに規定される受信順序とを対比し、光量調整部５１０の動作（第１補助動作、第２補助動作或いは停止）を決定する。
【０１７７】
本実施形態の原理は、図１６に示されるノイズ処理に何ら限定されない。例えば、解析部は、ステップＳ１８０に代えて、共通コマンド信号間に含まれる信号からノイズ信号成分を抽出してもよい。例えば、解析部は、先行して取得されたコマンド信号の受信周期のデータを用いて、ノイズ信号成分を見極めてもよい。
【０１７８】
図１７Ａ乃至図１７Ｃは、眼鏡装置３００の動作を決定するための信号処理の概略的なフローチャートである。図１、図５、図１６乃至図１７Ｃを用いて、眼鏡装置３００の動作を決定するための信号処理が説明される。
【０１７９】
（ステップＳ２０５）
図１６を参照して説明されたステップＳ１６０が開始されると、ステップＳ２０５が実行される。ステップＳ２０５において、解析部５５０は、共通コマンド信号の受信周期の間に４種のコマンド信号が含まれているか否かを判定する。共通コマンド信号の受信周期の間に４種のコマンド信号が含まれているならば、ステップＳ２１０が実行される。共通コマンド信号の受信周期の間に４種のコマンド信号が含まれていないならば、ステップＳ２３５が実行される。
【０１８０】
（ステップＳ２１０）
ステップＳ２１０において、解析部５５０は、先行する４種のコマンド信号のデータが存在するか否かを判定する。先行する４種のコマンド信号のデータが存在しないならば、ステップＳ２１５が実行される。先行する４種のコマンド信号のデータが存在するならば、ステップＳ２２０が実行される。
【０１８１】
（ステップＳ２１５）
ステップＳ２１５において、解析部５５０は、更なる４種のコマンド信号の受信を待つ。即ち、図１６を参照して説明されたステップＳ１１０が再度実行される。
【０１８２】
（ステップＳ２２０）
ステップＳ２２０において、解析部５５０は、先行する４種のコマンド信号のデータとその後取得された４種のコマンド信号のデータとを比較し、４種のコマンド信号が適切な周期で受信されているか否かを判定する。４種のコマンド信号が適切な周期で受信されていないならば、ステップＳ２２５が実行される。４種のコマンド信号が適切な周期で受信されているならば、ステップＳ２３０が実行される。
【０１８３】
（ステップＳ２２５）
ステップＳ２２５において、解析部５５０は、４種のコマンド信号をノイズ信号として処理する。その後、図１６を参照して説明されたステップＳ１１０が再度実行される。
【０１８４】
（ステップＳ２３０）
ステップＳ２３０において、解析部５５０は、光量調整部５１０に第１補助動作をさせることを決定する。解析部５５０は、取得されたコマンド信号の受信時刻のデータを用いて、記憶部５６０に、左フレーム画像の視聴開始タイミング、左フレーム画像の視聴終了タイミング、右フレーム画像の視聴開始タイミング及び右フレーム画像の視聴終了タイミングに関するデータを記憶させる。内部信号生成部５７０は、これらのデータを用いて、内部信号を生成する。光量制御部５８０は、内部信号に応じて、光量調整部５１０を駆動するための駆動信号を生成並びに出力する。かくして、光量調整部５１０は、第１補助動作を実行することができる。
【０１８５】
（ステップＳ２３５）
ステップＳ２３５において、解析部５５０は、共通コマンド信号の受信周期の間に第１非共通コマンド信号が含まれているか否かを判定する。共通コマンド信号の受信周期の間に第１非共通コマンド信号が含まれているならば、ステップＳ２４０が実行される。共通コマンド信号の受信周期の間に第１非共通コマンド信号が含まれていないならば、ステップＳ２６５が実行される。
【０１８６】
（ステップＳ２４０）
ステップＳ２４０において、解析部５５０は、先行する共通コマンド信号及び第１非共通コマンド信号のデータが存在するか否かを判定する。先行する共通コマンド信号及び第１非共通コマンド信号のデータが存在しないならば、ステップＳ２４５が実行される。先行する共通コマンド信号及び第１非共通コマンド信号のデータが存在するならば、ステップＳ２５０が実行される。
【０１８７】
（ステップＳ２４５）
ステップＳ２４５において、解析部５５０は、更なる第２タイミング信号の受信を待つ。即ち、図１６を参照して説明されたステップＳ１１０が再度実行される。
【０１８８】
（ステップＳ２５０）
ステップＳ２５０において、解析部５５０は、先行する共通コマンド信号及び第１非共通コマンド信号のデータとその後取得された共通コマンド信号及び第１非共通コマンド信号のデータとを比較し、共通コマンド信号及び第１非共通コマンド信号が適切な周期で受信されているか否かを判定する。共通コマンド信号及び第１非共通コマンド信号が適切な周期で受信されていないならば、ステップＳ２５５が実行される。共通コマンド信号及び第１非共通コマンド信号が適切な周期で受信されているならば、ステップＳ２６０が実行される。
【０１８９】
（ステップＳ２５５）
ステップＳ２５５において、解析部５５０は、共通コマンド信号及び第１非共通コマンド信号をノイズ信号として処理する。その後、図１６を参照して説明されたステップＳ１１０が再度実行される。
【０１９０】
（ステップＳ２６０）
ステップＳ２６０において、解析部５５０は、光量調整部５１０に第２補助動作をさせることを決定する。解析部５５０は、取得されたコマンド信号の受信時刻のデータを用いて、記憶部５６０に、第１映像又は第２映像の視聴開始タイミング及び視聴終了タイミングに関するデータを記憶させる。内部信号生成部５７０は、これらのデータを用いて、内部信号を生成する。光量制御部５８０は、内部信号に応じて、光量調整部５１０を駆動するための駆動信号を生成並びに出力する。かくして、光量調整部５１０は、第２補助動作を実行することができる。
【０１９１】
（ステップＳ２６５）
ステップＳ２６５において、解析部５５０は、５回以上連続で停止信号（共通コマンド信号及び第２非共通コマンド信号の組）が受信されているか否かを判定する。停止信号が５回以上連続的に受信されていないならば、ステップＳ２７０が実行される。停止信号が５回以上連続的に受信されているならば、ステップＳ２７５が実行される。
【０１９２】
（ステップＳ２７０）
ステップＳ２７０において、解析部５５０は、更なる停止信号の受信を待つ。即ち、図１６を参照して説明されたステップＳ１１０が再度実行される。
【０１９３】
（ステップＳ２７５）
ステップＳ２７５において、解析部５５０は、先行して受信されたコマンド信号のデータとその後取得された共通コマンド信号及び第２非共通コマンド信号のデータとを比較し、共通コマンド信号及び第２非共通コマンド信号が適切な周期で受信されているか否かを判定する。
【０１９４】
先行して受信された信号が第１タイミング信号であるならば、解析部５５０は、停止信号の共通コマンド信号の受信時刻が、第１タイミング信号の共通コマンド信号の受信周期に略適合しているか否かを判定する。また、解析部５５０は、第２非共通コマンド信号の受信時刻が、第１タイミング信号の４種のコマンド信号（共通コマンド信号を除く）のうち１つの受信周期に適合しているか否かを判定する。共通コマンド信号及び第２非共通コマンド信号の受信時刻がともに第１タイミング信号のコマンド信号の受信周期に適合するならば、ステップＳ２８０が実行される。他の場合には、ステップＳ２８５が実行される。
【０１９５】
先行して受信された信号が第２タイミング信号であるならば、解析部５５０は、停止信号の共通コマンド信号の受信時刻が、第２タイミング信号の共通コマンド信号の受信周期に略適合しているか否かを判定する。また、解析部５５０は、第２非共通コマンド信号の受信時刻が、第１非共通コマンド信号の受信周期に適合しているか否かを判定する。共通コマンド信号及び第２非共通コマンド信号の受信時刻がともに第２タイミング信号のコマンド信号の受信周期に適合するならば、ステップＳ２８０が実行される。他の場合には、ステップＳ２８５が実行される。
【０１９６】
先行して受信された信号が停止信号であるならば、解析部５５０は、共通コマンド信号の受信時刻及び第２非共通コマンド信号の受信時刻がそれぞれ先行する共通コマンド信号の受信周期及び第２非共通コマンド信号の受信周期に適合しているか否かを判定する。共通コマンド信号及び第２非共通コマンド信号の受信時刻がともに先行する共通コマンド信号の受信周期及び第２非共通コマンド信号の受信周期に適合するならば、ステップＳ２８０が実行される。他の場合には、ステップＳ２８５が実行される。
【０１９７】
（ステップＳ２８０）
ステップＳ２８０において、解析部５５０は、光量調整部５１０を停止させること或いは停止状態を維持することを決定する。内部信号生成部５７０は、解析部５５０の決定に応じて、内部信号を生成する。光量制御部５８０は、内部信号に応じて、光量調整部５１０を停止させるための駆動信号を生成並びに出力する。かくして、光量調整部５１０は、左眼及び右眼へ入射する光量を増大させたまま停止する。
【０１９８】
（ステップＳ２８５）
ステップＳ２８５において、解析部５５０は、共通コマンド信号及び第２非共通コマンド信号をノイズ信号として処理する。その後、図１６を参照して説明されたステップＳ１１０が再度実行される。
【０１９９】
図１８は、２重表示モード下において、眼鏡装置３００の動作を決定するための信号処理の概略的なフローチャートである。図１、図５、図１１、図１２、図１７Ｂ及び図１８を用いて、眼鏡装置３００の動作を決定するための信号処理が説明される。
【０２００】
（ステップＳ３１０）
図１７Ｂを参照して説明されたステップＳ２６０が開始されると、ステップＳ３１０が実行される。ステップＳ３１０において、内部信号生成部５７０は、記憶部５６０に記憶されたデータと選択部５２０から出力されたデータとを取得する。選択部５２０から出力されたデータが、視聴者が第１映像を選択したことを表しているならば、ステップＳ３２０が実行される。選択部５２０から出力されたデータが、視聴者が第２映像を選択したことを表しているならば、ステップＳ３３０が実行される。
【０２０１】
（ステップＳ３２０）
ステップＳ３２０において、内部信号生成部５７０は、記憶部５６０に記憶された視聴開始タイミング及び視聴終了タイミングに関するデータに対して、位相遅れを加えることなく内部信号を生成及び出力する。その後、ステップＳ３４０が実行される。
【０２０２】
（ステップＳ３３０）
ステップＳ３３０において、内部信号生成部５７０は、記憶部５６０に記憶された視聴開始タイミング及び視聴終了タイミングに関するデータに対して、半周期分の位相遅れを加え、内部信号を生成及び出力する。その後、ステップＳ３４０が実行される。
【０２０３】
（ステップＳ３４０）
ステップＳ３４０において、光量制御部５８０は、内部信号に従って、駆動信号を生成並びに出力する。この結果、光量制御部５８０は、図１１に示される動作（ステップＳ３２０を経由した場合）又は図１２に示される動作（ステップＳ３３０を経由した場合）を実行する。
【０２０４】
＜映像システムの制御＞
図１９は、映像システム１００の制御手順を概略的に表すフローチャートである。図１、図４、図５及び図１９を用いて、映像システム１００の制御が説明される。
【０２０５】
（ステップＳ４１０）
表示装置２００に映像信号が入力されると、ステップＳ４１０が実行される。ステップＳ４１０において、制御信号生成部４６０は、映像信号に規定される映像が立体表示モード下で表示されるべきか、２重表示モード下で表示されるべきかを判定する。映像信号は、表示されるべき表示モードを規定するための情報を含んでもよい。この場合、制御信号生成部４６０は、映像信号に含まれる情報を用いて、立体表示モード及び２重表示モードのうち一方を選択してもよい。代替的に、制御信号生成部４６０は、信号分離部４４０によって分離された映像信号間の相関を算出してもよい。映像信号間に高い相関関係が認められるならば、制御信号生成部４６０は、映像信号によって規定される映像が立体表示モードで表示されるべきであると判定してもよい。他の場合には、制御信号生成部４６０は、映像信号によって規定される映像が２重表示モードで表示されるべきであると判定してもよい。映像信号によって規定される映像が立体表示モードで表示されるべきであると判定されるならば、ステップＳ４２０が実行される。映像信号によって規定される映像が２重表示モードで表示されるべきであると判定されるならば、ステップＳ４５０が実行される。
【０２０６】
（ステップＳ４２０）
ステップＳ４２０において、制御信号生成部４６０は、左フレーム画像及び右フレーム画像の視聴開始タイミング及び視聴終了タイミングを通知するための４種のコマンド信号を含む第１タイミング信号を生成する。尚、４種のコマンド信号のうち１つは、上述の共通コマンド信号である。第１タイミング信号の生成の後、ステップＳ４３０が実行される。
【０２０７】
（ステップＳ４３０）
ステップＳ４３０において、送信部４２０は、第１タイミング信号を制御信号として送信する。その後、ステップＳ４４０が実行される。
【０２０８】
（ステップＳ４４０）
ステップＳ４４０において、眼鏡装置３００は、第１タイミング信号に応じて、第１補助動作を実行する。この結果、左フレーム画像の表示に同期して、左調整部５１１は、左眼へ到達する映像光の光量を増大させ、右調整部５１２は、右眼へ到達する映像光の光量を低減させる。また、右フレーム画像の表示に同期して、左調整部５１１は、左眼へ到達する映像光の光量を低減させ、右調整部５１２は、右眼へ到達する映像光の光量を増大させる。
【０２０９】
（ステップＳ４５０）
ステップＳ４５０において、制御信号生成部４６０は、第１映像の視聴開始タイミング及び視聴終了タイミングを通知するための第２タイミング信号を生成する。本実施形態において、第２タイミング信号の共通コマンド信号は、第１映像の視聴開始タイミングを通知する。第２タイミング信号の第１非共通コマンド信号は、第１映像の視聴終了タイミングを通知する。第２タイミング信号の生成の後、ステップＳ４６０が実行される。
【０２１０】
（ステップＳ４６０）
ステップＳ４６０において、送信部４２０は、第２タイミング信号を制御信号として送信する。その後、ステップＳ４７０が実行される。
【０２１１】
（ステップＳ４７０）
ステップＳ４７０において、眼鏡装置３００は、第２タイミング信号に応じて、第２補助動作を実行する。視聴者が選択部５２０を用いて、第１映像を選択しているならば、光量調整部５１０は、第１映像の表示に同期して、左眼及び右眼へ到達する映像光の光量を増大させる。視聴者が選択部５２０を用いて、第２映像を選択しているならば、光量調整部５１０は、第２映像の表示に同期して、左眼及び右眼へ到達する映像光の光量を増大させる。
【０２１２】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０２１３】
上述された実施形態は、以下の特徴を主に備える。
【０２１４】
上述の実施形態の一の局面に係る表示装置は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える。表示装置は、前記第１表示モード下で前記立体映像を表示し、前記第２表示モード下において前記第１映像及び前記第２映像を表示する表示部と、前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する信号生成部と、を備えることを特徴とする。
【０２１５】
上記構成によれば、表示装置は、第１表示モード下において、左眼で観察される左フレーム画像と右眼で観察される右フレーム画像とを時分割で表示し、立体映像を表現する。表示装置は、第２表示モード下において、互いに異なるコンテンツを表現する第１映像及び第２映像を時分割で表示する。したがって、視聴者は、立体映像、第１映像又は第２映像を視聴することができる。
【０２１６】
表示部が立体映像を表示する第１表示モード下において、信号生成部は、第１表示モード及び第２表示モードに共通して用いられる共通コマンド信号を含む４種のコマンド信号を含む第１制御信号を生成する。この結果、左フレーム画像及び右フレーム画像の視聴開始タイミング及び視聴終了タイミングが通知される。したがって、視聴者は、表示部が第１表示モードで動作している間、立体映像を視聴することができる。
【０２１７】
表示部が第１映像及び第２映像を表示する第２表示モード下において、信号生成部は、共通コマンド信号と、４種のコマンド信号とは異なる第１非共通コマンド信号と、を含む第２制御信号を生成する。この結果、第１映像及び第２映像のうち一方の映像の視聴開始タイミング及び視聴終了タイミングが通知される。したがって、視聴者は、表示部が第２表示モードで動作している間、第１映像又は第２映像を視聴することができる。
【０２１８】
第１表示モード及び第２表示モードに共通して、共通コマンド信号が用いられるので、少ない種類の信号を用いて、制御情報が伝達されることとなる。したがって、制御情報の伝達に関する不具合は生じにくくなる。かくして、表示装置は、表示モードに対応して、視聴者に映像を適切に観察させることができる。
【０２１９】
上記構成において、前記第１制御信号の前記共通コマンド信号は、前記左フレーム画像及び前記右フレーム画像のうち一方の視聴開始タイミングを通知し、前記第２制御信号の前記共通コマンド信号は、前記第１映像及び前記第２映像のうち一方の視聴開始タイミングを通知することが好ましい。
【０２２０】
上記構成によれば、第１制御信号の共通コマンド信号は、左フレーム画像及び右フレーム画像のうち一方の視聴開始タイミングを通知する。第２制御信号の共通コマンド信号は、第１映像及び第２映像のうち一方の視聴開始タイミングを通知する。第１表示モード及び第２表示モードにおいて、共通コマンド信号は、視聴開始タイミングを通知するので、第１制御信号及び第２制御信号に対する処理が簡素化される。
【０２２１】
上記構成において、前記表示モードが切り替えられるならば、前記信号生成部は、前記立体映像、前記第１映像又は前記第２映像の視聴を補助するように前記左眼及び前記右眼へ到達する映像光の光量を調整する眼鏡装置の動作を停止させるために、前記共通コマンド信号と、前記４種のコマンド信号及び前記第１非共通コマンド信号とは異なる第２非共通コマンド信号と、を含む停止信号を生成することが好ましい。
【０２２２】
上記構成によれば、眼鏡装置は、立体映像、第１映像又は第２映像の視聴を補助するように左眼及び右眼へ到達する映像光の光量を調整する。表示モードが切り替えられるならば、信号生成部は、共通コマンド信号と、４種のコマンド信号及び第１非共通コマンド信号とは異なる第２非共通コマンド信号と、を含む停止信号を生成する。したがって、眼鏡装置は、停止信号を基準に、表示モードの切替を識別できるので、眼鏡装置は、表示モードが切り替えられた後の表示装置の表示動作に追従しやすくなる。
【０２２３】
停止信号も、共通コマンド信号を含むので、少ない種類の信号を用いて、制御情報が伝達されることとなる。したがって、制御情報の伝達に関する不具合は生じにくくなる。かくして、表示装置は、表示モードに対応して、視聴者に映像を適切に観察させることができる。
【０２２４】
上記構成において、表示装置は、前記停止信号を送信する送信部を更に備え、前記表示モードが前記第１表示モードから前記第２表示モードに切り替えられるならば、前記送信部は、前記停止信号を繰り返し送信し、その後、前記第２制御信号を送信し、前記表示モードが前記第２表示モードから前記第１表示モードに切り替えられるならば、前記送信部は、前記停止信号を繰り返し送信し、その後、前記第１制御信号を送信することが好ましい。
【０２２５】
上記構成によれば、表示モードが第１表示モードから第２表示モードに切り替えられるならば、送信部は、停止信号を繰り返し送信する。したがって、眼鏡装置は、高い信頼性の停止信号に応じて、光量の調整を停止することができる。送信部は、その後、第２制御信号を送信する。眼鏡装置は、停止信号の後に送信された第２制御信号に応じて、光量の調整を行うことができるので、眼鏡装置の光量調整は、第２表示モードに追従しやすくなる。
【０２２６】
表示モードが第２表示モードから第１表示モードに切り替えられるならば、送信部は、停止信号を繰り返し送信する。したがって、眼鏡装置は、高い信頼性の停止信号に応じて、光量の調整を停止することができる。送信部は、その後、第１制御信号を送信する。眼鏡装置は、停止信号の後に送信された第１制御信号に応じて、光量の調整を行うことができるので、眼鏡装置の光量調整は、第１表示モードに追従しやすくなる。
【０２２７】
上記構成において、前記表示モードが前記第１表示モードから前記第２表示モードに切り替えられるならば、前記送信部は、前記第１制御信号の前記共通コマンド信号の送信周期と同じ周期で前記停止信号の前記共通コマンド信号を送信し、前記表示モードが前記第２表示モードから前記第１表示モードに切り替えられるならば、前記送信部は、前記第２制御信号の前記共通コマンド信号の送信周期と同じ周期で前記停止信号の前記共通コマンド信号を送信することが好ましい。
【０２２８】
上記構成によれば、表示モードが第１表示モードから第２表示モードに切り替えられるならば、送信部は、第１制御信号の共通コマンド信号の送信周期と同じ周期で停止信号の共通コマンド信号を送信する。表示モードが第２表示モードから第１表示モードに切り替えられるならば、送信部は、第２制御信号の共通コマンド信号の送信周期と同じ周期で停止信号の共通コマンド信号を送信する。したがって、眼鏡装置は、高い信頼性の停止信号に応じて、光量の調整を停止することができる。
【０２２９】
上記構成において、前記表示モードが前記第１表示モードから前記第２表示モードに切り替えられるならば、前記送信部は、前記共通コマンド信号を除く前記４種のコマンド信号のうち１つと同じ送信周期で前記第２非共通コマンド信号を送信し、前記表示モードが前記第２表示モードから前記第１表示モードに切り替えられるならば、送信部は、前記第１非共通コマンド信号と同じ送信周期で前記第２非共通コマンド信号を送信することが好ましい。
【０２３０】
上記構成によれば、表示モードが第１表示モードから第２表示モードに切り替えられるならば、送信部は、共通コマンド信号を除く４種のコマンド信号のうち１つと同じ送信周期で第２非共通コマンド信号を送信する。表示モードが第２表示モードから第１表示モードに切り替えられるならば、送信部は、第１非共通コマンド信号と同じ送信周期で第２非共通コマンド信号を送信する。したがって、眼鏡装置は、高い信頼性の停止信号に応じて、光量の調整を停止することができる。
【０２３１】
上述の実施形態の他の局面に係る眼鏡装置は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置から送信された制御信号に応じて、前記立体映像の視聴を補助する第１補助動作と、前記第１映像又は前記第２映像の視聴を補助する第２補助動作と、の間で動作モードを切り替える。眼鏡装置は、前記制御信号を受信する受信部と、前記第１表示モードと前記第２表示モードとの間で共通して用いられる共通コマンド信号を含む前記制御信号に応じて、前記左眼及び前記右眼へ到達する映像光の光量を調整する光量調整部と、前記制御信号が前記共通コマンド信号を含む４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする。
【０２３２】
上記構成によれば、表示装置は、第１表示モード下において、左眼で観察される左フレーム画像と右眼で観察される右フレーム画像とを時分割で表示し、立体映像を表現する。表示装置は、第２表示モード下において、互いに異なるコンテンツを表現する第１映像及び第２映像を時分割で表示する。表示装置は、制御信号を眼鏡装置に送信する。眼鏡装置は、制御信号に応じて、立体映像の視聴を補助する第１補助動作と、第１映像又は第２映像の視聴を補助する第２補助動作と、の間で動作モードを切り替える。したがって、視聴者は、立体映像、第１映像又は第２映像を視聴することができる。
【０２３３】
受信部が受信する制御信号は、第１表示モードと第２表示モードとの間で共通して用いられる共通コマンド信号を含むので、少ない種類の信号を用いて、制御情報が表示装置から眼鏡装置へ伝達されることとなる。したがって、制御情報の伝達に関する不具合は生じにくくなる。かくして、眼鏡装置は、表示モードに対応して、視聴者に映像を適切に観察させることができる。
【０２３４】
制御信号が共通コマンド信号を含む４種のコマンド信号を含むならば、制御部は、光量調整部に第１補助動作を実行させる。したがって、眼鏡装置は、視聴者に立体映像を適切に観察させることができる。
【０２３５】
制御信号が共通コマンド信号と、４種のコマンド信号とは異なる第１非共通コマンド信号と、を含むならば、制御部は、光量調整部に第２補助動作を実行させる。したがって、眼鏡装置は、視聴者に第１映像又は第２映像を適切に視聴させることができる。
【０２３６】
上記構成において、前記制御部が、前記共通コマンド信号の受信周期内において、前記４種のコマンド信号を見出すならば、前記制御部は、前記光量調整部に前記第１補助動作を実行させ、前記制御部が、前記共通コマンド信号の前記受信周期内において、前記第１非共通コマンド信号を見出すならば、前記制御部は、前記光量調整部に前記第２補助動作を実行させることが好ましい。
【０２３７】
上記構成によれば、共通コマンド信号は、第１表示モードと第２表示モードとの間で共通して用いられるので、制御部は、共通コマンド信号の受信周期内に受信した信号に応じて、動作モードを切り替えることができる。共通コマンド信号の受信周期内において、４種のコマンド信号が見出されるならば、制御部は、光量調整部に第１補助動作を実行させる。したがって、眼鏡装置は、視聴者に立体映像を適切に観察させることができる。共通コマンド信号の受信周期内において、第１非共通コマンド信号が見出されるならば、制御部は、光量調整部に第２補助動作を実行させる。したがって、眼鏡装置は、視聴者に第１映像又は第２映像を適切に視聴させることができる。
【０２３８】
上記構成において、前記制御部は、前記４種のコマンド信号それぞれの受信タイミングに応じて、前記左眼及び前記右眼に対する前記光量の調整タイミングを決定し、前記光量調整部は、前記制御部の決定に応じて、前記左フレーム画像の表示に同期して、前記左眼への前記光量を増大させる一方で前記右眼への前記光量を低減し、前記右フレーム画像の表示に同期して、前記右眼への前記光量を増大させる一方で前記左眼への前記光量を低減することが好ましい。
【０２３９】
前記制御部は、４種のコマンド信号それぞれの受信タイミングに応じて、左眼及び右眼に対する光量の調整タイミングを決定する。光量調整部は、制御部の決定に応じて、左フレーム画像の表示に同期して、左眼への前記光量を増大させる一方で右眼への光量を低減する。また、光量調整部は、右フレーム画像の表示に同期して、右眼への光量を増大させる一方で左眼への光量を低減する。したがって、眼鏡装置は、視聴者に立体映像を適切に観察させることができる。
【０２４０】
上記構成において、眼鏡装置は、前記第１映像又は前記第２映像を選択するための選択部を更に備え、前記制御部は、前記共通コマンド信号及び前記第１非共通コマンド信号の受信タイミング並びに前記選択部の選択に応じて、前記左眼及び前記右眼に対する前記光量の調整タイミングを決定することが好ましい。
【０２４１】
上記構成によれば、制御部は、共通コマンド信号及び第１非共通コマンド信号の受信タイミング並びに選択部の選択に応じて、左眼及び右眼に対する光量の調整タイミングを決定する。したがって、眼鏡装置は、視聴者に第１映像又は第２映像を適切に視聴させることができる。
【０２４２】
上記構成において、前記選択部が、前記第１映像及び前記第２映像のうち一方を選択しているならば、前記制御部は、前記共通コマンド信号の前記受信タイミングと該共通コマンド信号の次に受信された前記第１非共通コマンド信号の受信タイミングとの間で前記左眼及び前記右眼への前記光量をともに増大させ、前記共通コマンド信号がその後受信されるまでの間、前記制御部は、前記左眼及び前記右眼への前記光量をともに減少させ、前記選択部が、前記第１映像及び前記第２映像のうち他方を選択しているならば、前記制御部は、前記第１非共通コマンド信号の前記受信タイミングと該第１非共通コマンド信号の次に受信された前記共通コマンド信号の受信タイミングとで定められる期間内に前記左眼及び前記右眼への前記光量をともに増大させ、前記第１非共通コマンド信号がその後受信されるまでの間、前記制御部は、前記左眼及び前記右眼への前記光量をともに減少させることが好ましい。
【０２４３】
上記構成によれば、選択部が、第１映像及び第２映像のうち一方を選択しているならば、制御部は、共通コマンド信号の受信タイミングと共通コマンド信号の次に受信された第１非共通コマンド信号の受信タイミングとの間で左眼及び右眼への前記光量をともに増大させる。共通コマンド信号の受信タイミングと共通コマンド信号の次に受信された第１非共通コマンド信号の受信タイミングとの間において、眼鏡装置は、表示装置が表示する映像を視聴者に視聴させることができる。共通コマンド信号がその後受信されるまでの間、制御部は、左眼及び右眼への光量をともに減少させる。したがって、第１映像及び第２映像のうち他方は、視聴されない。かくして、第１映像及び第２映像は、選択的に視聴される。
【０２４４】
第１映像及び第２映像のうち他方を選択しているならば、制御部は、第１非共通コマンド信号の受信タイミングと第１非共通コマンド信号の次に受信された共通コマンド信号の受信タイミングとの間で左眼及び右眼への光量をともに増大させる。第１非共通コマンド信号の受信タイミングと第１非共通コマンド信号の次に受信された共通コマンド信号の受信タイミングとで定められる期間内において、眼鏡装置は、表示装置が表示する映像を視聴者に視聴させることができる。第１非共通コマンド信号がその後受信されるまでの間、制御部は、左眼及び前記右眼への光量をともに減少させる。したがって、第１映像及び第２映像のうち一方は、視聴されない。かくして、第１映像及び第２映像は、選択的に視聴される。
【０２４５】
上記構成において、前記第１映像及び前記第２映像のうち前記一方が選択されているときにおける前記制御部が実行する前記左眼及び前記右眼への前記光量の調整タイミングは、前記第１映像及び前記第２映像のうち前記他方が選択されているときにおける前記制御部が実行する前記左眼及び前記右眼への前記光量の調整タイミングに対して、前記共通コマンド信号の受信周期の半分の周期分ずらされることが好ましい。
【０２４６】
上記構成によれば、第１映像及び第２映像のうち一方が選択されているときにおける制御部が実行する前記左眼及び前記右眼への前記光量の調整タイミングは、第１映像及び第２映像のうち他方が選択されているときにおける制御部が実行する左眼及び右眼への光量の調整タイミングに対して、共通コマンド信号の受信周期の半分の周期分ずらされる。したがって、第１映像又は第２映像は、選択的に視聴されることとなる。
【０２４７】
上記構成において、前記受信部は、前記共通コマンド信号と、該共通コマンド信号及び前記第１非共通コマンド信号とは異なる第２非共通コマンド信号と、を含む停止信号を受信し、前記受信部が、前記停止信号を繰り返し受信するならば、前記制御部は、前記光量調整部を制御し、前記左眼及び前記右眼への前記光量をともに増大させ続けることが好ましい。
【０２４８】
上記構成によれば、受信部は、共通コマンド信号と、共通コマンド信号及び第１非共通コマンド信号とは異なる第２非共通コマンド信号と、を含む停止信号を受信する。受信部が、停止信号を繰り返し受信するならば、制御部は、光量調整部を制御する。したがって、制御部は、高い信頼性の停止信号に応じて、光量調整部を制御する。停止信号に応じた制御の結果、左眼及び右眼への光量をともに増大し続ける。この結果、視聴者は、光量調整部を通じて、周囲を見渡すことができる。
【０２４９】
上述の実施形態の他の局面に係る映像システムは、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備え、前記表示装置は、前記第１表示モード下で前記立体映像を表示し、前記第２表示モード下において前記第１映像及び前記第２映像を表示する表示部と、前記第１表示モード下において、前記左フレーム画像及び前記右フレーム画像の視聴開始タイミング及び視聴終了タイミングを通知するために、前記第１表示モード及び前記第２表示モードに共通して用いられる共通コマンド信号を含む４種のコマンド信号を含む第１制御信号を生成し、前記第２表示モード下において、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、含む第２制御信号を生成する信号生成部と、を含み、前記第１制御信号及び前記第２制御信号を、制御信号として、前記表示モードに応じて選択的に送信する送信部と、を含み、前記眼鏡装置は、前記制御信号を受信する受信部と、前記制御信号に応じて、前記左眼及び前記右眼へ到達する映像光の光量を調整する光量調整部と、前記制御信号が前記４種のコマンド信号を含むならば、前記光量調整部に前記第１補助動作を実行させ、前記制御信号が前記共通コマンド信号と、前記４種のコマンド信号とは異なる第１非共通コマンド信号と、を含むならば、前記光量調整部に前記第２補助動作を実行させるように前記光量調整部を制御する制御部と、を備えることを特徴とする。
【０２５０】
上記構成によれば、表示装置は、第１表示モード下において、左眼で観察される左フレーム画像と右眼で観察される右フレーム画像とを時分割で表示し、立体映像を表現する。表示装置は、第２表示モード下において、互いに異なるコンテンツを表現する第１映像及び第２映像を時分割で表示する。表示装置は、制御信号を眼鏡装置に送信する。眼鏡装置は、制御信号に応じて、立体映像の視聴を補助する第１補助動作と、第１映像又は第２映像の視聴を補助する第２補助動作と、の間で動作モードを切り替える。したがって、視聴者は、立体映像、第１映像又は第２映像を視聴することができる。
【０２５１】
表示部が立体映像を表示する第１表示モード下において、信号生成部は、第１表示モード及び第２表示モードに共通して用いられる共通コマンド信号を含む４種のコマンド信号を含む第１制御信号を生成する。この結果、左フレーム画像及び右フレーム画像の視聴開始タイミング及び視聴終了タイミングが通知される。したがって、視聴者は、表示部が第１表示モードで動作している間、立体映像を視聴することができる。
【０２５２】
表示部が第１映像及び第２映像を表示する第２表示モード下において、信号生成部は、共通コマンド信号と、４種のコマンド信号とは異なる第１非共通コマンド信号と、を含む第２制御信号を生成する。この結果、第１映像及び第２映像のうち一方の映像の視聴開始タイミング及び視聴終了タイミングが通知される。したがって、視聴者は、表示部が第２表示モードで動作している間、第１映像又は第２映像を視聴することができる。
【０２５３】
第１表示モード及び第２表示モードに共通して、共通コマンド信号が用いられるので、少ない種類の信号を用いて、制御情報が伝達されることとなる。したがって、制御情報の伝達に関する不具合は生じにくくなる。かくして、表示装置は、表示モードに対応して、視聴者に映像を適切に観察させることができる。
【０２５４】
制御信号が共通コマンド信号を含む４種のコマンド信号を含むならば、制御部は、光量調整部に第１補助動作を実行させる。したがって、眼鏡装置は、視聴者に立体映像を適切に観察させることができる。
【０２５５】
制御信号が共通コマンド信号と、４種のコマンド信号とは異なる第１非共通コマンド信号と、を含むならば、制御部は、光量調整部に第２補助動作を実行させる。したがって、眼鏡装置は、視聴者に第１映像又は第２映像を適切に視聴させることができる。
【０２５６】
上述の実施形態の制御方法は、左眼で観察される左フレーム画像と右眼で観察される右フレーム画像とを時分割で表示し、立体映像を表現するための第１表示モードと、互いに異なるコンテンツを表現する第１映像及び第２映像を時分割で表示する第２表示モードと、の間で表示モードを切り替える表示装置と、前記立体映像の視聴を補助する第１補助動作と、前記第１映像又は前記第２映像の視聴を補助する第２補助動作と、の間で動作モードを切り替える眼鏡装置と、を備える映像システムに適用される。制御方法は、前記第１表示モードが選択されているならば、前記左フレーム画像及び前記右フレーム画像の視聴開始タイミング及び視聴終了タイミングを通知するために、前記第１表示モードと前記第２表示モードとの間で共通して用いられる共通コマンド信号を含む４種のコマンド信号を有する第１制御信号を生成し、前記第２表示モードが選択されているならば、前記第１映像及び前記第２映像のうち一方の映像の視聴開始タイミング及び視聴終了タイミングを通知するために、前記共通コマンド信号と、前記４種のコマンド信号とは異なる第１非共通コマンド信号と、を含む第２制御信号を生成する段階と、前記第１制御信号及び前記第２制御信号のうち一方を制御信号として前記眼鏡装置へ送信する段階と、前記制御信号に応じて、前記左眼及び前記右眼へ到達する映像光の光量を前記眼鏡装置に調整させる段階と、を有する。
【０２５７】
上記構成によれば、表示装置は、第１表示モード下において、左眼で観察される左フレーム画像と右眼で観察される右フレーム画像とを時分割で表示し、立体映像を表現する。表示装置は、第２表示モード下において、互いに異なるコンテンツを表現する第１映像及び第２映像を時分割で表示する。表示装置は、制御信号を眼鏡装置に送信する。眼鏡装置は、制御信号に応じて、立体映像の視聴を補助する第１補助動作と、第１映像又は第２映像の視聴を補助する第２補助動作と、の間で動作モードを切り替える。したがって、視聴者は、立体映像、第１映像又は第２映像を視聴することができる。
【０２５８】
第１表示モードが選択されているならば、左フレーム画像及び右フレーム画像の視聴開始タイミング及び視聴終了タイミングを通知するために、第１表示モードと第２表示モードとの間で共通して用いられる共通コマンド信号を含む４種のコマンド信号を有する第１制御信号が生成される。第２表示モードが選択されているならば、第１映像及び第２映像のうち一方の映像の視聴開始タイミング及び視聴終了タイミングを通知するために、共通コマンド信号と、４種のコマンド信号とは異なる第１非共通コマンド信号と、を含む第２制御信号が生成される。
【０２５９】
第１表示モード及び第２表示モードに共通して、共通コマンド信号が用いられるので、少ない種類の信号を用いて、制御情報が伝達されることとなる。したがって、制御情報の伝達に関する不具合は生じにくくなる。かくして、表示装置は、表示モードに対応して、視聴者に映像を適切に観察させることができる。
【０２６０】
第１制御信号及び前記第２制御信号のうち一方は、制御信号として眼鏡装置へ送信される。制御信号に応じて、左眼及び右眼へ到達する映像光の光量が眼鏡装置によって調整されるので、視聴者は、立体映像、第１映像又は第２映像を適切に視聴することができる。
【産業上の利用可能性】
【０２６１】
上述の実施形態の原理は、映像を表示するための表示技術として好適に用いられる。
【手続補正３】
【補正対象書類名】図面
【補正対象項目名】全図
【補正方法】変更
【補正の内容】
【図１】
2012105251.tif 000031
【図２Ａ】
2012105251.tif 000032
【図２Ｂ】
2012105251.tif 000033
【図３Ａ】
2012105251.tif 000034
【図３Ｂ】
2012105251.tif 000035
【図４】
2012105251.tif 000036
【図５】
2012105251.tif 000037
【図６】
2012105251.tif 000038
【図７】
2012105251.tif 000039
【図８Ａ】
2012105251.tif 000040
【図８Ｂ】
2012105251.tif 000041
【図８Ｃ】
2012105251.tif 000042
【図８Ｄ】
2012105251.tif 000043
【図８Ｅ】
2012105251.tif 000044
【図８Ｆ】
2012105251.tif 000045
【図９】
2012105251.tif 000046
【図１０】
2012105251.tif 000047
【図１１】
2012105251.tif 000048
【図１２】
2012105251.tif 000049
【図１３】
2012105251.tif 000050
【図１４】
2012105251.tif 000051
【図１５】
2012105251.tif 000052
【図１６】
2012105251.tif 000053
【図１７Ａ】
2012105251.tif 000054
【図１７Ｂ】
2012105251.tif 000055
【図１７Ｃ】
2012105251.tif 000056
【図１８】
2012105251.tif 000057
【図１９】
2012105251.tif 000058
【国際調査報告】
2012105251.tif 000059
2012105251.tif 000060
2012105251.tif 000061
2012105251.tif 000062